(57)【要約】  本発明は、ステレオ又は疑似ステレオ信号を生成するための装置又は方法に関する。特に、立体音響の技術パラメータの相関関係を調べて、それを最適化する新たな手法を提案する。更に、インバースプロブレムを変換の最適化問題に予想外の手法で適用している。本発明は、特に、オーディオ信号の符号化に関して重要である。
2013539643.tif 000002
【特許請求の範囲】
【請求項１】
一つのモノラル信号をステレオ音響化する、或いは疑似ステレオ信号を取得するための装置において、
算出した遅延時間差（ＬＡ，ＬＢ又はＬα，Ｌβ）が、それをステレオ音響化するモノラル信号に適用する前に、ゼロよりも大きい時間パラメータ（ｓ）と乗算されて、それにより、新たな遅延時間差（ＬＡ’＝ＬＡ＊ｓ，ＬＢ’＝ＬＢ＊ｓ又はＬα’＝Ｌα＊ｓ，Ｌβ’＝Ｌβ＊ｓ）が得られることを特徴とする装置。
【請求項２】
当該の遅延時間差が、音源とステレオ音響化する信号の主軸により規定される手動で、或いは測定により検出する角度（φ）に基づき算出されることを特徴とする請求項１に記載の装置。
【請求項３】
当該の時間パラメータ（ｓ）が２９ミリ秒と１４６ミリ秒、有利には、１００ミリ秒との間であることを特徴とする請求項１又は２に記載の装置。
【請求項４】
当該の時間パラメータ（ｓ）がユーザにより自由に選択可能であることを特徴とする請求項１から３までのいずれか一つに記載の装置。
【請求項５】
ステレオ音響化する信号の指向特性を規定するパラメータ（ｆ又はｎ）、主軸と音源により規定される手動で、或いは測定により検出する角度（φ）、仮想的な左開口角（α）、仮想的な右開口角（β）、減衰率（λ）、減衰率（ρ）、増幅率（１／λ、１／τ、λ’、ρ＊）、相関度（ｒ）、許容値範囲を定義するためのパラメータ（ａ）、絶対値を決定又は最大化するための限界値（Ｒ＊）、偏差（Δ）、一つのマッピング方向を決定するパラメータ（ｚ）、マッピング幅を選定するための限界値（Ｓ＊）、偏差（ε）、マッピング幅に関して関数値を最適化するための限界値（Ｕ＊）、与えられたステレオ信号を生成するための偏差（κ）又は当該の時間パラメータ（ｓ）が自動的に、或いは反復して最適化可能であることを特徴とする請求項１から４までのいずれか一つに記載の装置。
【請求項６】
疑似ステレオ変換用の一つのステレオ変換器と、その後に接続された二つのパノラマ電位差計とを通過させて、各パノラマ電位差計が二つの母線信号を生成するか、或いは
疑似ステレオ変換用の一つのステレオ変換器と、そのステレオ変換器の前に接続された、ステレオ変換器の一つの入力信号を増幅するための一つの増幅器とを通過させるか、
疑似ステレオ変換用の一つのステレオ変換器と、そのステレオ変換器の前に接続された、ステレオ変換器の各入力信号用の各増幅器とを通過させるか、
それぞれ所定の増幅率で増幅された入力信号（Ｍ，Ｓ）を加算又は減算するための加算器と減算器を備えた、疑似ステレオ変換用の一つの改修されたステレオ変換器を通過させて、前記の母線信号と同一の信号を生成する、
ことを特徴とする請求項１から５までのいずれか一つに記載の装置。
【請求項７】
データ圧縮又はデータ削減用の手段が配備されていることを特徴とする請求項１から６までのいずれか一つに記載の装置。
【請求項８】
少なくとも一つの一次又は二次のオールパスフィルタが配備されていることを特徴とする請求項１から７までのいずれか一つに記載の装置。
【請求項９】
少なくとも移相器が配備されていることを特徴とする請求項１から８までのいずれか一つに記載の装置。
【請求項１０】
一つのモノラル信号Ｍから第一の疑似ステレオ信号Ｌ，Ｒを取得するための手段、
前記の与えられた信号Ｌから第二の疑似ステレオ信号ＬＳ，Ｃ１を取得するための手段、
前記の与えられた信号Ｒから第三の疑似ステレオ信号Ｃ２，ＲＳを取得するための手段、
が配備されていることを特徴とする請求項１から９までのいずれか一つに記載の装置。
【請求項１１】
ｎ個（ｎ≧２）のスピーカを備えた再生システム用の信号出力が配備されていることを特徴とする請求項１から１０までのいずれか一つに記載の装置。
【請求項１２】
場合によっては、反比例する減衰率（λ又はρ）又は増幅率（１／λ、１／τ、λ’）を考慮して、遅延時間差（Ｌα，Ｌβ；ＬＡ，ＬＢ；Ｌα’，Ｌβ’；ＬＡ’，ＬＢ’）又は増幅率（Ｐα，Ｐβ；Ｐα’，Ｐβ’；ＰＭ，ＰＭ’，ＰＭ’’；ＰＡ，ＰＢ）をそれぞれ計算する代わりに使用される、ステレオ音響化する入力信号の遅延又は増幅に関する値を保存した辞書が配備されていることを特徴とする請求項１から１１までのいずれか一つに記載の装置。
【請求項１３】
間隔［０，π／２］において、π／３６ずつ変化させた値に基づき、当該の辞書を取得する手段が配備されていることを特徴とする請求項１２に記載の装置。
【請求項１４】
一つのモノラル信号をステレオ音響化する、或いは疑似ステレオ信号を取得するための方法において、
算出した遅延時間差（ＬＡ，ＬＢ又はＬα，Ｌβ）が、それをステレオ音響化するモノラル信号に適用する前に、ゼロよりも大きい時間パラメータ（ｓ）と乗算されて、それにより、新たな遅延時間差（ＬＡ’＝ＬＡ＊ｓ，ＬＢ’＝ＬＢ＊ｓ又はＬα’＝Ｌα＊ｓ，Ｌβ’＝Ｌβ＊ｓ）が得られることを特徴とする方法。
【請求項１５】
当該の遅延時間差が、音源とステレオ音響化する信号の主軸により規定される手動で、或いは測定により検出する角度（φ）に基づき算出されることを特徴とする請求項１４に記載の方法。
【請求項１６】
当該の時間パラメータ（ｓ）が２９ミリ秒と１４６ミリ秒、有利には、１００ミリ秒との間であることを特徴とする請求項１４又は１５に記載の方法。
【請求項１７】
ユーザが当該の時間パラメータ（ｓ）を自由に選択することを特徴とする請求項１４から１６までのいずれか一つに記載の方法。
【請求項１８】
ステレオ音響化する信号の指向特性を規定するパラメータ（ｆ又はｎ）、主軸と音源により規定される手動で、或いは測定により検出する角度（φ）、仮想的な左開口角（α）、仮想的な右開口角（β）、減衰率（λ）、減衰率（ρ）、増幅率（１／λ、１／τ、λ’、ρ＊）、相関度（ｒ）、許容値範囲を定義するためのパラメータ（ａ）、絶対値を決定又は最大化するための限界値（Ｒ＊）、偏差（Δ）、一つのマッピング方向を決定するパラメータ（ｚ）、マッピング幅を選定するための限界値（Ｓ＊）、偏差（ε）、マッピング幅に関して関数値を最適化するための限界値（Ｕ＊）、与えられたステレオ信号を生成するための偏差（κ）又は当該の時間パラメータ（ｓ）が自動的に、或いは反復して最適化されることを特徴とする請求項１４から１７までのいずれか一つに記載の方法。
【請求項１９】
ステレオ音響化する信号の指向特性を規定するパラメータ（ｆ又はｎ）、主軸と音源により規定される手動で、或いは測定により検出する角度（φ）、仮想的な左開口角（α）、仮想的な右開口角（β）、減衰率（λ）、減衰率（ρ）、増幅率（１／λ、１／τ、λ’、ρ＊）、相関度（ｒ）、許容値範囲を定義するためのパラメータ（ａ）、絶対値を決定又は最大化するための限界値（Ｒ＊）、偏差（Δ）、一つのマッピング方向を決定するパラメータ（ｚ）、マッピング幅を選定するための限界値（Ｓ＊）、偏差（ε）、マッピング幅に関して関数値を最適化するための限界値（Ｕ＊）、与えられたステレオ信号を生成するための偏差（κ）又は当該の時間パラメータ（ｓ）が代数的不変式に基づき最適化されることを特徴とする請求項１４から１８までのいずれか一つに記載の方法。
【請求項２０】
（ａ）当該の手動で、或いは測定により検出又は決定される角度（φ）を求めるか、
（ａａ）任意に、或いはアルゴリズムにより決定される、主軸に対して左側の角度を規定する、ゼロの周囲の要素又はゼロと等しくない仮想的な開口角（α）を求め、その開口角が、前記の手動で、或いは測定により検出又は決定された角度（φ）が正である場合に、その手動で、或いは測定により検出又は決定された角度（φ）が主軸に対して左側の角度を規定する仮想的な開口角（α）以下であるとの条件を満たすものであるか、
（ｂｂ）任意に、或いはアルゴリズムにより決定される、主軸に対して右側の角度を規定する、ゼロの周囲の要素又はゼロと等しくない仮想的な開口角（β）を求め、その開口角が、前記の手動で、或いは測定により検出又は決定された角度（φ）が負である場合に、その手動で、或いは測定により検出又は決定された角度（φ）の絶対値が主軸に対して右側の角度を規定する仮想的な開口角（β）以下であるとの条件を満たすものであるか、
（ｃｃ）手動で、或いは測定により検出又は決定される、ステレオ音響化するモノラル信号の指向特性を求め、併せて、
（ｂ）前記の手動で、或いは測定により検出又は決定される角度（φ）、前記の仮想的な開口角（α）又はステレオ音響化するモノラル信号の指向特性に依存する増幅率（Ｐα）を計算するか、
（ｃ）前記の手動で、或いは測定により検出又は決定される角度（φ）、前記の仮想的な開口角（β）又はステレオ音響化するモノラル信号の指向特性に依存する増幅率（Ｐβ）を計算し、併せて、
（ｄ）前記の手動で、或いは測定により検出又は決定される角度（φ）、前記の仮想的な開口角（α）又はステレオ音響化するモノラル信号の指向特性、並びに当該の時間パラメータ（ｓ）に依存する遅延時間（Ｌ’α）を計算するか、
（ｅ）前記の手動で、或いは測定により検出又は決定される角度（φ）、前記の仮想的な開口角（β）又はステレオ音響化するモノラル信号の指向特性、並びに当該の時間パラメータ（ｓ）に依存する遅延時間（Ｌ’β）を計算し、併せて、
（ｆ）ステレオ音響化するモノラル信号を主信号として直接使用し、並びに
（ｇ）ステレオ音響化するモノラル信号を遅延時間（Ｌ’α）だけ遅らせた後、増幅率（Ｐα）だけ増幅させるか、それに代わって、ステレオ音響化するモノラル信号を増幅率（Ｐα）だけ増幅させた後、遅延時間（Ｌ’α）だけ遅らせるか、それに代わって、前記の二つの増幅率が等しい場合（Ｐα＝Ｐβ）に、ステレオ音響化するモノラル信号を遅延時間（Ｌ’α）だけ遅らせた後、増幅率（Ｐβ）だけ増幅させるか、それに代わって、前記の二つの増幅率が等しい場合（Ｐα＝Ｐβ）に、ステレオ音響化するモノラル信号を増幅率（Ｐβ）だけ増幅させた後、遅延時間（Ｌ’α）だけ遅らせるか、それに代わって、前記の二つの遅延時間が等しい場合（Ｌ’α＝Ｌ’β）に、ステレオ音響化するモノラル信号を遅延時間（Ｌ’β）だけ遅らせた後、増幅率（Ｐα）だけ増幅させるか、それに代わって、前記の二つの遅延時間が等しい場合（Ｌ’α＝Ｌ’β）に、ステレオ音響化するモノラル信号を増幅率（Ｐα）だけ増幅させた後、遅延時間（Ｌ’β）だけ遅らせるか、それに代わって、前記の二つの遅延時間が等しく（Ｌ’α＝Ｌ’β）、前記の二つの増幅率が等しい（Ｐα＝Ｐβ）場合に、ステレオ音響化するモノラル信号を遅延時間（Ｌ’β）だけ遅らせた後、増幅率（Ｐβ）だけ増幅させるか、それに代わって、前記の二つの遅延時間が等しく（Ｌ’α＝Ｌ’β）、前記の二つの増幅率が等しい（Ｐα＝Ｐβ）場合に、ステレオ音響化するモノラル信号を増幅率（Ｐβ）だけ増幅させた後、遅延時間（Ｌ’β）だけ遅らせるか、
（ｈ）ステレオ音響化するモノラル信号を遅延時間（Ｌ’β）だけ遅らせた後、増幅率（Ｐβ）だけ増幅させるか、それに代わって、ステレオ音響化するモノラル信号を増幅率（Ｐβ）だけ増幅させた後、遅延時間（Ｌ’α）だけ遅らせるか、それに代わって、前記の二つの増幅率が等しい場合（Ｐα＝Ｐβ）に、ステレオ音響化するモノラル信号を遅延時間（Ｌ’β）だけ遅らせた後、増幅率（Ｐα）だけ増幅させるか、それに代わって、前記の二つの増幅率が等しい場合（Ｐα＝Ｐβ）に、ステレオ音響化するモノラル信号を増幅率（Ｐα）だけ増幅させた後、遅延時間（Ｌ’β）だけ遅らせるか、それに代わって、前記の二つの遅延時間が等しい場合（Ｌ’α＝Ｌ’β）に、ステレオ音響化するモノラル信号を遅延時間（Ｌ’α）だけ遅らせた後、増幅率（Ｐβ）だけ増幅させるか、それに代わって、前記の二つの遅延時間が等しい場合（Ｌ’α＝Ｌ’β）に、ステレオ音響化するモノラル信号を増幅率（Ｐβ）だけ増幅させた後、遅延時間（Ｌ’α）だけ遅らせるか、それに代わって、前記の二つの遅延時間が等しく（Ｌ’α＝Ｌ’β）、前記の二つの増幅率が等しい（Ｐα＝Ｐβ）場合に、ステレオ音響化するモノラル信号を遅延時間（Ｌ’α）だけ遅らせた後、増幅率（Ｐα）だけ増幅させるか、それに代わって、前記の二つの遅延時間が等しく（Ｌ’α＝Ｌ’β）、前記の二つの増幅率が等しい（Ｐα＝Ｐβ）場合に、ステレオ音響化するモノラル信号を増幅率（Ｐα）だけ増幅させた後、遅延時間（Ｌ’α）だけ遅らせて、
（ｉ）前記の（ｇ）と（ｈ）で与えられた信号を加算して、側方信号を取得するか、或いは前記の二つの遅延時間が等しい場合（Ｌ’α＝Ｌ’β）に、
（ｊ）ステレオ音響化するモノラル信号を遅延時間（Ｌ’α＝Ｌ’β）だけ遅らせた後、前記の二つの増幅率が等しい（Ｐα＝Ｐβ）場合に、増幅率（２＊Ｐα＝２＊Ｐβ）だけ増幅させるか、或いは前記の二つの増幅率が等しくない（Ｐα≠Ｐβ）場合に、増幅率（Ｐα＋Ｐβ）だけ増幅させて、側方信号を取得するか、それに代わって、
（ｋ）ステレオ音響化するモノラル信号を、前記の二つの増幅率が等しい（Ｐα＝Ｐβ）場合に、増幅率（２＊Ｐα＝２＊Ｐβ）だけ増幅させるか、或いは前記の二つの増幅率が等しくない（Ｐα≠Ｐβ）場合に、増幅率（Ｐα＋Ｐβ）だけ増幅させた後、遅延時間（Ｌ’α＝Ｌ’β）だけ遅らせて、側方信号を取得するか、それに代わって、
（ｌ）ステレオ音響化するモノラル信号を増幅率（Ｐα）だけ増幅させるとともに、遅延時間（Ｌ’α＝Ｌ’β）だけ遅らせた後、前記の二つの増幅率が等しい（Ｐα＝Ｐβ）場合に、増幅率（Ｐα）だけ増幅させるか、或いは前記の二つの増幅率が等しくない（Ｐα≠Ｐβ）場合に、増幅率（Ｐβ）だけ増幅させか、それに代わって、
（ｍ）ステレオ音響化するモノラル信号を増幅率（Ｐβ）だけ増幅させるとともに、遅延時間（Ｌ’α＝Ｌ’β）だけ遅らせた後、前記の二つの増幅率が等しい（Ｐα＝Ｐβ）場合に、増幅率（Ｐβ）だけ増幅させるか、或いは前記の二つの増幅率が等しくない（Ｐα≠Ｐβ）場合に、増幅率（Ｐα）だけ増幅させ、併せて、
（ｊ）前記の主信号と側方信号の一つのステレオ信号へのステレオ変換を行なうか、それに代わって、それぞれ所定の増幅率で増幅された入力信号（Ｍ，Ｓ）を加算又は減算するための加算器又は減算器を備えた改修されたステレオ変換器による前記の主信号と側方信号の一つのステレオ信号へのステレオ変換を行なう、
ことを特徴とする請求項１４から１９までのいずれか一つに記載の方法。
【請求項２１】
（ａ）当該の手動で、或いは測定により検出又は決定される角度（φ）を求めるか、
（ａａ）任意に、或いはアルゴリズムにより決定される、主軸に対して左側の角度を規定する、ゼロの周囲の要素又はゼロと等しくない仮想的な開口角（α）を求め、その開口角が、前記の手動で、或いは測定により検出又は決定された角度（φ）が正である場合に、その手動で、或いは測定により検出又は決定された角度（φ）が主軸に対して左側の角度を規定する仮想的な開口角（α）以下であるとの条件を満たすものであるか、
（ｂｂ）任意に、或いはアルゴリズムにより決定される、主軸に対して右側の角度を規定する、ゼロの周囲の要素又はゼロと等しくない仮想的な開口角（β）を求め、その開口角が、前記の手動で、或いは測定により検出又は決定された角度（φ）が負である場合に、その手動で、或いは測定により検出又は決定された角度（φ）の絶対値が主軸に対して右側の角度を規定する仮想的な開口角（β）以下であるとの条件を満たすものであるか、
（ｃｃ）手動で、或いは測定により検出又は決定される、ステレオ音響化するモノラル信号の指向特性を求め、併せて、
（ｂ）前記の手動で、或いは測定により検出又は決定される角度（φ）、前記の仮想的な開口角（α）又はステレオ音響化するモノラル信号の指向特性に依存する増幅率（ＰＭ’）を計算し、１／ＰＭ’がゼロ又はゼロの周囲の要素ではなく、
（ｃ）前記の手動で、或いは測定により検出又は決定される角度（φ）、前記の仮想的な開口角（α又はβ）又はステレオ音響化するモノラル信号の指向特性に依存する増幅率（Ｐβ’）を計算し、併せて、
（ｄ）前記の手動で、或いは測定により検出又は決定される角度（φ）、前記の仮想的な開口角（α）又はステレオ音響化するモノラル信号の指向特性、並びに当該の時間パラメータ（ｓ）に依存する遅延時間（Ｌ’α）を計算するか、
（ｅ）前記の手動で、或いは測定により検出又は決定される角度（φ）、前記の仮想的な開口角（β）又はステレオ音響化するモノラル信号の指向特性、並びに当該の時間パラメータ（ｓ）に依存する遅延時間（Ｌ’β）を計算し、併せて、
（ｆ）ステレオ音響化するモノラル信号を増幅率（ＰＭ’）だけ増幅し、並びに
（ｇ）ステレオ音響化するモノラル信号を遅延時間（Ｌ’α）だけ遅らせるか、それに代わって、前記の二つの遅延時間が等しい場合（Ｌ’α＝Ｌ’β）に、ステレオ音響化するモノラル信号を遅延時間（Ｌ’β）だけ遅らせて、
（ｈ）ステレオ音響化するモノラル信号を遅延時間（Ｌ’β）だけ遅らせた後、増幅率（Ｐβ’）だけ増幅させるか、それに代わって、ステレオ音響化するモノラル信号を増幅率（Ｐβ’）だけ増幅させた後、遅延時間（Ｌ’β）だけ遅らせるか、それに代わって、前記の二つの遅延時間が等しい場合（Ｌ’α＝Ｌ’β）に、ステレオ音響化するモノラル信号を遅延時間（Ｌ’α）だけ遅らせた後、増幅率（Ｐβ’）だけ増幅させるか、それに代わって、前記の二つの遅延時間が等しい場合（Ｌ’α＝Ｌ’β）に、ステレオ音響化するモノラル信号を増幅率（Ｐβ’）だけ増幅させた後、遅延時間（Ｌ’α）だけ遅らせて、
（ｉ）前記の（ｇ）と（ｈ）で与えられた信号を加算して、側方信号を取得するか、或いは前記の二つの遅延時間が等しい場合（Ｌ’α＝Ｌ’β）に、
（ｊ）ステレオ音響化するモノラル信号を遅延時間（Ｌ’α＝Ｌ’β）だけ遅らせた後、増幅率（Ｐβ’）だけ増幅させて、側方信号を取得するか、それに代わって、
（ｋ）ステレオ音響化するモノラル信号を増幅率（Ｐβ’）だけ増幅させた後、遅延時間（Ｌ’α＝Ｌ’β）だけ遅らせて、側方信号を取得し、併せて、
（ｊ）前記の主信号と側方信号の一つのステレオ信号へのステレオ変換を行なうか、それに代わって、それぞれ所定の増幅率で増幅された入力信号（Ｍ，Ｓ）を加算又は減算するための加算器又は減算器を備えた改修されたステレオ変換器による前記の主信号と側方信号の一つのステレオ信号へのステレオ変換を行なう、
ことを特徴とする請求項１４から１９までのいずれか一つに記載の方法。
【請求項２２】
（ａ）当該の手動で、或いは測定により検出又は決定される角度（φ）を求めるか、
（ａａ）任意に、或いはアルゴリズムにより決定される、主軸に対して左側の角度を規定する、ゼロの周囲の要素又はゼロと等しくない仮想的な開口角（α）を求め、その開口角が、前記の手動で、或いは測定により検出又は決定された角度（φ）が正である場合に、その手動で、或いは測定により検出又は決定された角度（φ）が主軸に対して左側の角度を規定する仮想的な開口角（α）以下であるとの条件を満たすものであるか、
（ｂｂ）任意に、或いはアルゴリズムにより決定される、主軸に対して右側の角度を規定する、ゼロの周囲の要素又はゼロと等しくない仮想的な開口角（β）を求め、その開口角が、前記の手動で、或いは測定により検出又は決定された角度（φ）が負である場合に、その手動で、或いは測定により検出又は決定された角度（φ）の絶対値が主軸に対して右側の角度を規定する仮想的な開口角（β）以下であるとの条件を満たすものであるか、
（ｃｃ）手動で、或いは測定により検出又は決定される、ステレオ音響化するモノラル信号の指向特性を求め、併せて、
（ｂ）前記の手動で、或いは測定により検出又は決定される角度（φ）、前記の仮想的な開口角（α）又はステレオ音響化するモノラル信号の指向特性に依存する増幅率（ＰＭ’’）を計算し、１／ＰＭ’’がゼロ又はゼロの周囲の要素ではなく、
（ｃ）前記の手動で、或いは測定により検出又は決定される角度（φ）、前記の仮想的な開口角（α又はβ）又はステレオ音響化するモノラル信号の指向特性に依存する増幅率（Ｐα’）を計算し、併せて、
（ｄ）前記の手動で、或いは測定により検出又は決定される角度（φ）、前記の仮想的な開口角（α）又はステレオ音響化するモノラル信号の指向特性、並びに当該の時間パラメータ（ｓ）に依存する遅延時間（Ｌ’α）を計算するか、
（ｅ）前記の手動で、或いは測定により検出又は決定される角度（φ）、前記の仮想的な開口角（β）又はステレオ音響化するモノラル信号の指向特性、並びに当該の時間パラメータ（ｓ）に依存する遅延時間（Ｌ’β）を計算し、併せて、
（ｆ）ステレオ音響化するモノラル信号を増幅率（ＰＭ’’）だけ増幅し、並びに
（ｇ）ステレオ音響化するモノラル信号を遅延時間（Ｌ’α）だけ遅らせた後、増幅率（Ｐα’）だけ増幅させるか、それに代わって、ステレオ音響化するモノラル信号を増幅率（Ｐα’）だけ増幅させた後、遅延時間（Ｌ’α）だけ遅らせるか、それに代わって、前記の二つの遅延時間が等しい場合（Ｌ’α＝Ｌ’β）に、ステレオ音響化するモノラル信号を遅延時間（Ｌ’β）だけ遅らせた後、増幅率（Ｐα’）だけ増幅させるか、それに代わって、前記の二つの遅延時間が等しい場合（Ｌ’α＝Ｌ’β）に、ステレオ音響化するモノラル信号を増幅率（Ｐα’）だけ増幅させた後、遅延時間（Ｌ’β）だけ遅らせて、
（ｈ）ステレオ音響化するモノラル信号を遅延時間（Ｌ’β）だけ遅らせるか、それに代わって、前記の二つの遅延時間が等しい場合（Ｌ’α＝Ｌ’β）に、ステレオ音響化するモノラル信号を遅延時間（Ｌ’α）だけ遅らせて、
（ｉ）前記の（ｇ）と（ｈ）で与えられた信号を加算して、側方信号を取得するか、或いは前記の二つの遅延時間が等しい場合（Ｌ’α＝Ｌ’β）に、
（ｊ）ステレオ音響化するモノラル信号を遅延時間（Ｌ’α＝Ｌ’β）だけ遅らせた後、増幅率（Ｐα’）だけ増幅させて、側方信号を取得するか、それに代わって、
（ｋ）ステレオ音響化するモノラル信号を増幅率（Ｐα’）だけ増幅させた後、遅延時間（Ｌ’α＝Ｌ’β）だけ遅らせて、側方信号を取得し、併せて、
（ｊ）前記の主信号と側方信号の一つのステレオ信号へのステレオ変換を行なうか、それに代わって、それぞれ所定の増幅率で増幅された入力信号（Ｍ，Ｓ）を加算又は減算するための加算器又は減算器を備えた改修されたステレオ変換器による前記の主信号と側方信号の一つのステレオ信号へのステレオ変換を行なう、
ことを特徴とする請求項１４から１９までのいずれか一つに記載の方法。
【請求項２３】
（ａ）当該の手動で、或いは測定により検出又は決定される角度（φ）を一定の値と仮定するか、
（ａａ）任意に、或いはアルゴリズムにより決定される、主軸に対して左側の角度を規定する、ゼロの周囲の要素又はゼロと等しくない仮想的な開口角（α）を一定の値と仮定し、その開口角が、前記の手動で、或いは測定により検出又は決定された角度（φ）が正である場合に、その手動で、或いは測定により検出又は決定された角度（φ）が主軸に対して左側の角度を規定する仮想的な開口角（α）以下であるとの条件を満たすものであるか、
（ｂｂ）任意に、或いはアルゴリズムにより決定される、主軸に対して右側の角度を規定する、ゼロの周囲の要素又はゼロと等しくない仮想的な開口角（β）を一定の値と仮定し、その開口角が、前記の手動で、或いは測定により検出又は決定された角度（φ）が負である場合に、その手動で、或いは測定により検出又は決定された角度（φ）の絶対値が主軸に対して右側の角度を規定する仮想的な開口角（β）以下であるとの条件を満たすものであり、
（ｃｃ）手動で、或いは測定により検出又は決定される、ステレオ音響化するモノラル信号の指向特性を任意に設定し、併せて、
（ｂ）前記の一定の値から計算した一定の遅延時間（Ｌα’又はＬβ’）又は前記の一定の値から計算した増幅率（Ｐα，Ｐβ；Ｐα’，Ｐβ’；ＰＭ’，ＰＭ’’）を請求項１から９までのいずれか一つに記載の装置で使用する、
ことを特徴とする請求項１４から２２までのいずれか一つに記載の方法。
【請求項２４】
当該の時間パラメータ（ｓ＞１）に定数（√５−１）／２を乗算することによって、遅延時間（Ｌα’＝Ｌβ’）を計算するか、或いは当該の時間パラメータ（ｓ）に関する予め設定された値を前記の定数と乗算して遅延時間（Ｌα’＝Ｌβ’）として使用し、
増幅率（ＰＭ’＝ＰＭ’’）が定数４／５と等しいものとして、
ステレオ音響化するモノラル信号を増幅率４／５だけ増幅して、主信号を取得し、
ステレオ音響化するモノラル信号を遅延時間（Ｌα’＝Ｌβ’）だけ遅らせて、側方信号を取得し、
前記の主信号と側方信号の一つのステレオ信号へのステレオ変換を行なうか、それに代わって、それぞれ所定の増幅率で増幅された入力信号（Ｍ，Ｓ）を加算又は減算するための加算器又は減算器を備えた改修されたステレオ変換器による前記の主信号と側方信号の一つのステレオ信号へのステレオ変換を行なう、
ことを特徴とする請求項１４から２３までのいずれか一つに記載の方法。
【請求項２５】
当該の時間パラメータ（ｓ＞１）に定数（√５−１）／２を乗算することによって、遅延時間（Ｌα’＝Ｌβ’）を計算するか、或いは当該の時間パラメータ（ｓ）に関する予め設定された値を前記の定数と乗算して遅延時間（Ｌα’＝Ｌβ’）として使用し、
増幅率（ＰＭ’＝ＰＭ’’）が定数５／４と等しいものとして、
ステレオ音響化するモノラル信号を主信号として直接使用し、
ステレオ音響化するモノラル信号を遅延時間（Ｌα’＝Ｌβ’）だけ遅らせた後、増幅率５／２だけ増幅して、側方信号を取得するか、それに代わって、ステレオ音響化するモノラル信号を増幅率５／２だけ増幅した後、遅延時間（Ｌα’＝Ｌβ’）だけ遅らせて、側方信号を取得するか、それに代わって、ステレオ音響化する主信号を増幅率Ｐだけ増幅した後、遅延時間（Ｌα’＝Ｌβ’）だけ遅らせ、次に、増幅率Ｑで増幅して、側方信号を取得し、ここで、増幅率ＰとＱに関して、関係式Ｐ＊Ｑ＝５／２が成り立ち、
前記の主信号と側方信号の一つのステレオ信号へのステレオ変換を行なうか、それに代わって、それぞれ所定の増幅率で増幅された入力信号（Ｍ，Ｓ）を加算又は減算するための加算器又は減算器を備えた改修されたステレオ変換器による前記の主信号と側方信号の一つのステレオ信号へのステレオ変換を行なう、
ことを特徴とする請求項１４から２３までのいずれか一つに記載の方法。
【請求項２６】
当該のステレオ変換を行なう前の側方信号に対して、更に、減衰率（λ＝ρ）による減衰又は増幅率（λ’）による増幅を行なうことを特徴とする請求項１４から２５までのいずれか一つに記載の方法。
【請求項２７】
当該のステレオ変換を行なう前の主信号に対して、更に、減衰率の逆数（１／λ）又は増幅率（１／τ）による増幅を行ない、ここで、１≧τ＋λ’≧０かつλ＝τ＋λ’であることを特徴とする請求項１４から２６までのいずれか一つに記載の方法。
【請求項２８】
疑似ステレオ変換用のステレオ変換器と、その後に接続された二つのパノラマ電位差計とを通過させ、各パノラマ電位差計が二つの母線信号を生成するか、
疑似ステレオ変換用のステレオ変換器と、そのステレオ変換器の前に接続された、そのステレオ変換器の一つの入力信号を増幅するための増幅器とを通過させるか、
疑似ステレオ変換用のステレオ変換器と、そのステレオ変換器の前に接続された、そのステレオ変換器の各入力信号を増幅するための各増幅器とを通過させるか、或いは
それぞれ所定の増幅率で増幅された入力信号（Ｍ，Ｓ）を加算又は減算するための加算器又は減算器を備えた改修されたステレオ変換器を通過させて、当該の母線信号と同じ信号を生成する、
ことを特徴とする請求項１４から２７までのいずれか一つに記載の方法。
【請求項２９】
ステレオ音響化する信号の指向特性を規定するパラメータ（ｆ又はｎ）、当該の主軸と音源により規定される手動で、或いは測定により検出する角度（φ）、仮想的な左開口角（α）、仮想的な右開口角（β）、減衰率（λ）、減衰率（ρ）、増幅率（１／λ、１／τ、λ’又はρ＊）、相関度（ｒ）、許容値範囲を定義するパラメータ（ａ）、絶対値を決定又は最大化するための限界値（Ｒ＊）、偏差（Δ）、マッピング方向を決定するパラメータ（ｚ）、マッピング幅を選定するための限界値（Ｓ＊）、マッピング幅に関して関数値を最適化するための偏差（ε）又は限界値（Ｕ＊）、与えられたステレオ信号を生成するための偏差（κ）、或いは当該の時間パラメータ（ｓ）の自動的又は反復的な最適化が一つ以上の重み関数に基づき行なわれることを特徴とする請求項１４から２８までのいずれか一つに記載の方法。
【請求項３０】
ステレオ音響化する信号の指向特性を規定するパラメータ（ｆ又はｎ）、当該の主軸と音源により規定される手動で、或いは測定により検出する角度（φ）、仮想的な左開口角（α）、仮想的な右開口角（β）、減衰率（λ）、減衰率（ρ）、増幅率（１／λ、１／τ、λ’又はρ＊）、相関度（ｒ）、許容値範囲を定義するパラメータ（ａ）、絶対値を決定又は最大化するための限界値（Ｒ＊）、偏差（Δ）、マッピング方向を決定するパラメータ（ｚ）、マッピング幅を選定するための限界値（Ｓ＊）、マッピング幅に関して関数値を最適化するための偏差（ε）又は限界値（Ｕ＊）、与えられたステレオ信号を生成するための偏差（κ）、或いは当該の時間パラメータ（ｓ）の自動的又は反復的な最適化が、与えられたステレオ又は疑似ステレオ信号の残響又はユーザにより定義された残響に関する特性に基づき行なわれることを特徴とする請求項１４から２９までのいずれか一つに記載の方法。
【請求項３１】
ステレオ音響化する信号の指向特性を規定するパラメータ（ｆ又はｎ）、当該の主軸と音源により規定される手動で、或いは測定により検出する角度（φ）、仮想的な左開口角（α）、仮想的な右開口角（β）、減衰率（λ）、減衰率（ρ）、増幅率（１／λ、１／τ、λ’又はρ＊）、相関度（ｒ）、許容値範囲を定義するパラメータ（ａ）、絶対値を決定又は最大化するための限界値（Ｒ＊）、偏差（Δ）、マッピング方向を決定するパラメータ（ｚ）、マッピング幅を選定するための限界値（Ｓ＊）、マッピング幅に関して関数値を最適化するための偏差（ε）又は限界値（Ｕ＊）、与えられたステレオ信号を生成するための偏差（κ）、或いは当該の時間パラメータ（ｓ）の最適化が、与えられたステレオ又は疑似ステレオ信号の第一の主反射に基づき行なわれることを特徴とする請求項１４から３０までのいずれか一つに記載の方法。
【請求項３２】
ステレオ音響化する信号の指向特性を規定するパラメータ（ｆ又はｎ）、当該の主軸と音源により規定される手動で、或いは測定により検出する角度（φ）、仮想的な左開口角（α）、仮想的な右開口角（β）、減衰率（λ）、減衰率（ρ）、増幅率（１／λ、１／τ、λ’又はρ＊）、相関度（ｒ）、許容値範囲を定義するパラメータ（ａ）、絶対値を決定又は最大化するための限界値（Ｒ＊）、偏差（Δ）、マッピング方向を決定するパラメータ（ｚ）、マッピング幅を選定するための限界値（Ｓ＊）、マッピング幅に関して関数値を最適化するための偏差（ε）又は限界値（Ｕ＊）、与えられたステレオ信号を生成するための偏差（κ）、或いは当該の時間パラメータ（ｓ）の最適化が、目標とする残響又は目標とする第一の主反射の特性に関して設定できるか、或いはユーザにより調整できることを特徴とする請求項１４から３１までのいずれか一つに記載の方法。
【請求項３３】
ステレオ音響化する信号の指向特性を規定するパラメータ（ｆ又はｎ）、当該の主軸と音源により規定される手動で、或いは測定により検出する角度（φ）、仮想的な左開口角（α）、仮想的な右開口角（β）、減衰率（λ）、減衰率（ρ）、増幅率（１／λ、１／τ、λ’又はρ＊）、相関度（ｒ）、許容値範囲を定義するパラメータ（ａ）、絶対値を決定又は最大化するための限界値（Ｒ＊）、偏差（Δ）、マッピング方向を決定するパラメータ（ｚ）、マッピング幅を選定するための限界値（Ｓ＊）、マッピング幅に関して関数値を最適化するための偏差（ε）又は限界値（Ｕ＊）、与えられたステレオ信号を生成するための偏差（κ）、或いは当該の時間パラメータ（ｓ）の最適化が、遅延時間（ｔ＊）だけ遅らせたステレオ又は疑似ステレオ信号の第一の主反射を生成する特別な伝達関数を含む演算子（Ｕ）又は（Ｕ＊）に基づき行なわれることを特徴とする請求項１４から３２までのいずれか一つに記載の方法。
【請求項３４】
ステレオ音響化する信号の指向特性を規定するパラメータ（ｆ又はｎ）、当該の主軸と音源により規定される手動で、或いは測定により検出する角度（φ）、仮想的な左開口角（α）、仮想的な右開口角（β）、減衰率（λ）、減衰率（ρ）、増幅率（１／λ、１／τ、λ’又はρ＊）、相関度（ｒ）、許容値範囲を定義するパラメータ（ａ）、絶対値を決定又は最大化するための限界値（Ｒ＊）、偏差（Δ）、マッピング方向を決定するパラメータ（ｚ）、マッピング幅を選定するための限界値（Ｓ＊）、マッピング幅に関して関数値を最適化するための偏差（ε）又は限界値（Ｕ＊）、与えられたステレオ信号を生成するための偏差（κ）、或いは当該の時間パラメータ（ｓ）の最適化が、遅延させた、或いは遅延させないステレオ又は疑似ステレオ信号から残響を生成する特別な伝達関数を含む一つ以上の演算子に基づき行なわれることを特徴とする請求項１４から３３までのいずれか一つに記載の方法。
【請求項３５】
ステレオ音響化する信号の指向特性を規定するパラメータ（ｆ又はｎ）、当該の主軸と音源により規定される手動で、或いは測定により検出する角度（φ）、仮想的な左開口角（α）、仮想的な右開口角（β）、減衰率（λ）、減衰率（ρ）、増幅率（１／λ、１／τ、λ’又はρ＊）、相関度（ｒ）、許容値範囲を定義するパラメータ（ａ）、絶対値を決定又は最大化するための限界値（Ｒ＊）、偏差（Δ）、マッピング方向を決定するパラメータ（ｚ）、マッピング幅を選定するための限界値（Ｓ＊）、マッピング幅に関して関数値を最適化するための偏差（ε）又は限界値（Ｕ＊）、与えられたステレオ信号を生成するための偏差（κ）、或いは当該の時間パラメータ（ｓ）の最適化が、所謂インバースプロブレムを技術的に変換した形態に基づき行なわれることを特徴とする請求項１４から３４までのいずれか一つに記載の方法。
【請求項３６】
ステレオ音響化する信号の指向特性を規定するパラメータ（ｆ又はｎ）、当該の主軸と音源により規定される手動で、或いは測定により検出する角度（φ）、仮想的な左開口角（α）、仮想的な右開口角（β）、減衰率（λ）、減衰率（ρ）、増幅率（１／λ、１／τ、λ’又はρ＊）、相関度（ｒ）、許容値範囲を定義するパラメータ（ａ）、絶対値を決定又は最大化するための限界値（Ｒ＊）、偏差（Δ）、マッピング方向を決定するパラメータ（ｚ）、マッピング幅を選定するための限界値（Ｓ＊）、マッピング幅に関して関数値を最適化するための偏差（ε）又は限界値（Ｕ＊）、与えられたステレオ信号を生成するための偏差（κ）、或いは当該の時間パラメータ（ｓ）の最適化が、辞書又は演算子の辞書に基づき行なわれることを特徴とする請求項１４から３５までのいずれか一つに記載の方法。
【請求項３７】
ステレオ音響化する信号の指向特性を規定するパラメータ（ｆ又はｎ）、当該の主軸と音源により規定される手動で、或いは測定により検出する角度（φ）、仮想的な左開口角（α）、仮想的な右開口角（β）、減衰率（λ）、減衰率（ρ）、増幅率（１／λ、１／τ、λ’又はρ＊）、相関度（ｒ）、許容値範囲を定義するパラメータ（ａ）、絶対値を決定又は最大化するための限界値（Ｒ＊）、偏差（Δ）、マッピング方向を決定するパラメータ（ｚ）、マッピング幅を選定するための限界値（Ｓ＊）、マッピング幅に関して関数値を最適化するための偏差（ε）又は限界値（Ｕ＊）、与えられたステレオ信号を生成するための偏差（κ）、或いは当該の時間パラメータ（ｓ）の最適化が、与えられたステレオ又は疑似ステレオ信号の正弦モデル、それ以外のローカリゼーションモデル、或いはそれ以外の特性との比較に基づき行なわれることを特徴とする請求項１４から３６までのいずれか一つに記載の方法。
【請求項３８】
圧縮手法又はデータ削減手法を更に使用することを特徴とする請求項１４から３７までのいずれか一つに記載の方法。
【請求項３９】
少なくとも一つの一次、二次又はｎ次のオールパスフィルタを使用することを特徴とする請求項１４から３８までのいずれか一つに記載の方法。
【請求項４０】
少なくとも一つの移相器を使用することを特徴とする請求項１４から３９までのいずれか一つに記載の方法。
【請求項４１】
一つのモノラル信号（Ｍ）から第一の疑似ステレオ信号（Ｌ，Ｒ）を取得し、
与えられた左信号（Ｌ）から第二の疑似ステレオ信号（ＬＳ，Ｃ１）を取得し、
与えられた右信号（Ｒ）から第三の疑似ステレオ信号（Ｃ２，ＲＳ）を取得し、
任意選択により、前記の取得した信号（Ｃ１とＣ２）を順番に調整する、
ことを特徴とする請求項１４から４０までのいずれか一つに記載の方法。
【請求項４２】
一つのモノラル信号（Ｍ）を信号（Ｃ）として直接使用し、
前記のモノラル信号（Ｍ）から第一の疑似ステレオ信号（Ｌ，Ｒ）を取得し、
前記のモノラル信号（Ｍ）から第二の疑似ステレオ信号（ＬＳ，ＲＳ）を取得する、
ことを特徴とする請求項１４から４１までのいずれか一つに記載の方法。
【請求項４３】
ステレオ信号の左チャネル（Ｌ＝Ｍ１）から第一の疑似ステレオ信号（ＬＳ，Ｃ１）を取得し、
ステレオ信号の右チャネル（Ｒ＝Ｍ２）から第二の疑似ステレオ信号（Ｃ２，ＲＳ）を取得し、
任意選択により、前記の取得した信号（Ｃ１とＣ２）を順番に調整する、
ことを特徴とする請求項１４から４２までのいずれか一つに記載の方法。
【請求項４４】
ｎ個（ｎ≧２）のスピーカを備えた再生システム用の信号を生成することを特徴とする請求項１４から４３までのいずれか一つに記載の方法。
【請求項４５】
場合によっては、反比例する減衰率（λ又はρ）又は増幅率（１／λ、１／τ又はλ’）を考慮して、遅延時間（Ｌα，Ｌβ；ＬＡ，ＬＢ；Ｌα’，Ｌβ’；ＬＡ’，ＬＢ’）又は増幅率（Ｐα，Ｐβ；Ｐα’，Ｐβ’；ＰＭ，ＰＭ’，ＰＭ’’；ＰＡ，ＰＢ）をそれぞれ計算する代わりに、ステレオ音響化する入力信号の遅延又は増幅に関する相応の値を有する辞書を使用することを特徴とする請求項１４から４４までのいずれか一つに記載の方法。
【請求項４６】
当該の辞書が、間隔［０，π／２］において、仮想的な開口角（α又はβ）又は手動で、或いは測定により検出する角度（φ）をπ／３６ずつ変化させた値に基づき生成されることを特徴とする請求項１４から４５までのいずれか一つに記載の方法。
【発明の詳細な説明】
【技術分野】
【０００１】
本発明は、モノラル信号をステレオ音響化する、或いは疑似ステレオ信号を取得するための装置及び方法に関する。
【０００２】
特に、一方では音響特性を推定できるようにし、他方では理想的な形の同様の信号又は別の音響特性を有するステレオ又は疑似ステレオ信号（これらの用語には、三つ以上のチャネルの信号も含まれる）を合成するために、異なる信号の間の遅延時間差又は位相差を詳しく解析する。
【０００３】
特に、音響心理学的な特性に関して最適化するか、或いは音響心理学的な特性に関して、与えられたステレオ又は疑似ステレオ信号に適用される特許文献１〜５に記載された装置又は方法により生成されたステレオ又は疑似ステレオ信号を解析する。
【０００４】
特許文献１又は２と関連した従来の方法は、専ら従来のＭＳ構成の角度に依存した仮想化に関してパラメータを最適化している。本発明では、そのような構成に対して、更に時間に依存する仮想化を実施している。
【０００５】
本発明は、特許文献２〜５、１１及び１２による構成のシステムの一部の大幅な簡略化による、そのような仮想化手法全体を提供するだけでなく、ノイズ及び干渉フィルタに関して周知の所謂インバースプロブレムの予想外の変換によって、その自動化までも可能としている。
【背景技術】
【０００６】
以下において、特に、ステレオ又は疑似ステレオオーディオ信号の取得、改良又は最適化のための装置又は方法に関する従来技術を説明する。
【０００７】
特許文献１（トムソンブラント社）は、フィルタリングによりモノラル入力信号から異なる形態の信号を生成することを提案しており、（例えば、ローリドセン氏が提案する、録音状況に依存する振幅及び遅延時間補正に基づく方法を用いて）、そのモノラル入力信号から、仮想的なシングルバンド・ステレオ信号を別個に生成した後、その信号を二つの出力信号として組み合わせている。
【０００８】
特許文献２と３は、特に、（システムに基づき補間できる）当初の録音状況の関数に依存する遅延時間差と振幅補正を使用して、マイクロホンの主軸と音源の方位軸により規定されるマッピングすべき音事象に関する入射角を求める方法を記載している。これに関しては、特許文献２と３の内容を参照して挿入する。
【０００９】
特許文献７（ベゴールデュラン）は、それぞれ異なる形の遅延を有するが、一体的に増幅されたモノラル入力信号に対して、９０、１２０、２４０及び２７０度の方位と関連するＨＲＴＦ（ヘッド関連伝達関数）を適用しており、この生成された信号は、次に、当初のモノラル信号に重畳されている。この場合、振幅補正も遅延時間補正も録音状況と関係無く選定されている。
【００１０】
特許文献８（Ｍｉｃｈａｅｌ  Ａ．  Ｇｅｒｚｏｎ）は、特に、疑似ステレオ信号を生成するための多段接続のオールパスフィルタを提案している。別の提案は、周波数に依存する回転行列を後続したオールパスフィルタを二つのチャネルに使用することに関し、この方法によって、確かに同じ周波数の音源を分散させることはできるが、特許文献２〜５、１２で実現されている通りの、それらの音源の感知できる程の空間的な分離を行なうことはできない。
【００１１】
特許文献９は、特許文献２と３による装置において、強度ステレオ信号の場合、即ち、専らレベルによって弁別されるが、遅延時間又は位相の差、或いは周波数スペクトルの違いによっては弁別されないステレオ信号などのように、マッピング幅を規定通り縮小させるか、或いは与えられたステレオ信号のマッピング方向をスライドさせるのではなく、むしろ相関度を増減させるステレオ変換を行った後（次の関係式
Ｌ＝（Ｍ＋Ｓ）＊１／√２
及び
Ｒ＝（Ｍ−Ｓ）＊１／√２
が成り立つＭＳマトリックスに通した後）に、一つ以上のパノラマ電位差計又はそれと同等の補助手段を後続することを提案している。これに関しては、特許文献４と９の内容を参照して挿入する。
【００１２】
特許文献５によって、ステレオ又は疑似ステレオ信号を生成する際にベースとすべきパラメータの最適な選択が可能である。ユーザは、音響心理学的な観点に基づき、与えられた信号の相関度、定義範囲、ラウドネス及びそれ以外のパラメータを規定して、それによりアーチファクトを防止する手段が入手可能となっている。これに関しては、特許文献５と１０の内容を参照して挿入する。
【００１３】
特許文献１１又は１２は、例えば、少なくとも部分的に僅かに無相関な二つ以上の信号の結合又はその伝達関数の不変式の解析を初めて可能としており、それらの信号又は伝達関数は、（例えば、オーディオ信号のように）完全にランダムな法則の下で発生すると考えられおり、そのため、例えば、二つ以上の異なる信号区間に対して、その特性（例えば、ｘ（ｔ）が時点ｔでの左側の入力信号の関数値を表し、ｙ（ｔ）が時点ｔでの右側の入力信号の関数値を表す場合のステレオオーディオ信号ｘ（ｔ），ｙ（ｔ）に関する次の伝達関数の合計の特性）を推定することができ、
ｆ＊［ｘ（ｔ）］＝［ｘ（ｔ）／√２］＊（−１＋ｉ）
ｇ＊［ｙ（ｔ）］＝［ｙ（ｔ）／√２］＊（１＋ｉ）
従って、例えば、ステレオ又は疑似ステレオオーディオ信号の取得、改良又は最適化のための装置又は方法を相応に校正することができる。この特許文献の内容は本発明の出願時点では開示されていないため、その内容を完全に掲載する（以下を参照）。
【先行技術文献】
【特許文献】
【００１４】
【特許文献１】欧州特許第０８２５８００号明細書
【特許文献２】国際特許公開第２００９／１３８２０５号明細書
【特許文献３】欧州特許第１８５０６３９号明細書
【特許文献４】国際特許公開第２０１１／００９６４９号明細書
【特許文献５】国際特許公開第２０１１／００９６５０号明細書
【特許文献６】スイス国特許第２０１０／０１２６４号明細書
【特許文献７】米国特許第５１７３９４４号明細書
【特許文献８】米国特許第５６７１２８７号明細書
【特許文献９】スイス国特許第７０１４９７号明細書
【特許文献１０】スイス国特許第２００９／０１７７６号明細書
【特許文献１１】スイス国特許第２０１０／０１２６４号明細書
【特許文献１２】欧州ＰＣＴ出願第２０１１／０６３３２２号明細書
【非特許文献】
【００１５】
【非特許文献１】（特許文献１２に関して）Ｄａｖｉｄ  Ｈｉｌｂｅｒｔ：  Ｕｅｂｅｒ  ｄｉｅ  ｖｏｌｌｅｎ  Ｉｎｖａｒｉａｎｔｅｎｓｙｓｔｅｍｅ．  Ｍａｔｈｅｍａｔｉｓｃｈｅ  Ａｎｎａｌｅｎ  Ｂｄ．４２，  Ｓ．  ３１３−３７３  （１８９３）．−Ｓｐｒｉｎｇｅｒ：  Ｂｅｒｌｉｎ，  Ｈｅｉｄｅｌｂｅｒｇ  １９７０
【非特許文献２】Ｈｅｎｒｉｋ  Ｓｃｈｕｌｚｅ：  Ｄｉｇｉｔａｌ  Ａｕｄｉｏ  Ｂｒｏａｄｃａｓｔｉｎｇ．  Ｄａｓ  Ｕｅｂｅｒｔｒａｇｕｎｇｓｓｙｓｔｅｍ  ｉｍ  Ｍｏｂｉｌｆｕｎｋｋａｎａｌ．−Ｓｅｍｉｎａｒｓｋｒｉｐｔｕｍ  ｄｅｒ  Ｕｎｉｖｅｒｓｉｔａｅｔ  −  Ｇｅｓａｍｔｈｏｃｈｓｃｈｕｌｅ  Ｐａｄｅｒｂｏｒｎ  （２００２）．  ｗｗｗ．ｆｈ−ｍｅｓｃｈｅｄｅ．ｄｅ／ｐｕｂｌｉｃ／ｓｃｈｕｌｚｅ／ｄｏｃｓ／ｄａｂ−ｓｅｍｉｎａｒ．ｐｄｆ
【非特許文献３】ＩＴＵ−Ｒ勧告ＢＳ．１７７０
【非特許文献４】ＩＴＵ−Ｒ勧告ＢＳ．７７５−１
【非特許文献５】ＩＴＵ−Ｒ勧告ＢＳ．７７４−１
【非特許文献６】Ｔｏｎｙ  Ｈｉｒｖｏｎｅｎ，  Ａｔｈａｎａｓｉｏｓ  Ｍｏｕｃｈｔａｒｉｓ：  Ｏｎ  ｔｈｅ  Ｍｕｌｔｉｃｈａｎｎｅｌ  Ｓｉｎｕｓｏｉｄａｌ  Ｍｏｄｅｌ  ｆｏｒ  Ｃｏｄｉｎｇ  Ａｕｄｉｏ  Ｏｂｊｅｃｔ  Ｓｉｇｎａｌｓ．−ＡＥＳ  Ｃｏｎｖｅｎｔｉｏｎ  Ｐａｐｅｒ  ８４１８
【発明の概要】
【発明が解決しようとする課題】
【００１６】
本発明の一つの課題は、計算した遅延時間差が、それをステレオ音響化するモノラル信号に適用する前に、ゼロよりも大きい時間パラメータ（ｓ）と乗算され、それによって新たな遅延時間差（ＬＡ’＝ＬＡ＊ｓ，ＬＢ’＝ＬＢ＊ｓ；Ｌα’＝Ｌα＊ｓ，Ｌβ’＝Ｌβ＊ｓ）とする、モノラル信号をステレオ音響化する、或いは疑似ステレオ信号を取得するための方法を提案することである。
【００１７】
本発明の別の課題は、特許文献２の場合においてステレオ音響化する信号の指向特性を規定するパラメータｆ（又はｎ）、主軸と音源により規定される手動で、或いは測定により検出する角度φ、仮想的な左開口角α、仮想的な右開口角β及び与えられたステレオ信号を生成するための減衰率λ又はρの外に、或いは特許文献３の場合において主軸と音源により規定される角度φ及び与えられたステレオ信号を生成するための減衰率λ又はρの外に、更に別のパラメータｓを導入することである。そのパラメータは、（特許文献２の場合には）遅延時間差Ｌα及びＬβ、或いは（特許文献３の場合には）遅延時間差ＬＡ及びＬＢと乗算されて、古い遅延時間差Ｌα及びＬβ、或いはＬＡ及びＬＢと置き換わる（特許文献２の場合には）新たな遅延時間差Ｌα’及びＬβ’、或いは（特許文献３の場合には）新たな遅延時間差ＬＡ’及びＬＢ’を決定するものである。
【課題を解決するための手段】
【００１８】
従って、基本的に任意のｓ＞０に関して、先ずは次の式が成り立つ。
（特許文献２の場合）
（１Ｄ）Ｌα’＝Ｌα＊ｓ＝｛−ｆ（α）／（２ｓｉｎα）＋√［ｆ２（α）／（４ｓｉｎ２α）＋ｆ２（φ）−（ｆ（α）＊ｆ（φ）＊ｓｉｎφ）／ｓｉｎα］｝＊ｓ
及び
（２Ｄ）Ｌβ’＝Ｌβ＊ｓ＝｛−ｆ（β）／（２ｓｉｎβ）＋√［ｆ２（β）／（４ｓｉｎ２β）＋ｆ２（φ）＋（ｆ（β）＊ｆ（φ）＊ｓｉｎφ）／ｓｉｎβ］｝＊ｓ
或いは
（特許文献３の場合）
（３Ｄ）ＬＡ’＝ＬＡ＊ｓ＝［√（５／４−ｓｉｎφ）−１／２］＊ｓ
及び
（４Ｄ）ＬＢ’＝ＬＢ＊ｓ＝［√（５／４＋ｓｉｎφ）−１／２］＊ｓ
【００１９】
ｓの選択は、現実が示す通り簡単なことではない。小さ過ぎるｓを選択すると、目標とする疑似ステレオ音響効果が消滅し、大き過ぎるｓを選択すると、邪魔なアーチファクトが発生する。例えば、ｓを１００ミリ秒とすると、特許文献２〜５、１１又は１２による装置又は方法に関して、従来のＭＳ録音技術と同じ品質を示す理想的な疑似ステレオ信号が得られる。
【００２０】
実験は、全体としてｓの理想的な範囲が２９ミリ秒と１４６ミリ秒の間に有ることを示している。
【００２１】
従って、ユーザに有利な本発明の変化形態は、ｓ＞０を自由に選択する手法である。同じく、特許文献２〜５、１１又は１２に記載の装置、方法又はシステムによって、新たなパラメータｓを自動又は対話方式により決定できる。例えば、図１５Ｄには、ステレオ音響化する信号の指向特性を規定するパラメータｆ（又はｎ）、主軸と音源により規定される手動で、或いは測定により検出する角度φ、仮想的な左開口角α及び仮想的な右開口角βの外に、（ｘ（ｔ）が時点ｔでの左側の入力信号の関数値を表し、ｙ（ｔ）が時点ｔでの右側の入力信号の関数値を表すとした）ステレオオーディオ信号ｘ（ｔ），ｙ（ｔ）に関する次の伝達関数の合計に直接的な影響を与える新たなパラメータｓもｆ（又はｎ）、φ、α、βと同様に反復して最適化される。
【００２２】
詳細には、そのことは、ステレオ又は疑似ステレオ信号を生成する際のベースとなる各パラメータを自動的かつ最適に選定すること、或いは特に、パラメータ（φ、λ、ρ、ｆ（又はｎ）、α、β及びここでの新たなｓ）を、その取得時に自動的かつ最適に決定するための方法と装置を意味する。
【００２３】
そのような方法又はそのような装置を用いて、特に、疑似ステレオの、複数の無相関の信号の変化形態から、無相関が特に有利であると分かった信号の変化形態を選定する。
【００２４】
特に、異なる特性（例えば、音楽録音と比べた音声録音）の信号を最適に再生できるようにするために、出来る限り効率的でコンパクトな形で選択用の判断基準自体を調節することができる。
【００２５】
特許文献５では、一つの観点において、ステレオ変換器により疑似ステレオ出力信号ｘ（ｔ）とｙ（ｔ）を得るための装置と方法が提案されており、ｘ（ｔ）は、時点ｔで与えられた左の出力チャネルの関数値を表し、ｙ（ｔ）は時点ｔで与えられた右の出力チャネルの関数値を表し、そのような取得は、＜ｘ（ｔ），ｙ（ｔ）＞が所定の定義範囲内となるまで反復して最適化される。
【００２６】
しかし、ドロップアウト又はそれと同様の欠陥が生じている場合、個々の点が僅かに定義範囲外に存在する可能性が有る。その場合、そのような取得は、＜ｘ（ｔ），ｙ（ｔ）＞の一部が所定の定義範囲内となるまで反復して最適化される。
【００２７】
望ましい定義範囲は、有利には、単一の数値パラメータａによって決定され、有利には、０≦ａ≦１である。このパラメータと、そのため定義範囲とは、例えば、次の不等式によって、
Ｒｅ２｛ｆ＊［ｘ（ｔ］＋ｇ＊［ｙ（ｔ）］｝＊１／ａ２＋Ｉｍ２｛ｆ＊［ｘ（ｔ］＋ｇ＊［ｙ（ｔ）］｝≦１
有効に決定することができ、出力信号ｘ（ｔ），ｙ（ｔ）の複素伝達関数ｆ＊［ｘ（ｔ）］及びｇ＊［ｙ（ｔ）］に関して、次の式が成り立つ。
ｆ＊［ｘ（ｔ）］＝［ｘ（ｔ）／√２］＊（−１＋ｉ）
及び
ｇ＊［ｙ（ｔ）］＝［ｙ（ｔ）／√２］＊（１＋ｉ）
ユーザは、（出力信号ｘ（ｔ），ｙ（ｔ）の最大レベルが単位円に関して正規化されている場合に）複素数平面又は虚軸の単位円を出発点として、パラメータａ（０≦ａ≦１）に基づき、そのような定義範囲を任意に決定することができる。
【００２８】
この原理は、複素数平面の単位円以外の座標系を選定して、別の新しい定義範囲を定義した場合でも有効である。そのため、「定義範囲」とは、一般的に、全体として＜ｘ（ｔ），ｙ（ｔ）＞を完全に、或いは（例えば、所謂ドロップアウトを有する欠陥の有る録音の場合に）部分的に含む、出力信号ｘ（ｔ），ｙ（ｔ）の＜ｘ（ｔ），ｙ（ｔ）＞に関して許容される値の範囲であると理解する。
【００２９】
有利な変化形態では、出力信号（ｘ（ｔ）とｙ（ｔ））の相関度が正規化される。有利な変化形態では、与えられた左と右チャネルの最大レベルが正規化される。そのようにして、与えられた左と右チャネルの相関度又は最大レベルに影響を与えること無く、望ましい定義範囲を得るために、一定のパラメータを反復して最適化することができる。
【００３０】
｜＜ｘ（ｔ），ｙ（ｔ）＞｜に応じたφ、ｆ（又はｎ）、α、β及びここでの新たなｓの様々なパラメータ設定のための判断基準を規定することが有効である。従って、本発明では、そのために、｜＜ｘ（ｔ），ｙ（ｔ）＞｜に応じた相応の値の範囲を正規化して、それが、パラメータの最適化に関する判断基準となるようにする。
【００３１】
そのため、一つの実施構成では、一つの変換器により疑似ステレオ出力信号ｘ（ｔ）とｙ（ｔ）を得るための方法を提案し、ｘ（ｔ）は、時点ｔで与えられた左出力チャネルの関数値を表し、ｙ（ｔ）は、時点ｔで与えられた右出力チャネルの関数値を表し、これらの出力信号の複素伝達関数ｆ＊［ｘ（ｔ）］とｇ＊［ｙ（ｔ）］は、次の通り定義され、
ｆ＊［ｘ（ｔ）］＝［ｘ（ｔ）／√２］＊（−１＋ｉ）
ｇ＊［ｙ（ｔ）］＝［ｙ（ｔ）／√２］＊（１＋ｉ）
この取得は、次の判断基準が満たされるまで、反復して最適化される。
Ｒｅ２｛ｆ＊［ｘ（ｔ］＋ｇ＊［ｙ（ｔ）］｝＊１／ａ２＋Ｉｍ２｛ｆ＊［ｘ（ｔ］＋ｇ＊［ｙ（ｔ）］｝≦１
ここで、０≦ａ≦１は望ましい定義範囲を規定する。
【００３２】
特許文献２又は３による疑似ステレオ信号の取得方法では、常に非の打ち所の無いセンター信号を供給するとの事実が特徴的である。そのため、時間間隔［−Ｔ，Ｔ］及び左チャネルの出力信号ｘ（ｔ）と右チャネルの出力信号ｙ（ｔ）に関する次の短時間相関式をここに挿入する。
【００３３】
Ｔ
（１Ｂ）ｒ＝（１／２Ｔ）＊∫ｘ（ｔ）ｙ（ｔ）ｄｔ＊（１／ｘ（ｔ）ｅｆｆｙ（ｔ）ｅ
−Ｔ
ｆｆ）
前述した通り、φ、ｆ（又はｎ）、α、β及びここでの新たなｓの様々なパラメータ設定のために、画一的な相関度を取得するのが有効である。従って、本発明では、そのために、出力信号（ｘ（ｔ）とｙ（ｔ））の相関度を正規化する。この正規化は、有利には、λ（左の減衰率）又はρ（右の減衰率）を所定通り変化させることによって規定することができる。
【００３４】
ここで、この画一的な相関度に基づき、目標とする信号に対して、ユーザによって調節可能な判断基準による検査を系統的に実施することができる。
【００３５】
φ、ｆ（又はｎ）、α、β及びここでの新たなｓの様々なパラメータ設定のために、与えられた左と右チャネルの画一的な最大レベルを取得することも有効である。従って、図示されたシステムでは、そのために、与えられた左と右チャネルの最大レベルを正規化して、そのレベルがパラメータの最適化によって影響を受けないようにしている。
【００３６】
例えば、先ずは第一の論理素子を用いた、例えば、０ｄＢへの画一的な左信号Ｌと右信号Ｒの最大レベル制御を規定することが有効である。
【００３７】
φ、ｆ（又はｎ）、α、β及びここでの新たなｓの様々なパラメータ設定のために、＜ｘ（ｔ），ｙ（ｔ）＞又は｜＜ｘ（ｔ），ｙ（ｔ）＞｜に応じた判断基準を規定することも有効である。従って、本発明では、そのために、それぞれ相応の値の範囲を正規化して、それが、パラメータの最適化に関する判断基準となるようにする。
【００３８】
ｘ（ｔ）とｙ（ｔ）は、複素数平面の単位円内にマッピングされる。ここで、例えば、特許文献２又は３による装置の各出力信号の品質を推定するために、関数ｆ＊［ｘ（ｔ）］＋ｇ＊［ｙ（ｔ）］を詳しく調査する。ここでは、関数ｆ＊［ｘ（ｔ）］＋ｇ＊［ｙ（ｔ）］を解析する場合、二つの信号ｆ＊［ｘ（ｔ）］とｇ＊［ｙ（ｔ）］の如何なる無相関化も実軸上での偏位と等しい。
【００３９】
従って、ステレオ変換器の最適化は、例えば、｜Ｒｅ｛ｆ＊［ｘ（ｔ）］＋ｇ＊［ｙ（ｔ）］｝｜と｜Ｉｍ｛ｆ＊［ｘ（ｔ）］＋ｇ＊［ｙ（ｔ）］｝｜に関する前記の判断基準、即ち、以下の式に基づき行われ、
Ｒｅ２｛ｆ＊［ｘ（ｔ］＋ｇ＊［ｙ（ｔ）］｝＊１／ａ２＋Ｉｍ２｛ｆ＊［ｘ（ｔ］＋ｇ＊［ｙ（ｔ）］｝≦１
ここで、０≦ａ≦１は望ましい定義範囲を規定する。
【００４０】
この方法は、特に、特許文献２又は３による装置又は方法の出力信号の異なる特性の単一のパラメータ、即ち、ａを用いて、最適な計算を行っているので、特に有利であることが分かっている。このパラメータは、例えば、音声又は音楽を異なる形で手動又は自動処理するために、有利には、オーディオ信号の形式に応じて決定することができる。音声の場合、音楽録音の場合と異なり、ａにより決定される定義範囲は、例えば、切点での高周波の周辺雑音などのアーチファクトの擾乱のために、有利には大きく制限される。
【００４１】
更に、単一のパラメータａを制限する場合、単位円又は虚軸を出発点として、ｆ＊［ｘ（ｔ）］＋ｇ＊［ｙ（ｔ）］に関する如何なる最適なマッピング範囲も選定することができる。
【００４２】
本発明では、信号ｘ（ｔ）とｙ（ｔ）が前述した条件を満たさない場合、最適化するとの意味において、関数値ｘ［ｔ（φ，ｆ，α，β，ｓ）］とｙ［ｔ（φ，ｆ，α，β，ｓ）］又はｘ［ｔ（φ，ｎ，α，β，ｓ）］とｙ［ｔ（φ，ｎ，α，β，ｓ）］に適合した反復措置により、パラメータφ、ｆ（又はｎ）、α、β及びここでの新たなｓを新たに決定して、ｘ（ｔ）とｙ（ｔ）が前述した条件を満たすまで、これまでに説明した工程を実施する。
【００４３】
ここで、別の工程において、例えば、関数ｆ＊［ｘ（ｔ）］＋ｇ＊［ｙ（ｔ）］のレリーフをその関数値を最適化するとの意味で解析する。そのような措置が次の式の最適化と同じであることを示すことができ、
Ｔ
（６Ｂ）∫｜ｆ＊［ｘ（ｔ）］＋ｇ＊［ｙ（ｔ）］｜ｄｔ
−Ｔ
この式自体は、次の式の値以下である。
【００４４】
Ｔ  
（７ａＢ）∫ａ＊｛１／√［１−（１−ａ２）＊ｓｉｎ２  ａｒｇ｛ｆ＊［ｘ（ｔ）］
−Ｔ
＋ｇ＊［ｙ（ｔ）］｝］｝ｄｔ
この場合でも、この最大化に関する限界値Ｒ＊又は不等式（８ａＢ）により定義される偏差Δ（以下を参照）を式（８ａＢ）の範囲内で自由に選定できる手段がユーザの手に委ねられている。全体として、信号が取り得る変化形態ｘｊ（ｔ），ｙｊ（ｔ）の全数に関して、次の条件を満たさなければならない。
【００４５】
Ｔ
（８ａＢ）０≦Ｒ＊−Δ≦∫｜ｆ＊［ｘ（ｔ）］＋ｇ＊［ｙ（ｔ）］｜ｄｔ
−Ｔ
Ｔ
≦ｍａｘ｛ｆ＊［ｘｊ（ｔ）］，ｇ＊［ｙｊ（ｔ）］｝∈Φ∫｜ｆ＊［ｘｊ（ｔ）］＋ｇ
−Ｔ
＊［ｙｊ（ｔ）］｜ｄｔ
≦Ｒ＊＋Δ
Ｔ
≦∫ａ＊｛１／√［１−（１−ａ２）＊ｓｉｎ２ａｒｇ｛ｆ＊［ｘ（ｔ）］＋ｇ＊［ｙ−
−Ｔ
Ｔ（ｔ）］｝］｝ｄｔ
Ｒ＊とΔは、目標とする出力信号のラウドネス（即ち、聞き手もステレオ音響マッピングの有効性を判定するためのパラメータ）と直接的な関係を有する。
【００４６】
Δにより定義される限界値Ｒ＊の範囲又は全ての可能な積分されたレリーフの最大値が得られなかった場合、限界値Ｒ＊と偏差Δ又は（関数値ｘ［ｔ（φ，ｆ，α，β，ｓ）］とｙ［ｔ（φ，ｆ，α，β，ｓ）］又はｘ［ｔ（φ，ｎ，α，β，ｓ）］とｙ［ｔ（φ，ｎ，α，β，ｓ）］に適合した反復措置による）前記の最大値に関して最適化するとの意味で、新しいパラメータφ、ｆ（又はｎ）、α、β及びここでの新たなｓを決定して、最適なステレオ音響化に相当する信号ｘ（ｔ）とｙ（ｔ）又はパラメータφ、λ、ρ、ｆ（又はｎ）、α、β及びここでの新たなｓが得られるまで、これまでに説明した全ての工程を実施する。
【００４７】
相関度ｒ、（それぞれ望ましい定義範囲を規定する）パラメータａ及び限界値Ｒ＊とその偏差Δを相応に選定した場合、入力信号の各特性に関して、各適用範囲（例えば、音声又は音楽の再生）に最適なシステムを構成することができる。
【００４８】
しかし、特許文献１２に記載された代数的不変式（以下を参照）に基づき、次の通り、本発明の対象の一部である新たな重み付けを定義することができる。
【００４９】
そのために、長さｔの信号区間において、特許文献５、図１５Ｄ、２Ｂ、３Ｂ〜５Ｂによる第一の最適化を実施する。図５Ｂの出力は、例えば、図１６Ｄのモジュール６００１に供給され、（複素伝達関数ｆ＊［ｘ（ｔ１）］＝［ｘ（ｔ１）／√２］＊（−１＋ｉ）とｇ＊［ｙ（ｔ１）］＝［ｙ（ｔ１）／√２］＊（１＋ｉ）の合計と複素数平面の第一又は第三象限に有る（この場合、ここで説明した代数モデルのｘ１，ｕ１の軸は実軸と一致し、ｘ２，ｕ２の軸は虚軸と一致する）、ベクトル（１，１，−２）と（１，１，１）又は（−１，−１，２）と（１，１，１）により規定される半平面との交点ξｈ１において作り出された）不変式をその統計分布に関して解析する。全数ｋ１の全ての交点ξｈ１は、更に説明する動作フロー全体に関して適用されるメモリ（「スタック」）に保存されて、同様に、次の平均値が計算される。
【００５０】
ｋ１
ξ°１：＝（Σξｈ１）／ｋ１
ｈ１＝１
これは、前記の第一の最適化により決定したパラメータφ１，ｆ１（又はｎ１），α１，β１及びここでの新たなｓと共に、更に説明する動作フロー全体に関して適用される辞書に保存される。
【００５１】
ここで、第二の工程において、動作コマンド６００４に基づき、特許文献５、図１５Ｄ，２Ｂ，３Ｂ〜５Ｂによる第二の最適化が任意の長さの信号区間ｔ２に対して実施される。図５Ｂの出力は、又もや図１６Ｄのモジュール６００１に供給され、（複素伝達関数ｆ＊［ｘ（ｔ２）］＝［ｘ（ｔ２）／√２］＊（−１＋ｉ）とｇ＊［ｙ（ｔ２）］＝［ｙ（ｔ２）／√２］＊（１＋ｉ）の合計と複素数平面の第一又は第三象限に有る（この場合、ここで説明した代数モデルのｘ１，ｕ１の軸は実軸と一致し、ｘ２，ｕ２の軸は虚軸と一致する）、ベクトル（１，１，−２）と（１，１，１）又は（−１，−１，２）と（１，１，１）により規定される半平面との交点ξｈ２において作り出された）不変式をその統計分布に関して解析する。全数ｋ２の全ての交点ξｈ２は、更に説明する動作フロー全体に関して適用されるメモリ（「スタック」）内のξｈ１に追加されて、同様に、次の平均値が計算される。
【００５２】
ｋ２
ξ°２：＝（Σξｈ２）／ｋ２
ｈ２＝１
これは、又もや前記の第二の最適化により決定したパラメータφ２，ｆ２（又はｎ２），α２，β２、及びここでの新たなｓ２と共に、更に説明する動作フロー全体に関して適用される辞書内の第一の平均値ξ°１及びそのパラメータφ１，ｆ１（又はｎ１），α１，β１，ｓ１に追加される。ここで、このメモリ（「スタック」）は複数の平均値を保存しているので、図１６Ｄのモデル６００２が作動される。
【００５３】
それは、次の式により、スタックに保存されている全ての交点ξｈ１，，ξｈ２の平均値ξ＊２を計算して、辞書から、平均値ξ°１，ξ°２の中で、ξ＊２に最も近い平均値を、それに属するパラメータと共に選定する。
【００５４】
ｋ１      ｋ２
ξ＊２：＝（Σξｈ１＋Σξｈ２）／（ｋ１＋ｋ２）
ｈ１＝１  ｈ２＝１
それが二つの平均値ξ°１，ξ°２に関して満たされる場合、ξ°１又はパラメータφ１，ｆ１（又はｎ１），α１，β１が辞書から選定される。次に、辞書から選定された平均値は、ξ＊２と共にモジュール６００３に引き渡される。そのモジュールは、モジュール６００２により選定された平均値が区間［−σ＋ξ＊２，ξ＊２＋σ］内に有るか否かを検査し、ここで、σ＞０は、次の通り、零点としてのξ＊２において作り出された仮想的なガウス分布のユーザにより任意に選定可能な標準偏差を表す。
ｆｖ（ｚ２＊）＝（１／（√（２π）＊σ））＊ｅ−（１／２）＊（（（ｚ２＊−ξ＊２）＾２）／σ＾２）
【００５５】
図１６Ｄのモジュール６００２により選定された平均値が区間［−σ＋ξ＊２，ξ＊２＋σ］内に有る場合、図６Ｄ又は図１５Ｄの装置の（明確化のために再度説明するが、一回だけ通過する増幅器７１７とＭＳマトリックスを表す）部分６０１０におけるモジュール６００２により選定されたパラメータ又は図１５Ｄの出力６００６及び６００７が作動され、同様に図２Ｂの出力６００８及び６００９が作動される。出力６００６は図１６Ｄの入力６００６に合流し、出力６００７は図１６Ｄの入力６００７に合流し、出力６００８は図１６Ｄの入力６００８に合流し、出力６００９は図１６Ｄの入力６００９に合流する。図１６Ｄの符号６００６は図１６Ｄのモジュール６００３の出力信号ｘ（ｔ）自体を表し、図１６Ｄの符号６００７は図１６Ｄのモジュール６００３の出力信号ｙ（ｔ）自体を表し、図１６Ｄの符号６００８は図１６Ｄのモジュール６００３の出力信号Ｒｅ  ｆ＊［ｘ（ｔ）］＋ｇ＊［ｙ（ｔ）］自体を表し、図１６Ｄの符号６００９は図１６Ｄのモジュール６００３の出力信号Ｉｍ  ｆ＊［ｘ（ｔ）］＋ｇ＊［ｙ（ｔ）］自体を表す。これらの信号は、図５Ｂの出力信号を表すように、本発明の実施例の図１６Ｄにおいて分離できないユニットを構成する前述した別の信号処理部で処理される。
【００５６】
モジュール６００２により選定された平均値が区間［−σ＋ξ＊２，ξ＊２＋σ］外に有る場合、ｑ番目の工程において、特許文献５、図１５Ｄ，２Ｂ，３Ｂ〜５Ｂによるｑ回目の最適化が任意の長さの信号区間ｔｑに対して行われる。図５Ｂの出力は、又もや図１６Ｄのモジュール６００１に供給され、（複素伝達関数ｆ＊［ｘ（ｔ２）］＝［ｘ（ｔｑ）／√２］＊（−１＋ｉ）とｇ＊［ｙ（ｔｑ）］＝［ｙ（ｔｑ）／√２］＊（１＋ｉ）の合計と複素数平面の第一又は第三象限に有る（この場合、ここで説明した代数モデルのｘ１，ｕ１の軸は実軸と一致し、ｘ２，ｕ２の軸は虚軸と一致する）、ベクトル（１，１，−２）と（１，１，１）又は（−１，−１，２）と（１，１，１）により規定される半平面との交点ξｈｑにおいて作り出された）不変式をその統計分布に関して解析する。全数ｋｑの全ての交点ξｈｑは、更に説明する動作フロー全体に関して適用されるメモリ（「スタック」）内のξｈ１，ξｈ２，．．．，ξｈｑ−１に追加されて、同様に、次の平均値が計算される。
【００５７】
ｋｑ
ξ°ｑ：＝（Σξｈｑ）／ｋｑ
ｈｑ＝１
【００５８】
これは、又もや前記のｑ番目の最適化により決定したパラメータφｑ，ｆｑ（又はｎｑ），αｑ，βｑ、及びここでの新たなｓｑと共に、更に説明する動作フロー全体に関して適用される辞書内の平均値ξ°１，ξ°１，．．．，ξ°ｑ−１及びそれに付属するパラメータパラメータφ１，ｆ１（又はｎ１），α１，β１，ｓ１；φ２，ｆ２（又はｎ２），α２，β２，ｓ２；．．．；φｑ−１，ｆｑ−１（又はｎｑ−１），αｑ−１，βｑ−１，ｓｑ−１に追加される。ここで、このメモリ（「スタック」）は複数の平均値を保存しているので、図１６Ｄのモデル６００２が作動される。
【００５９】
そのモデルは、次の式により、スタックに保存されている全ての交点ξｈ１，，ξｈ２，，．．．，ξｈｑの平均値ξ＊ｑを計算して、辞書から、平均値ξ°１，ξ°２，．．．，ξ°ｑの中で、ξ＊ｑに最も近い平均値を、それに属するパラメータφ，ｆ（又はｎ），α，β及びここでの新たなｓと共に選定する。
【００６０】
ｋ１      ｋ２              ｋｑ
ξ＊ｑ：＝（Σξｈ１＋Σξｈ２＋．．．＋Σξｈｑ）／（ｋ１＋ｋ２＋．．．ｋｑ）
ｈ１＝１  ｈ２＝１          ｈｑ＝１
異なるパラメータに関する平均値が同じ場合、最も頻繁に辞書に存在するパラメータが選定される。複数のパラメータが同じ頻度で存在する場合、辞書において、最も広い分散を示す、即ち、ｄがそれぞれ通過する最適化工程の最後の指数を表し、ｃが最初の指数を表す場合に、差ｄ−ｃが最大となるパラメータが選定される。それが複数のパラメータに関して該当する場合、最初に存在するパラメータが選定される。ξ°１，ξ°２，．．．，ξ°ｑの中の二つの平均値がξ＊ｑに最も近く、ｑ−１番目の工程において、それらの二つの平均値の中の一方又はそれに付属するパラメータが辞書から選定されていた場合、正しくその平均値とそれに付属するパラメータが維持される。次に、辞書から選定された平均値は、ξ＊ｑと共に図１６Ｄのモジュール６００３に引き渡される。そのモジュールは、図１６Ｄのモジュール６００２により選定された平均値が区間［−σ＋ξ＊ｑ，ξ＊ｑ＋σ］内に有るか否かを検査し、ここで、σ＞０は、次の通り、零点としてのξ＊２において作り出された仮想的なガウス分布の（ここで説明したプロセス全体の最初にユーザにより任意に選定可能な）標準偏差を表す。
ｆｖ（ｚｑ＊）＝（１／（√（２π）＊σ））＊ｅ−（１／２）＊（（（ｚｑ＊−ξ＊ｑ）＾２）／σ＾２）
【００６１】
図１６Ｄのモジュール６００２により選定された平均値が区間［−σ＋ξ＊ｑ，ξ＊ｑ＋σ］内に有る場合、図６Ｄ又は図１５Ｄの装置の部分６０１０におけるモジュール６００２により選定されたパラメータ又は図１Ｂの出力６００６及び６００７が作動され、同様に図１５Ｄの出力６００８及び６００９とそれに対応する図１６Ｄの入力及び出力が作動される。図１６Ｄの符号６００６は、又もや図１６Ｄのモジュール６００３の出力信号ｘ（ｔ）自体を表し、図１６Ｄの符号６００７は図１６Ｄのモジュール６００３の出力信号ｙ（ｔ）自体を表し、図１６Ｄの符号６００８は図１６Ｄのモジュール６００３の出力信号Ｒｅ  ｆ＊［ｘ（ｔ）］＋ｇ＊［ｙ（ｔ）］自体を表し、図１６Ｄの符号６００９は図１６Ｄのモジュール６００３の出力信号Ｉｍ  ｆ＊［ｘ（ｔ）］＋ｇ＊［ｙ（ｔ）］自体を表す。これらの信号は、又もや図５Ｂの出力信号を表すように、本発明の実施例の図１６Ｄにおいて分離できないユニットを構成する以下の別の信号処理部で処理される。
【００６２】
図１６Ｄのモジュール６００２により選定された平均値が区間［−σ＋ξ＊ｑ，ξ＊ｑ＋σ］外に有る場合、ｑ＋１番目の工程において、ｑ＋１回目の最適化がｑ番目の工程及びｑ回目の最適化での説明と同様の形態で行われる。このプロセスは、辞書の一つの構成要素が前記の用件を満たすか、或いは許容される最適化工程の最大回数に到達するまで続けられる。
【００６３】
図５Ｃは、三つの最適化工程に関して、前述した重み関数の収斂挙動を図示している。この場合、符号５００１は第一の平均値ξ°１を表し、符号５００２は第二の平均値ξ°２を表し、符号５００３は零点としてのξ＊２において作り出された、次の第一の仮想的なガウス分布を表し、
ｆｖ（ｚ２＊）＝（１／（√（２π）＊σ））＊ｅ−（１／２）＊（（（ｚ２＊−ξ＊２）＾２）／σ＾２）
ここで、σ＞０は、ここで説明したプロセス全体の最初にユーザにより任意に選択可能な標準偏差を表し、符号５００４は、第三の平均値ξ°３を表し、その平均値は、零点としてのξ°３において作り出された、同じ標準偏差の仮想的なガウス分布５００５のσにより定義される変曲点内に有り、そのため前記の収斂基準を満たす。
【００６４】
如何なる場合でも、平均的に全ての代数的不変式に関して最適な疑似ステレオ音響マッピングを提供するパラメータφ、ｆ（又はｎ）、α、β及びここでの新たなｓが得られる。
【００６５】
信号区間の数を増やすと、それぞれ解析している半平面上における代数的不変式と複素数平面との交点ξの分布がガウス分布と似てくる。標準偏差σを小さくする程、得られるパラメータが理想的となる。しかし、有限数の信号区間だけを与えれば、σを小さく選定する必要はない。
【００６６】
それにも関わらず、代数的不変式は、初めて重み付けに関して有効な「拠り所」として既に説明したパラメータを提供するので、図１６Ｄに図示された方法は、充分な長さの信号区間に対する収斂に関して、前記のシミュレーションモデルよりも明らかに速い。
【００６７】
本発明による装置において、特許文献２〜５、１１又は１２に基づき、（特許文献３に関して、以下の図面のパラメータをｆ（φ）＝ｆ（α）＝ｆ（β）＝１，ｓｉｎφ＝０，ｓｉｎα＝ｓｉｎβ＝１の通り置き換えた）特殊な場合φ＝０、（特許文献３に関する）特殊な場合Ｌα＝Ｌβ又は（特許文献２に関する）特殊な場合ＬＡ＝ＬＢだけを解析すると、図１７Ｄ又は図１９Ｄの形で簡略化した回路、図２０Ｄ、図２１Ｄ又は図２３Ｄの形で簡略化した回路、図２４Ｄ、図２５Ｄ又は図２７Ｄの形で簡略化した回路、図２８Ｄ、図Ｅ９又は図Ｅ１０の形で簡略化した回路、図Ｅ１１、図Ｅ１２又は図Ｅ１３の形で簡略化した回路、図Ｅ１４、図Ｅ１５又は図Ｅ１６の形で簡略化した回路、図Ｅ１７、図１８Ｄ、図２２Ｄ又は図２６Ｄの形で簡略化した回路が得られる。従って、特許文献３の場合、疑似ステレオ信号は、遅延時間差に関して、僅かに定数（√５−１）／２又はｓに依存するか、或いは増幅率に関して、定数又は減衰率λ又はρに依存し（下記を参照）、特許文献２の場合、新たなｓの外に、Ｌα＝Ｌβに依存するか、或いは増幅率に関して、Ｐα又はＰβ、ＰＭ’又はＰβ’、ＰＭ’’又はＰ’α（特許文献２を参照）、減衰率λ又はρ、増幅率１／λ、１／τ又はλ’に依存する（下記を参照）。
【００６８】
本発明による装置では、特許文献２〜５、１１又は１２、図Ｅ３〜Ｅ８、図９Ｄ〜１２Ｄ、図１３Ａ、図１４Ａ、図１３Ｄ、図１４Ｄ、図Ｅ１、図Ｅ２、或いは図１７Ｄ又は図１９Ｄの形の同様の図示された装置、図２０Ｄ、図２１Ｄ、図２３Ｄの簡略化された装置、図２４Ｄ、図２５Ｄ、図２７Ｄの簡略化された装置、図２８Ｄ、図Ｅ９、図Ｅ１０の簡略化された装置、図Ｅ１１〜Ｅ１３の簡略化された装置、図Ｅ１４〜Ｅ１６の簡略化された装置、図Ｅ１７、図１８Ｄ、図２２Ｄ、図２６Ｄの簡略化された装置に基づき、特許文献４、５、１１又は１２に代わる最適なパラメータφ、ｆ（又はｎ）、α、β、λ、ρ又はｓ、最適な遅延、或いはそれらのパラメータの組合せを決定するシステムを構成することができる。例えば、φ＝０に設定した場合、従って、α＝β、並びに更に、λ＝ρと仮定した場合、与えられた指向特性ｆに関して、α、β及びλの最適な値が次の通り計算され、重みを定義して、その重みが（複数のマイクロホンの仮想化が当然のことながら作用するので）０≦λ≦１の出来る限り小さい値を提供し、同じ重みを用いて、同様に出来る限り短い（アーチファクトを回避するための）遅延時間を提供するようにする。二つの判断基準は互いに両立しない、即ち、λの小さい値は、大きな仮想的な開口角αとβを有利とし、逆に、短い遅延時間は小さな仮想的な開口角αとβに対応する。
【００６９】
従って、事前に定めた、或いはユーザが任意に選択した目標とする相関度ｋ、事前に定めた、或いはユーザが任意に選択した、仮想的な開口角αとβの大きさに関する重みｐ（例えば、０≦ｐ≦１０）及びそのような相反する挙動を全体として均衡化する変数ｇ（α）を導入することができる。システム全体の高い安定性のためには、例えば、それぞれ５°のステップにより、仮想的な開口角α＝βを解析することができ、そのことは、相応に実装されたアルゴリズムに関して明らかに計算時間を低減することを意味する。
【００７０】
ｇ（α）は、遅延時間差Ｌα＝Ｌβを前提として（上記を参照）、例えば、次の通り定義することができる。
ｇ（α）：＝２＾（−２０＊（Ｌα＋Ｌβ））
そして、それに対応するαに依存する重み関数ｈ（α）は、例えば、次の通り定めることができる。
ｈ（α）：＝λ（α）＾ｐ＊ｇ（α）＾（１０−ｐ）
ここで、λ（α）は、例えば、図１Ｂの論理素子１２５又はフィードバック１２６によりそれぞれ決定される、所定の仮想的な開口角α＝βに関して目標とする相関度ｋのステレオ信号を提供する値と一致する。
【００７１】
ｐ＝０では、ｇ（α）は、専ら事前に定めた、或いはユーザが任意に選択した重みｐに基づき決定される最適な仮想的な開口角αｏｐｔ＝βｏｐｔの以下における計算に影響を与え、ｐ＝１０では、専らλ（α）に影響を与える。
【００７２】
ここで、最適な開口角αｏｐｔ及びβｏｐｔは、この例では次の式により計算され、この実際の応用例では区間［５°；９０°］に渡って、或いはアーチ形態では区間［π／３６；π／２］に渡って、次の通り積分される（実際の考察から、下記の積分は、５°ステップで計算した合計として解釈することができる）。
【００７３】
π／２                          π／２  
αｏｐｔ＝（∫α＊ｈ（α）ｄα＊π／３６）／∫ｈ（α）ｄα
π／３６                        π／３６  
【００７４】
ｈ（α）は、αとβの対称性と、φが０に等しいとの事実に基づき、専らαの関数として表すことができることに注意されたい。
【００７５】
ここで、最終的に、中間値を採ることもできるαｏｐｔ＝βｏｐｔに関して、λ（αｏｐｔ）の値は、例えば、αｏｐｔ＝βｏｐｔに対して、正確に目標とする相関度ｋのステレオ信号を提供する図１Ｂの論理素子１２５又はフィードバック１２６により決定される。
【００７６】
（無数の定義可能な重みを許容し、そのため包括的に表現できない）同じ原理は、本発明による特許文献２〜５、１１又は１２、図Ｅ３〜Ｅ８、図９Ｄ〜１２Ｄ、図１３Ａ、図１４Ａ、図１３Ｄ、図１４Ｄ、図Ｅ１、図Ｅ２に基づく装置、或いは図１７Ｄ又は図１９Ｄの形の同様の図示された装置、図２０Ｄ、図２１Ｄ、図２３Ｄの簡略化された装置、図２４Ｄ、図２５Ｄ、図２７Ｄの簡略化された装置、図２８Ｄ、図Ｅ９、図Ｅ１０の簡略化された装置、図Ｅ１１〜Ｅ１３の簡略化された装置、図Ｅ１４〜Ｅ１６の簡略化された装置、図Ｅ１７、図１８Ｄ、図２２Ｄ、図２６Ｄの簡略化された装置と関連して、Ｌα及びＬβ或いはＬα’及びＬβ’を用いて、システム全体で最適な立体感を決定するパラメータｓにも、更に、それ以外のパラメータにも拡張することができる。
【００７７】
特許文献２の場合におけるステレオ音響化する信号の指向特性を規定するパラメータｆ（又はｎ）、主軸と音源により規定される手動で、或いは測定により検出する角度φ、仮想的な左開口角α、仮想的な右開口角β、及び与えられたステレオ信号を生成するための減衰率λ又はρ、特許文献３の場合における主軸と音源により規定される角度φ及び与えられたステレオ信号を生成するための減衰率λ又はρ、或いは特許文献４、５、１１又は１２、図Ｅ３〜Ｅ８、図９Ｄ〜１２Ｄ、図１３Ａ、図１４Ａ、図１３Ｄ、図１４Ｄ、図Ｅ１、図Ｅ２による装置、図１７Ｄ又は図１９Ｄの形の同様の図示された装置、図２０Ｄ、図２１Ｄ、図２３Ｄの簡略化された装置、図２４Ｄ、図２５Ｄ、図２７Ｄの簡略化された装置、図２８Ｄ、図Ｅ９、図Ｅ１０の簡略化された装置、図Ｅ１１〜Ｅ１３の簡略化された装置、図Ｅ１４〜Ｅ１６の簡略化された装置、図Ｅ１７、図１８Ｄ、図２２Ｄ、図２６Ｄの簡略化された装置のパラメータと時間パラメータｓとの全体的な相互作用は、全体として一方では与えられたステレオ又は疑似ステレオ信号の立体的な感覚（音響パラメータ）に合わせることができ、他方では正確に立体的な感覚（音響パラメータ）に基づき厳密に規定すべき立体感を生じさせる。例えば、そのような立体感は、一次又は二次の主反射、或いは拡散音に依存する。特に、パラメータｓには、重要な意味が有る。
【００７８】
数学的なフィルター理論から、特に、所謂ウェーブレットと関連して、所謂インバースプロブレムとその解決策が知られている。それは、測定システム（例えば、画像を生成する光学カメラ又は磁気共鳴システム）の雑音に関係無く、高分解能の信号を取得できるシステムである。与えられた測定信号は、次の通り規定できる。
Ｙ［ｑ］＝Ｕｆ［ｑ］＋Ｗ［ｑ］
この場合、演算子Ｕは、測定システム特有の伝達関数を含み、ｆは、高分解能の信号を表し、Ｗは測定信号の雑音を表し、ｑは時間を表す。与えられた測定数が解析する（構成要素が取得する高分解能の信号である）複素空間の次元ｎを明らかに下回る場合、インバースプロブレムが悪化したと称する。
【００７９】
主反射は、この場合のステレオ音響化する入力信号を表す基本信号から導き出すことができる。興味深いことに、このインバースプロブレムの理論は、幾つかの要素を変更して、前記のステレオマッピングの空間パラメータを決定する問題に適用することができ、（基本信号が既知であるので）それは、如何なる場合でも新たな悪化したインバースプロブレムとはならず、そのため一義的な解決策を提示する。
【００８０】
先ずは、上記の式を次の式として解釈し、
Ｙ［ｑ］＝ＵＹ［ｑ−ｔ＊］＋Ｗ［ｑ］＋Ｄ［ｑ］
ここで、Ｙ［ｑ］は、時点ｑで得られるステレオ信号を表し、Ｙ［ｑ−ｔ＊］は、時点ｑ−ｔ＊で与えられたステレオ信号を表し、ｔ＊≧０であり，ｔ＊は、一次主反射に適用される遅延を表し、Ｗ［ｑ］は、残響の無い信号を表し、Ｄ［ｑ］は、その他の点を統計的に容易に想定できる一次主反射の無い残響を表す。ここで、演算子Ｕは、ステレオ信号Ｙ［ｑ−ｔ＊］に特有の伝達関数を含み、そのため、その信号は、一次主反射の音響特性を有する。
【００８１】
聞き手は真っ先に一次主反射により音響パラメータを判定するので、この分解は最適であることが分かる。
【００８２】
ここで、二つの用途を区別することができる。
【００８３】
第一の用途は、既に存在するステレオ信号Ｙ［ｑ］の音響パラメータに基づき疑似ステレオ信号Ｙ＊［ｑ］を新たに生成するとの最適化問題である。即ち、第一の工程において、前記の「高分解能の信号」が実際に信号Ｙ［ｑ］の一次主反射を最大化するｔ＊を調べ、次に、特許文献２の場合のステレオ音響化する信号の指向特性を規定するパラメータｆ（又はｎ）、主軸と音源により規定される手動で、或いは測定により検出する角度φ、仮想的な左開口角α、仮想的な右開口角β、及び与えられたステレオ信号を生成するための減衰率λ又はρ、特許文献３の場合の主軸と音源により規定される角度φ及び与えられたステレオ信号を生成するための減衰率λ又はρのパラメータ設定、或いは特許文献４、５、１１、１２、図Ｅ３〜Ｅ８、図９Ｄ、図１０Ｄ、図１１Ｄ、図１２Ｄ、図１３Ａ、図１４Ａ、図１３Ｄ、図１４Ｄ、図Ｅ１、図Ｅ２による装置、同様の図１７Ｄ、図１９Ｄ、簡略化された図２０Ｄ、図２１Ｄ、図２３Ｄ、簡略化された図２４Ｄ、図２５Ｄ、図２７Ｄ、簡略化された図２８Ｄ、図Ｅ９、図Ｅ１０、簡略化された図Ｅ１１、図Ｅ１２、図Ｅ１３、簡略化された図Ｅ１４、図Ｅ１５、図Ｅ１６、簡略化された図Ｅ１７、図１８Ｄ、図２２Ｄ、図２６Ｄに図示された形の装置のパラメータ設定を全体として次の考察に基づき時間係数ｓに関して最適化する。
【００８４】
Ｙ＊［ｑ］＝Ｕ＊Ｙ＊［ｑ−ｔ＊］＋Ｗ＊［ｑ］＋Ｄ＊［ｑ］との式は、前述した生成する疑似ステレオ信号Ｙ＊［ｑ］に関する第二の一義的に解決可能なインバースプロブレムを表し、ここで、Ｕ＊又はＤ＊は、前記の特許文献２の場合のステレオ音響化する信号の指向特性を規定するパラメータｆ（又はｎ）、主軸と音源により規定される手動で、或いは測定により検出する角度φ、仮想的な左開口角α、仮想的な右開口角β、減衰率λ又はρ、与えられたステレオ信号を生成するための時間パラメータｓ、特許文献３の場合の主軸と音源により規定される角度φ、減衰率λ又はρ、与えられたステレオ信号を生成するための時間パラメータｓ、或いは特許文献４、５、１１、１２、図Ｅ３〜Ｅ８、図９Ｄ、図１０Ｄ、図１１Ｄ、図１２Ｄ、図１３Ａ、図１４Ａ、図１３Ｄ、図１４Ｄ、図Ｅ１、図Ｅ２による装置、同様の図１７Ｄ、図１９Ｄ、簡略化された図２０Ｄ、図２１Ｄ、図２３Ｄ、簡略化された図２４Ｄ、図２５Ｄ、図２７Ｄ、簡略化された図２８Ｄ、図Ｅ９、図Ｅ１０、簡略化された図Ｅ１１、図Ｅ１２、図Ｅ１３、簡略化された図Ｅ１４、図Ｅ１５、図Ｅ１６、簡略化された図Ｅ１７、図１８Ｄ、図２２Ｄ、図２６Ｄに図示された形の装置のパラメータの関数に直接依存する。ここで、当初の式Ｙ［ｑ］＝ＵＹ［ｑ−ｔ＊］＋Ｗ［ｑ］＋Ｄ［ｑ］において、ＵをＵ＊で置き換え、ＤをＤ＊で置き換えると、特許文献２の場合の求める最適なステレオ音響化する信号の指向特性を規定するパラメータｆ（又はｎ）、軸と音源により規定される手動で、或いは測定により検出する角度φ、仮想的な左開口角α、仮想的な右開口角β、減衰率λ又はρ、与えられたステレオ信号を生成するための時間パラメータｓ、特許文献３の場合の求める最適な主軸と音源により規定される角度φ、減衰率λ又はρ、与えられたステレオ信号を生成するための時間パラメータｓ、或いは特許文献４、５、１１、１２、図Ｅ３〜Ｅ８、図９Ｄ、図１０Ｄ、図１１Ｄ、図１２Ｄ、図１３Ａ、図１４Ａ、図１３Ｄ、図１４Ｄ、図Ｅ１、図Ｅ２による装置、同様の図１７Ｄ、図１９Ｄ、簡略化された図２０Ｄ、図２１Ｄ、図２３Ｄ、簡略化された図２４Ｄ、図２５Ｄ、図２７Ｄ、簡略化された図２８Ｄ、図Ｅ９、図Ｅ１０、簡略化された図Ｅ１１、図Ｅ１２、図Ｅ１３、簡略化された図Ｅ１４、図Ｅ１５、図Ｅ１６、簡略化された図Ｅ１７、図１８Ｄ、図２２Ｄ、図２６Ｄに図示された形の装置の求める最適なパラメータを次の式に基づき理想的又はほぼ理想的な形で計算することができる。
Ｙ［ｑ］−Ｕ＊Ｙ［ｑ−ｔ＊］−Ｗ［ｑ］−Ｄ＊［ｑ］＝０
【００８５】
第二の用途では、疑似ステレオ信号Ｙ＊［ｑ］を最適化するためのステレオ信号Ｙ［ｑ］は存在しない。むしろ、ユーザの手には、特許文献２の場合のステレオ音響化する信号の指向特性を規定するパラメータｆ（又はｎ）、主軸と音源により規定される手動で、或いは測定により検出する角度φ、仮想的な左開口角α、仮想的な右開口角β、減衰率λ又はρ、与えられたステレオ信号を生成するための時間パラメータｓ、特許文献３の場合の主軸と音源により規定される角度φ、減衰率λ又はρ、与えられたステレオ信号を生成するための時間パラメータｓ、或いは特許文献４、５、１１、１２、図Ｅ３〜Ｅ８、図９Ｄ、図１０Ｄ、図１１Ｄ、図１２Ｄ、図１３Ａ、図１４Ａ、図１３Ｄ、図１４Ｄ、図Ｅ１、図Ｅ２による装置、同様の図１７Ｄ、図１９Ｄ、簡略化された図２０Ｄ、図２１Ｄ、図２３Ｄ、簡略化された図２４Ｄ、図２５Ｄ、図２７Ｄ、簡略化された図２８Ｄ、図Ｅ９、図Ｅ１０、簡略化された図Ｅ１１、図Ｅ１２、図Ｅ１３、簡略化された図Ｅ１４、図Ｅ１５、図Ｅ１６、簡略化された図Ｅ１７、図１８Ｄ、図２２Ｄ、図２６Ｄに図示された形の装置のパラメータを直接最適化する、即ち、実際に疑似ステレオマッピングの空間パラメータを直接制御するためのツールを与えるべきである。それは、次の式に基づき、理想的又はほぼ理想的な形で満足な結果が得られるまで最適化されるパラメータｔ＊、Ｕ＊又はＤ＊を直接制御することによって実現される。
Ｙ＊［ｑ］−Ｕ＊Ｙ＊［ｑ−ｔ＊］−Ｗ＊［ｑ］−Ｄ＊［ｑ］＝０
特に、Ｗ＊［ｑ］は、ステレオ音響化するモノラルの基本信号によって直接表すことができる。
【００８６】
Ｕ＊又はＤ＊を入手可能な演算子Ｕ又はＤの既存の辞書に適合させる場合、又もや下記の式を用いた前述した最適化問題の解決可能な第一の用途が得られる。
Ｙ＊［ｑ］−ＵＹ＊［ｑ−ｔ＊］−Ｗ＊［ｑ］−Ｄ［ｑ］＝０
【００８７】
既に存在するステレオ信号Ｙ［ｑ］の音響パラメータに基づき疑似ステレオ信号Ｙ＊［ｑ］を新たに生成する最適化問題の第一の用途に関する別の判断基準は、従来技術に属する空間オーディオオブジェクト符号化（ＳＡＯＣ）を提供することができる。この場合、空間演算子Ｕ，Ｄ又はＵ＊，Ｄ＊の外に、例えば、Ｙ＊［ｑ］とＹ［ｑ］の正弦モデル、即ち、ＳＡＯＣにおいてローカリゼーションに関与するスペクトル成分も比較される。特に、そのような正弦モデルの偏差を互いに定量化することができる。そして、特許文献２の場合のステレオ音響化する信号の指向特性を規定するパラメータｆ（又はｎ）、主軸と音源により規定される手動で、或いは測定により検出する角度φ、仮想的な左開口角α、仮想的な右開口角β、減衰率λ又はρ、与えられたステレオ信号を生成するための時間パラメータｓ、特許文献３の場合の主軸と音源により規定される角度φ、減衰率λ又はρ、与えられたステレオ信号を生成するための時間パラメータｓ、或いは特許文献４、５、１１、１２、図Ｅ３〜Ｅ８、図９Ｄ、図１０Ｄ、図１１Ｄ、図１２Ｄ、図１３Ａ、図１４Ａ、図１３Ｄ、図１４Ｄ、図Ｅ１、図Ｅ２による装置、同様の図１７Ｄ、図１９Ｄ、簡略化された図２０Ｄ、図２１Ｄ、図２３Ｄ、簡略化された図２４Ｄ、図２５Ｄ、図２７Ｄ、簡略化された図２８Ｄ、図Ｅ９、図Ｅ１０、簡略化された図Ｅ１１、図Ｅ１２、図Ｅ１３、簡略化された図Ｅ１４、図Ｅ１５、図Ｅ１６、簡略化された図Ｅ１７、図１８Ｄ、図２２Ｄ、図２６Ｄに図示された形の装置のパラメータは、その偏差が一方では最小となり、他方では理想的又はほぼ理想的な形で次の式を満たすように選定される。
Ｙ［ｑ］−Ｕ＊Ｙ［ｑ−ｔ＊］−Ｗ［ｑ］−Ｄ＊［ｑ］＝０
【００８８】
ステレオ又は疑似ステレオ出力信号の左及び／又は右チャネルの後に接続することによって、モノラル信号における３ｄＢ上昇したセンター音源を解消するとともに、ステレオ又は疑似ステレオサウンドマッピングを変化させるために、所謂オールパスフィルタを使用できることは従来技術である。基本的には、例えば、合算又は引き算によって、そのようなオールパスフィルタの出力信号を新たなステレオ又は疑似ステレオ信号として組み合わせることもできる（例えば、特許文献８を参照）。それを三つ以上のチャネルのステレオ又は疑似ステレオ信号に適用することも同じく可能である。そのようなオールパスフィルタは、その文献では一次、二次又はｎ次のオールパスフィルタとして規定されており、そのモノラル、ステレオ又は疑似ステレオ信号への適用全体が同じく従来技術であり、有利には、ここで説明した、或いはここで引用した幾つかのシステムと協力して動作する。それらは、ここで説明した、或いはここで引用した幾つかの回路構成により得られるステレオ又は疑似ステレオ信号を更に処理するために使用するだけでなく、更に、ここで説明した、或いはここで引用した幾つかの回路構成に直接何重にも統合することもでき、それも同じく従来技術により行なわれる。一次のオールパスフィルタの基本回路の例は図１Ｆに図示され、二次のオールパスフィルタの基本回路の例は図２Ｆに図示されている。
【００８９】
同様に、更にステレオ又は疑似ステレオ信号の位相差の調整を可能な位相コントローラを用いることができる。そのような位相コントローラも、ここで説明した、或いはここで引用した幾つかの回路構成により得られるステレオ又は疑似ステレオ信号を更に処理するために使用するだけでなく、更に、ここで説明した、或いはここで引用した幾つかの回路構成に直接何重にも統合することもでき、それも同じく従来技術により行なわれる。同様に、それを三つ以上のチャネルのステレオ又は疑似ステレオ信号に適用することも可能である。位相コントローラの基本的な回路構成の例が図３Ｆに図示され、そこでは、正弦信号に関して簡略化した形で図示されている。
【００９０】
その無数の可能な実施形態の最も簡単な例は、例えば、図４Ｆに図示され、そこでは、例えば、特許文献２〜５、１２、本発明による図Ｅ３〜Ｅ８、図９Ｄ、図１０Ｄ、図１１Ｄ、図１２Ｄ、図１３Ａ、図１４Ａ、図１３Ｄ、図１４Ｄ、図Ｅ１、図Ｅ２の装置、或いは図１７Ｄ、図１９Ｄ、簡略化された図２０Ｄ、図２１Ｄ、図２３Ｄ、簡略化された図２４Ｄ、図２５Ｄ、図２７Ｄ、簡略化された図２８Ｄ、図Ｅ９、図Ｅ１０、簡略化された図Ｅ１１、図Ｅ１２、図Ｅ１３、簡略化された図Ｅ１４、図Ｅ１５、図Ｅ１６、簡略化された図Ｅ１７、図１８Ｄ、図２２Ｄ、図２６Ｄに図示された構成の装置の疑似ステレオ出力信号の左及び右チャネルの後に、それぞれ一つのオールパスフィルタが接続されている。特許文献２〜５、１１、１２、本発明による図Ｅ３〜Ｅ８、図９Ｄ、図１０Ｄ、図１１Ｄ、図１２Ｄ、図１３Ａ、図１４Ａ、図１３Ｄ、図１４Ｄ、図Ｅ１、図Ｅ２の装置、或いは図１７Ｄ、図１９Ｄ、簡略化された図２０Ｄ、図２１Ｄ、図２３Ｄ、簡略化された図２４Ｄ、図２５Ｄ、図２７Ｄ、簡略化された図２８Ｄ、図Ｅ９、図Ｅ１０、簡略化された図Ｅ１１、図Ｅ１２、図Ｅ１３、簡略化された図Ｅ１４、図Ｅ１５、図Ｅ１６、簡略化された図Ｅ１７、図１８Ｄ、図２２Ｄ、図２６Ｄに図示された構成の装置の疑似ステレオ出力信号がセンター音源の良好な強勢を有する一方、例えば、図４Ｆは、音源の良好なローカリゼーション時に相応の拡散を提供する。
【００９１】
移相器を用いる無数の可能な実施形態の最も簡単な例は、例えば、図５Ｆに図示されており、そこでは、例えば、特許文献２〜５、１１、１２、本発明による図Ｅ３〜Ｅ８、図９Ｄ、図１０Ｄ、図１１Ｄ、図１２Ｄ、図１３Ａ、図１４Ａ、図１３Ｄ、図１４Ｄ、図Ｅ１、図Ｅ２の装置、或いは図１７Ｄ、図１９Ｄ、簡略化された図２０Ｄ、図２１Ｄ、図２３Ｄ、簡略化された図２４Ｄ、図２５Ｄ、図２７Ｄ、簡略化された図２８Ｄ、図Ｅ９、図Ｅ１０、簡略化された図Ｅ１１、図Ｅ１２、図Ｅ１３、簡略化された図Ｅ１４、図Ｅ１５、図Ｅ１６、簡略化された図Ｅ１７、図１８Ｄ、図２２Ｄ、図２６Ｄに図示された構成の装置の疑似ステレオ出力信号の左及び右チャネルの後に、一つの位相コントローラが接続されており、そのため、調整可能な拡散を提供する。
【００９２】
以下において、図面を参照して、本発明の異なる実施構成を例示して説明する。
【図面の簡単な説明】
【００９３】
【図１Ａ】周知のパノラマ電位差計の基本回路図
【図１Ｂ】（ＭＳマトリックスの前に配置された増幅器を通過する前の）入力信号ＭとＳを図１０Ｂの後に任意に接続できる図７Ｂの回路に任意に供給できる、ステレオ変換器（例えば、特許文献２又は３によるステレオ変換器）の出力信号のレベルを正規化する、或いは相関度を正規化するための二つの論理素子に関する回路例の図
【図１Ｃ】マッピングＳ、Ｓ‘及びΣ’に関する無極性条件を示すグラフ
【図１Ｄ】本発明に基づきパラメータｓを拡張した特許文献３による回路図
【図１Ｆ】従来技術に属する一次のオールパスフィルタの回路図
【図２Ａ】オーバーベース領域及びそれに対応するマッピング角を図示しない形のパノラマ電位差計の左及び右チャネルの減衰グラフ
【図２Ｂ】与えられた信号ｘ（ｔ）、ｙ（ｔ）を伝達関数ｆ＊［ｘ（ｔ）］及びｇ＊［ｙ（ｔ）］を用いて複素数平面上にマッピングするか、或いはその合計ｆ＊［ｘ（ｔ）］＋ｇ＊［ｙ（ｔ）］の偏角を求めるための回路例の図
【図２Ｃ】対応する複素数平面の第一象限の視点から見たデカルト座標システムｘ１＝ｕ１、ｘ２＝ｕ２、ｘ３＝ｕ３に関するマッピングＳ、Ｓ‘及びΣ’のグラフ
【図２Ｄ】本発明に基づきパラメータｓによって拡張した特許文献２又は４による第一の回路図
【図２Ｆ】従来技術に属する二次のオールパスフィルタの回路図
【図３Ａ】ステレオ変換から得られた左チャネルＬ‘又は右チャネルＲ’をそれぞれ共通の母線ＬとＲを備えた一つのパノラマ電位差計に供給する特許文献４による装置又は方法の第一の実施構成図
【図３Ｂ】パラメータａを用いて定義範囲を選択するための回路例の図
【図３Ｃ】同じく、対応する複素数平面の第一象限の視点から見たデカルト座標システムｘ１＝ｕ１、ｘ２＝ｕ２、ｘ３＝ｕ３に関するマッピングＳ、Ｓ‘及びΣ’のグラフ
【図３Ｄ】本発明に基づきパラメータｓによって拡張した特許文献２又は４による第二の回路図
【図３Ｆ】従来技術に属する移相器の回路図
【図４Ａ】ステレオ変換から得られた左チャネルＬ‘又は右チャネルＲ’をそれぞれ共通の母線ＬとＲを備えた一つのパノラマ電位差計に供給する特許文献４による装置又は方法の第二の実施構成図
【図４Ｂ】図１Ｂにより生成され、図２Ｂにより複素数平面上にマッピングされた信号を図３Ｂに基づき新たにパラメータａにより定義された許容される定義範囲を条件Ｒｅ２｛ｆ＊［ｘ（ｔ］＋ｇ＊［ｙ（ｔ）］｝＊１／ａ２＋Ｉｍ２｛ｆ＊［ｘ（ｔ］＋ｇ＊［ｙ（ｔ）］｝≦１に基づき検査するための第三の論理素子に関する回路例の図
【図４Ｃ】対応する複素数平面の第四象限の視点から見たデカルト座標システムｘ１＝ｕ１、ｘ２＝ｕ２、ｘ３＝ｕ３に関するマッピングＳ、Ｓ‘及びΣ’のグラフ
【図４Ｄ】本発明に基づきパラメータｓによって拡張した特許文献２又は４による第三の回路図
【図４Ｆ】特許文献２〜５、１１又は１２による本発明の装置のステレオ又は疑似ステレオ出力信号の左又は右チャネルにそれぞれオールパスフィルタを後置した簡単な回路図
【図５Ａ】ステレオ変換から得られた左チャネルＬ‘又は右チャネルＲ’をそれぞれ共通の母線ＬとＲを備えた一つのパノラマ電位差計に供給する特許文献４による装置又は方法の第三の実施構成図
【図５Ｂ】ユーザが最大化のために不等式（８ａＢ）により定義される限界値Ｒ＊又は不等式（８ａＢ）により同じく定義される偏差Δを自由に選択できる、関数ｆ＊［ｘ（ｔ）］＋ｇ＊［ｙ（ｔ）］のレリーフをその関数値を最大化するとの意味で最終的に解析するための第四の論理素子に関する回路例の図
【図５Ｃ】ここでは、例えば、複素数平面上にマッピングした三つの同じ長さの疑似ステレオ信号部分とベクトル（１，１，−２）及び（１，１，１）又は（−１，−１，２）及び（１，１，１）により規定される平面との第一又は第三象限における交点の平均値に基づきパラメータφ、ｆ（又はｎ）、α、βを最適化する重み関数の収斂挙動を示すグラフ
【図５Ｄ】本発明に基づきパラメータｓによって拡張した特許文献２又は４による第一の回路の第一の変化形態の図
【図５Ｆ】右の入力信号を出力信号として調整せずに保持した結果、修正したステレオ又は疑似ステレオ信号が得られる、特許文献２〜５、１１又は１２による本発明の装置のステレオ又は疑似ステレオ出力信号の左又は右チャネルにそれぞれオールパスフィルタを後置した簡単な回路図
【図６Ａ】ＭＳマトリックスを僅かに改修してパノラマ電位差計の後続を不要とした図３Ａと同様の回路を備えた特許文献４による装置又は方法の第四の実施構成図
【図６Ｂ】信号のローカライズ形態を求めるための図１０Ｂによる回路に引き渡される前の既に存在するステレオ信号用の入力回路図
【図６Ｃ】この例では、全体の回路構成内で、図６Ｃの出力が図５Ｂの何れかとなるように処理され、ここで、図６Ｃの回路がその前に接続されたオーディオ信号の異なる部分のための素子を通るように作用し、その結果が複素数平面上にマッピングされた信号部分とベクトル（１，１，−２）及び（１，１，１）又は（−１，−１，２）及び（１，１，１）により規定される平面との第一又は第三象限における交点の平均値に基づき最適化されたパラメータ形態φ、ｆ、α、βである、図５Ｂによる回路の直後に接続でき、その回路と共に本実施例で切り離すことができないユニットを構成する、代数的不変式に基づき疑似ステレオ信号を最適化するための以下で説明する回路例の図
【図６Ｄ】本発明に基づきパラメータｓによって拡張した特許文献２又は４による第一の回路の第二の変化形態の図
【図６Ｆ】ステレオ２／０形式へのダウンミックス後にほぼ（増幅された）信号Ｌ，Ｒとなり、モノラル１／０形式へのダウンミックス後にほぼ（増幅された）信号Ｍとなる非特許文献４に基づく５チャネル信号の符号変換の原理図
【図７Ａ】図３Ａに図示されたパノラマ電位差計の逆比例する減衰量λ及びρに関して関係式λ＝ρが成り立つ場合の図３Ａ又は図６Ａと同等の回路図
【図７Ｂ】パラメータｚが入力信号として与えられ、増幅率λの初期値がパラメータｚを引き渡された場合の図１Ｂの増幅率λの最終値と一致する、図１０Ｂによる回路の後に接続された場合に動作する、ステレオ又は疑似ステレオ信号を正規化するための回路の別の例の図
【図７Ｃ】入力信号ｓ１（ｔｉ），ｓ２（ｔｉ），．．．，ｓδ（ｔｉ）の二乗平均エネルギーと定義可能な重みＧ１，Ｇ２，．．．，Ｇδの決定に基づき、これらの入力信号の正規化を行い、次に、これらの入力信号の一つの結合ｆ＾（ｔ）又は複数の結合ｆ１＾（ｔ），ｆ２＾（ｔ），．．．，ｆｐ＾（ｔ）の不変式を求めるための回路例の図
【図７Ｄ】本発明に基づきパラメータｓによって拡張した、図４Ａに図示されたパノラマ電位差計の逆比例する減衰量λ及びρに関して関係式λ＝ρが成り立つ場合の図４Ａ又は図１３Ａと同等の回路図
【図７Ｆ】ステレオ２／０形式へのダウンミックス後には確かに（増幅された）信号Ｌ，Ｒと一致しないが、モノラル１／０形式へのダウンミックス後には正確に（増幅された）信号Ｍと一致する非特許文献４に基づく５チャネル信号の符号変換の原理図
【図８Ａ】ステレオ変換器の出力信号レベルを正規化するための図７Ａによる回路を拡張した回路図
【図８Ｂ】与えられた信号ｘ（ｔ）、ｙ（ｔ）を伝達関数ｆ＊［ｘ（ｔ）］及びｇ＊［ｙ（ｔ）］を用いて複素数平面上にマッピングするための回路例の図
【図８Ｄ】本発明に基づきパラメータｓによって拡張した、図５Ａに図示されたパノラマ電位差計の逆比例する減衰量λ及びρに関して関係式λ＝ρが成り立つ場合の図５Ａ又は図１４Ａと同等の回路図
【図８Ｆ】ステレオ２／０形式へのダウンミックス後にほぼ（増幅された）信号Ｌ，Ｒとなり、モノラル１／０形式へのダウンミックス後にほぼ（増幅された）信号Ｌ＋Ｒとなる非特許文献４に基づく５チャネル信号の符号変換の原理図
【図９Ａ】図８Ａの拡張形態としての、与えられた信号ｘ（ｔ）、ｙ（ｔ）を伝達関数ｆ＊［ｘ（ｔ）］＝［ｘ（ｔ）／√２］＊（−１＋ｉ）及びｇ＊［ｙ（ｔ）］＝［ｙ（ｔ）／√２］＊（１＋ｉ）の合計として複素数平面上にマッピングするための回路例の図
【図９Ｂ】オーディオ信号のマッピング幅を合わせるための回路例の図
【図９Ｄ】本発明に基づきパラメータｓによって拡張した、以下で説明する式３ＡＡと４ＡＡに基づく図７Ｄと同等の回路図
【図９Ｆ】非特許文献４に基づく５チャネルの信号用のスピーカ配置図
【図１０Ａ】図９Ａの拡張形態としてステレオ信号のマッピング幅を決定するための回路例の図
【図１０Ｂ】入力が図５Ｂの出力又は図６Ｂの出力と接続された、信号のローカライズ形態を求めるための回路図
【図１０Ｄ】本発明に基づきパラメータｓによって拡張した、以下で説明する式３ＡＡＡと４ＡＡＡに基づく図７Ｄと同等の回路図
【図１０Ｆ】非特許文献４に基づく５チャネル信号に関するダウンミックスの標準的な混合比率のグラフ
【図１１Ａ】Ｌ°、即ちｌ（ｔ）と、Ｒ°、即ちｒ（ｔ）とを伝達関数ｆ＊［ｌ（ｔ）］＝［ｌ（ｔ）／√２］＊（−１＋ｉ）及びｇ＊［ｒ（ｔ）］＝［ｒ（ｔ）／√２］＊（１＋ｉ）の合計として複素数平面上にマッピングするための（信号のローカライズ形態を求めるための）図１２Ａによる回路に引き渡される前の既に存在するステレオ信号Ｌ°、Ｒ°に関する入力回路例の図
【図１１Ｄ】本発明に基づきパラメータｓによって拡張した、以下で説明する式３ＡＡと４ＡＡに基づく図８Ｄと同等の回路図
【図１１Ｆ】ステレオ音響化する信号の指向特性を規定するパラメータｆ（又はｎ）、ステレオ音響化するモノラル信号の主軸と音源により規定される手動で、或いは測定により検出する角度φ、仮想的な左開口角α、及び仮想的な右開口角βのパラメータの全部の可能な組合せ表
【図１２Ａ】入力を図１０Ａの出力又は図１１Ａの出力と接続できる信号のローカライズ形態を求めるための回路図
【図１２Ｄ】本発明に基づきパラメータｓによって拡張した、以下で説明する式３ＡＡＡと４ＡＡＡに基づく図８Ｄと同等の回路図
【図１３Ａ】ＭＳマトリックスを僅かに改修してパノラマ電位差計の後続を不要とした図４Ａと同様の回路を備えた特許文献４による装置又は方法の第五の実施構成図
【図１３Ｄ】本発明に基づきパラメータｓによって拡張した図１３Ａによる回路図
【図１４Ａ】ＭＳマトリックスを僅かに改修してパノラマ電位差計の後続を不要とした図５Ａと同様の回路を備えた特許文献４による装置又は方法の第五の実施構成図
【図１４Ｄ】本発明に基づきパラメータｓによって拡張した図１４Ａによる回路図
【図１５Ｄ】ここでは、本発明に基づきパラメータｓによって拡張した、（ＭＳマトリックスの前に配置された増幅器を通過する前の）入力信号ＭとＳを図１０Ｂの後に任意に接続できる図７Ｂの回路に任意に供給できる、ステレオ変換器（例えば、特許文献２又は３によるステレオ変換器）の出力信号のレベルを正規化する、或いは相関度を正規化するための二つの論理素子に関する回路例の図
【図１６Ｄ】ここでは、本発明に基づきパラメータｓによって拡張した、この例では、全体の回路構成内で、図１６Ｄの出力が図５Ｂの何れかとなるように処理され、ここで、図１６Ｄの回路がその前に接続されたオーディオ信号の異なる部分のための素子を通るように作用し、その結果が複素数平面上にマッピングされた信号部分とベクトル（１，１，−２）及び（１，１，１）又は（−１，−１，２）及び（１，１，１）により規定される平面との第一又は第三象限における交点の平均値に基づき最適化されたパラメータ形態φ、ｆ、α、β，ｓである、図５Ｂによる回路の直後に接続でき、その回路と共に本実施例で切り離すことができないユニットを構成する、代数的不変式に基づき疑似ステレオ信号を最適化するための以下で説明する回路例の図
【図１７Ｄ】本発明に基づきパラメータｓによって拡張した、等しい遅延時間差Ｌ‘α＝Ｌ’βに関する特許文献２による回路を簡略化した第一の形態図
【図１８Ｄ】本発明に基づきパラメータｓによって拡張した、等しい遅延時間差Ｌ‘α＝Ｌ’βに関する特許文献２による回路を簡略化した別の形態図
【図１９Ｄ】本発明に基づきパラメータｓによって拡張した、等しい遅延時間差Ｌ‘α＝Ｌ’βに関する特許文献２又は４による図６Ｄの回路を簡略化した第一の変化形態図
【図２０Ｄ】本発明に基づきパラメータｓによって拡張した、等しい遅延時間差Ｌ‘α＝Ｌ’βに関する特許文献２又は４による図６Ｄの回路をパラメータλの導入により更に簡略化した第二の変化形態図
【図２１Ｄ】本発明に基づきパラメータｓによって拡張した、（特許文献３に対しては、パラメータをｆ（φ）＝ｆ（α）＝ｆ（β）＝１、ｓｉｎφ＝０、ｓｉｎα＝ｓｉｎβ＝１として設定する）等しい遅延時間差Ｌ‘α＝Ｌ’βに関する特許文献２による回路を簡略化した第二の形態図
【図２２Ｄ】本発明に基づきパラメータｓによって拡張した、（特許文献３に対しては、パラメータをｆ（φ）＝ｆ（α）＝ｆ（β）＝１、ｓｉｎφ＝０、ｓｉｎα＝ｓｉｎβ＝１として設定する）等しい遅延時間差Ｌ‘α＝Ｌ’βに関する特許文献２による回路を簡略化した別の形態図
【図２３Ｄ】本発明に基づきパラメータｓによって拡張した、（特許文献３に対しては、パラメータをｆ（φ）＝ｆ（α）＝ｆ（β）＝１、ｓｉｎφ＝０、ｓｉｎα＝ｓｉｎβ＝１として設定する）等しい遅延時間差Ｌ‘α＝Ｌ’βに関する特許文献２又は４による図３Ｄの回路を簡略化した第一の変化形態図
【図２４Ｄ】本発明に基づきパラメータｓによって拡張した、（特許文献３に対しては、パラメータをｆ（φ）＝ｆ（α）＝ｆ（β）＝１、ｓｉｎφ＝０、ｓｉｎα＝ｓｉｎβ＝１として設定する）等しい遅延時間差Ｌ‘α＝Ｌ’βに関する特許文献２又は４による図３Ｄの回路をパラメータλの導入により更に簡略化した第二の変化形態図
【図２５Ｄ】本発明に基づきパラメータｓによって拡張した、等しい遅延時間差Ｌ‘α＝Ｌ’βに関する特許文献２による回路を簡略化した第三の形態図
【図２６Ｄ】本発明に基づきパラメータｓによって拡張した、等しい遅延時間差Ｌ‘α＝Ｌ’βに関する特許文献２による回路を簡略化した別の形態図
【図２７Ｄ】本発明に基づきパラメータｓによって拡張した、（特許文献３に対しては、パラメータをｆ（φ）＝ｆ（α）＝ｆ（β）＝１、ｓｉｎφ＝０、ｓｉｎα＝ｓｉｎβ＝１として設定する）等しい遅延時間差Ｌ‘α＝Ｌ’βに関する特許文献２又は４による図４Ｄの回路を簡略化した第一の変化形態図
【図２８Ｄ】本発明に基づきパラメータｓによって拡張した、（特許文献３に対しては、パラメータをｆ（φ）＝ｆ（α）＝ｆ（β）＝１、ｓｉｎφ＝０、ｓｉｎα＝ｓｉｎβ＝１として設定する）等しい遅延時間差Ｌ‘α＝Ｌ’βに関する特許文献２又は４による図４Ｄの回路をパラメータλの導入により更に簡略化した第二の変化形態図
【図Ｅ１】図３Ａに図示されたパノラマ電位差計の逆比例する減衰量λ及びρに関して関係式λ＝ρが成り立つ場合の図３Ａ又は図６Ａと同等の回路図
【図Ｅ２】図３Ａに図示されたパノラマ電位差計の逆比例する減衰量λ及びρに関して関係式λ＝ρが成り立つ場合の図３Ａ又は図６Ａと同等の回路図
【図Ｅ３】図４Ａに図示されたパノラマ電位差計の逆比例する減衰量λ及びρに関して関係式λ＝ρが成り立つ場合の図４Ａと同等の回路図
【図Ｅ４】図４Ａに図示されたパノラマ電位差計の逆比例する減衰量λ及びρに関して関係式λ＝ρが成り立つ場合の式３ＡＡと４ＡＡに基づく図４Ａと同等の回路図
【図Ｅ５】図４Ａに図示されたパノラマ電位差計の逆比例する減衰量λ及びρに関して関係式λ＝ρが成り立つ場合の式３ＡＡＡと４ＡＡＡに基づく図４Ａと同等の回路図
【図Ｅ６】図５Ａに図示されたパノラマ電位差計の逆比例する減衰量λ及びρに関して関係式λ＝ρが成り立つ場合の図５Ａと同等の回路図
【図Ｅ７】図５Ａに図示されたパノラマ電位差計の逆比例する減衰量λ及びρに関して関係式λ＝ρが成り立つ場合の式３ＡＡと４ＡＡに基づく図５Ａと同等の回路図
【図Ｅ８】図５Ａに図示されたパノラマ電位差計の逆比例する減衰量λ及びρに関して関係式λ＝ρが成り立つ場合の式３ＡＡＡと４ＡＡＡに基づく図５Ａと同等の回路図
【図Ｅ９】本発明に基づきパラメータｓによって拡張した、等しい遅延時間差Ｌ‘α＝Ｌ’βに関する特許文献２又は４による図６Ｄの回路を簡略化した新たな変化形態図
【図Ｅ１０】本発明に基づきパラメータｓによって拡張した、等しい遅延時間差Ｌ‘α＝Ｌ’βに関する特許文献２又は４による図６Ｄの回路を簡略化した新たな変化形態図
【図Ｅ１１】本発明に基づきパラメータｓによって拡張した、等しい遅延時間差Ｌ‘α＝Ｌ’βに関する特許文献２又は４による図Ｅ１０の回路をパラメータλ’の導入により更に簡略化した第二の変化形態図
【図Ｅ１２】本発明に基づきパラメータｓによって拡張した、（特許文献３に対しては、パラメータをｆ（φ）＝ｆ（α）＝ｆ（β）＝１、ｓｉｎφ＝０、ｓｉｎα＝ｓｉｎβ＝１として設定する）等しい遅延時間差Ｌ‘α＝Ｌ’βに関する特許文献２又は４による図３Ｄの回路を簡略化した新たな変化形態図
【図Ｅ１３】本発明に基づきパラメータｓによって拡張した、（特許文献３に対しては、パラメータをｆ（φ）＝ｆ（α）＝ｆ（β）＝１、ｓｉｎφ＝０、ｓｉｎα＝ｓｉｎβ＝１として設定する）等しい遅延時間差Ｌ‘α＝Ｌ’βに関する特許文献２又は４による図３Ｄの回路を簡略化した新たな変化形態図
【図Ｅ１４】本発明に基づきパラメータｓによって拡張した、（特許文献３に対しては、パラメータをｆ（φ）＝ｆ（α）＝ｆ（β）＝１、ｓｉｎφ＝０、ｓｉｎα＝ｓｉｎβ＝１として設定する）等しい遅延時間差Ｌ‘α＝Ｌ’βに関する特許文献２又は４による図３Ｄの回路をパラメータλ’の導入により更に簡略化した新たな変化形態図
【図Ｅ１５】本発明に基づきパラメータｓによって拡張した、（特許文献３に対しては、パラメータをｆ（φ）＝ｆ（α）＝ｆ（β）＝１、ｓｉｎφ＝０、ｓｉｎα＝ｓｉｎβ＝１として設定する）等しい遅延時間差Ｌ‘α＝Ｌ’βに関する特許文献２又は４による図４Ｄの回路を簡略化した新たな変化形態図
【図Ｅ１６】本発明に基づきパラメータｓによって拡張した、（特許文献３に対しては、パラメータをｆ（φ）＝ｆ（α）＝ｆ（β）＝１、ｓｉｎφ＝０、ｓｉｎα＝ｓｉｎβ＝１として設定する）等しい遅延時間差Ｌ‘α＝Ｌ’βに関する特許文献２又は４による図４Ｄの回路を簡略化した新たな変化形態図
【図Ｅ１７】本発明に基づきパラメータｓによって拡張した、（特許文献３に対しては、パラメータをｆ（φ）＝ｆ（α）＝ｆ（β）＝１、ｓｉｎφ＝０、ｓｉｎα＝ｓｉｎβ＝１として設定する）等しい遅延時間差Ｌ‘α＝Ｌ’βに関する特許文献２又は４による図４Ｄの回路をパラメータλ’の導入により更に簡略化した新たな変化形態図
【発明を実施するための形態】
【００９４】
一般的に、二つ以上のスピーカから放出されるオーディオ信号が、異なる振幅、周波数、遅延時間又は位相差を有するか、或いは相応にフェードアウトしてゆく場合に、聞き手に立体的な印象を与えることが知られている。
【００９５】
そのような無相関の信号は、一方では異なる位置に置かれたサウンド変換システムによって生成され、任意選択として、その信号を更に処理するか、或いは所謂疑似ステレオ技術を用いて、モノラル信号から、そのような好適な無相関を作り出すことができる。
【００９６】
本発明の以下における実施例を理解してもらうために、以下において、特許文献４の内容全体を説明する。
【００９７】
多くの疑似ステレオ信号は、二つのチャネル間に大きな「位相関係」、即ち、明らかに聞き取れる遅延時間差を有する。多くの場合、二つのチャネル間の相関度も小さ過ぎる（互換性の欠如）か、或いは大き過ぎる（望ましくないモノラル音響パターンに類似している）。従って、疑似ステレオ信号、さもなければステレオ信号は、放出される信号の無相関性が無いか、或いは大き過ぎることに起因する欠点を持つ場合が有る。
【００９８】
従って、特許文献４の目的は、そのような問題を解決して、（疑似ステレオ信号を含む）ステレオ信号を同じにするか、或いはそれとは逆に大きな差を与えることである。
【００９９】
別の目的は、ステレオ又は疑似ステレオ信号の改善、生成、伝送、変換及び再生である。
【０１００】
特許文献４では、これらの課題は、特に、疑似ステレオ変換装置に対して、深い意味も無く、目的も明確でなく、パノラマ電位差計を後に接続することによって解決されている。
【０１０１】
（パンポット、パノラマコントローラ又はパノラマ調整器とも呼ばれる）パノラマ電位差計は、周知であり、強度ステレオ信号、即ち、遅延時間又は位相の差、或いは周波数スペクトルの違いではなく、専らレベルが異なるステレオ信号に対して用いられている。周知のパノラマ電位差計の基本回路図が図１Ａに図示されている。その装置は、一つの入力１０１と、グループチャネルＬ（左のオーディオチャネル）及びＲ（右のオーディオチャネル）の母線２０４，２０５に印加される二つの出力２０２，２０３とを有する。中間位置（Ｍ）では、二つの母線のレベルは同じであり、左（Ｌ）と右（Ｒ）の側方の位置では、左か右の母線にのみ信号が転送される。パノラマ電位差計は、スピーカ、ベースにおけるファントム音源の異なる位置に対応するレベル差を中間位置に発生させる。
【０１０２】
図２Ａは、オーバーベース領域及びそれに対応するマッピング角を図示しない形のパノラマ電位差計の左チャネルと右チャネルの減衰グラフである。中間位置では、各チャネルの減衰量が３ｄＢであり、そのため、音の重畳によって、一つのチャネルだけがＬ又はＲの位置に存在する場合と同じ音量の印象が生じる。
【０１０３】
パノラマ電位差計は、例えば、分圧器として、与えられた左又は右の出力（これらの出力は母線とも呼ばれる）に対して異なる聞き取れる比率で左チャネルの方に配分するか、或いは同様に同じ左又は右の出力（同じ母線）に対して異なる聞き取れる比率で右チャネルの方に配分することができる。従って、強度ステレオ信号の場合、マッピング幅を狭めるとともに、その方向をシフトさせることができる。
【０１０４】
遅延時間又は位相の差、異なる周波数スペクトル、或いはフェードアウトを使用する疑似ステレオ信号では（一般的に、そのようにして得られたステレオ信号の場合でも）、パノラマ電位差計により、そのようなマッピング幅の狭隘化又はマッピング方向のシフトは不可能である。そのため、基本的に、そのような信号にパノラマ電位差計を適用することが意図的に見過ごされてきた。
【０１０５】
しかし、特許文献４に記載されている通り、その前に知られていなかった、疑似ステレオ変換回路の後にパノラマ電位差計を接続することが予想外の利点を奏することが確認された。確かに、そのような後置は、前記の与えられたステレオ信号のマッピング幅の狭隘化又はマッピング方向のシフトを発生させることはできない。しかし、この方法により、そのようなパノラマ電位差計を用いて、左信号と右信号の間の相関度を増減することができる。
【０１０６】
有利な実施構成では、疑似ステレオ信号を得るための回路の右と左の出力の後に、それぞれ一つのパノラマ電位差計が接続される。この場合、有利には、二つのパノラマ電位差計の母線が共通に、有利には、同じ音量で使用される。
【０１０７】
この場合、各パノラマ電位差計は、一つの入力と二つの出力を有する。第一のパノラマ電位差計の入力は、前記の回路の第一の出力と接続され、第二のパノラマ電位差計の入力は、その回路の第二の出力と接続される。第一のパノラマ電位差計の第一の出力は、第二のパノラマ電位差計の第一の出力と接続される。第一のパノラマ電位差計の第二の出力は、第二のパノラマ電位差計の第二の出力と接続される。
【０１０８】
それに代わって、同様にパノラマ電位差計の代わりに、ステレオ変換器とそのステレオ変換器の前に接続されたステレオ変換器の入力信号を増幅するための増幅器とを備えた疑似ステレオ変換用の第一の回路によっても相関度を合わせることができ、それはパノラマ電位差計を使用していない。それによって、より少ないコンポーネントを用いて、同等の相関度の適合を実現できる。
【０１０９】
それに代わって、同様にパノラマ電位差計の代わりに、それぞれ所定の倍率で増幅された入力信号（Ｍ，Ｓ）を加算するための加算器と減算するための減算器を備えるように改修されたステレオ変換器によっても相関度を変化させて、パノラマ電位差計の母線信号と同じ信号を生成することができる。それによって、更により少ないコンポーネントを用いて、同等の相関度の適合を実現できる。
【０１１０】
この実情は、三つ以上のスピーかによって再生される信号を生成する装置及び方法（例えば、従来技術に属するサラウンド設備）にも適用できる。
【０１１１】
図３Ａ〜５Ａは、疑似ステレオ変換回路３０９、４０９又は５０９の直後にそれぞれパノラマ電位差計３１１と３１２、４１１と４１２、５１１と５１２が接続された前述した基本回路の異なる実施構成を図示している。そこに図示されている例では、特許文献２と３に記載されている通り、疑似ステレオ変換回路３０９、４０９又は５０９は、ＭＳマトリックス３１０、４１０又は５１０を備えた回路から構成されている。
【０１１２】
これらのパノラマ電位差計３１１と３１２、４１１と４１２、５１１と５１２を用いて、与えられた母線信号Ｌ３０４，４０４，５０４と信号Ｒ３０５，４０５，５０５の相関度を増減することができる。その後、ステレオ変換から（ＭＳマトリックスの通過後に）与えられた左チャネルＬ‘３０２，４０２，５０２又は右チャネルＲ’３０３，４０３，５０３は、母線信号ＬとＲを共通に使用しているパノラマ電位差計に供給される。
【０１１３】
装置３０９、４０９又は５０９から得られたステレオ信号３０２と３０３、４０２と４０３、５０２と５０３のパノラマ電位差計３１１、４１１又は５１１の左の入力信号Ｌ‘の減衰率λとパノラマ電位差計３１２、４１２又は５１２の右の入力信号Ｒ‘の減衰率ρが０〜３ｄＢの範囲に狭められている場合、逆比例した形で次の関係式を与えることができる。
１≧λ≧０
及び
１≧ρ≧０
ここで、１は値０ｄＢに対応し、０は値３ｄＢに対応する。
【０１１４】
従って、λとρは、図３Ａ〜図５Ａに図示されたパノラマ電位差計の減衰率と逆比例して、０〜３ｄＢの範囲に狭められた減衰率に相当する。
【０１１５】
そのため、与えられた（母線の）ステレオ信号ＬとＲ（３０４と３０５、４０４と４０５、５０４と５０５）又はパノラマ電位差計３１１，４１１，５１１の出力信号Ｌ’’３１３，４１３，５１３とＲ’’３１４，４１４，５１４及びパノラマ電位差計３１２，４１２，５１２の出力信号Ｌ’’’３１５，４１５，５１５とＲ’’’３１６，４１６，５１６に関して、次の関係式が得られる。
（１Ａ）Ｌ＝Ｌ’’＋Ｌ’’’＝１／２＊Ｌ’（１＋λ）＋１／２＊Ｒ’（１−ρ）
及び
（２Ａ）Ｒ＝Ｒ’’＋Ｒ’’’＝１／２＊Ｌ’（１−λ）＋１／２＊Ｒ’（１＋ρ）
図６Ａは、パノラマ電位差計の直後の接続を不要とするようにＭＳマトリックスを僅かに改修した図３Ａと同様の回路による別の実施構成を図示している。ステレオ変換部（ＭＳマトリックス）と同等の次の関係を考慮して、
Ｌ’＝（Ｍ＋Ｓ）＊１／√２
及び
Ｒ’＝（Ｍ−Ｓ）＊１／√２
以下の関係式が得られる。
（１Ａ）Ｌ＝［Ｍ（２＋λ−ρ）＋Ｓ（λ＋ρ）］＊１／２√２
（２Ａ）Ｒ＝［Ｍ（２−λ＋ρ）−Ｓ（λ＋ρ）］＊１／２√２
それによって、ステレオ変換回路の入力信号ＭとＳから直接、母線信号ＬとＲを導き出すことができる。
【０１１６】
λ＝ρ（左と右のチャネルの減衰率が同じ）である場合には、次の式が成り立つ。
（３Ａ）Ｌ＝（Ｍ＋λ＊Ｓ）＊１／√２
（４Ａ）Ｒ＝（Ｍ−λ＊Ｓ）＊１／√２
即ち、左と右のチャネルの減衰率が同じである場合の信号Ｓの振幅変化は、パノラマ電位差計を直後に接続した場合と同等である。この前提の下では、これらの出力信号ＬとＲは、図３Ａの母線信号ＬとＲと等しい。
【０１１７】
従って、増幅率（２＋λ−ρ）で増幅されたＭ信号と増幅率（λ＋ρ）で増幅されたＳ信号から構成される母線信号と、増幅率（２−λ＋ρ）で増幅されたＭ信号から増幅率（λ＋ρ）で増幅されたＳ信号を差し引いた信号から構成される差分信号とが生成される、例えば、図６Ａ、１３Ａ又は１４Ａの構成の（僅かな変更が可能である）回路又は方法が得られ、式（１Ａ）と（２Ｂ）と同等の信号ＬとＲを得るために、全体として、係数１／２√２による補正を行っている。
【０１１８】
図７Ａは、図３Ａに図示されたパノラマ電位差計の逆比例する減衰率λとρに関して、λ＝ρの関係式が成り立つ、図３Ａ又は図６Ａと同等の回路を図示している。この回路は、（ここでは説明しない）録音角又は開口角を変化させるための強度ステレオ音響法（ＭＳマイクロホン法）として周知の構成と混同してはならない。
【０１１９】
ここでは、ステレオ信号の同等化又は差分化のためには、多くの場合ここで提案したパノラマ電位差計又は前に図示した改修したＭＳマトリックスに対して画一的な減衰率で十分であることを出発点としている。そこで、λ＝ρによって、前に図示した装置が、前記の式（３Ａ）と（４Ａ）に基づき、次の通り簡単となる。
（３Ａ）Ｌ＝（Ｍ＋λ＊Ｓ）＊１／√２
（４Ａ）Ｒ＝（Ｍ−λ＊Ｓ）＊１／√２
これは、Ｓ信号（７１７）の振幅の簡単な補正と同じである。
【０１２０】
そのようなＳ信号の振幅の補正は、これまでＭＳマイクロホン法に関してのみ知られており、ここでは、理想的な範囲で（ここでは説明しない）録音角又は開口角を変化させることとなる。同じ作用方式の転用は不可能である（そのため、ＭＳマイクロホン法の本回路への適用も容易ではない）。
【０１２１】
従って、図７Ａでは、最終的にＭＳマトリックスを通過する前に減衰率λ（１≧λ≧０）でＳ信号を補完的に減衰させている。その結果与えられたステレオ信号は、減衰率が画一的である図３Ａの母線信号３０４と３０５、図４Ａの母線信号４０４と４０５及び図５Ａの母線信号５０４と５０５と、λ＝ρの場合の図６Ａの出力信号Ｌ及びＲと同等である。
【０１２２】
実際には、この回路又は方法により、相関度を精密に決定できる、即ち、減衰率λと相関度ｒの間の直接的な関数関係を実現でき、理想的には、次の式が成り立つ。
０．２≦ｒ≦０．７
一連の実験において、λに関して、大抵の用途では、０．０７≦λ≦０．４６が有利であることが分かっている。
【０１２３】
この装置又は方法により、特に、（遅延時間差、位相シフト又はそれと同等の擾乱などの）アーチファクトを容易に除去することができ、それは、手動又は（アルゴリズムにより）自動で行われる。
【０１２４】
そのため、減衰率が画一的であり、最終的なＭＳマトリックス化前に減衰率λ（１≧λ≧０）でＳ信号の振幅を補正するパノラマ電位差計の後続と同等の形態により、当初のモノラル信号を出発点として、包括的であるが非常に簡単な後処理手段を聞き手に提供して、満足できる疑似ステレオ音響法を実現することができ、それは、基本的に互換性を維持しつつ、アーチファクトの擾乱を防止することができる。
【０１２５】
それに代わって、Ｍ信号を増幅率１／λで増幅することもできる。そして、式３Ａ又は４Ａと同等の信号を得るために、式３Ａと４Ａは、次の式で置き換えられる。
（３ＡＡ）（１／λ）＊Ｌ＝［（１／λ）＊Ｍ＋Ｓ］＊１／√２
又は
（４ＡＡ）（１／λ）＊Ｒ＝［（１／λ）＊Ｍ−Ｓ］＊１／√２
この場合、図７Ａは、図Ｅ１で置き換えられ、以下で説明する図Ｅ３は図４によって置き換えられ、以下で説明する図Ｅ６は図Ｅ７で置き換えられる。
【０１２６】
それに代わって、Ｍ信号とＳ信号の両方を増幅する場合、Ｍ信号の新たな増幅率１／τとＳ信号の新たな増幅率λ’に対して、関係式１≧τ＋λ’≧０及びλ＝τ＋λ’が得られる。そして、式３Ａ又は４Ａと同等の信号を得るために、式３Ａと４Ａは、次の式で置き換えられる。
（３ＡＡＡ）（１／τ）＊Ｌ＝［（１／τ）＊Ｍ＋λ’＊Ｓ］＊１／√２
又は
（４ＡＡＡ）（１／τ）＊Ｒ＝［（１／τ）＊Ｍ−λ’＊Ｓ］＊１／√２
この場合、図７Ａは、図Ｅ２で置き換えられ、以下で説明する図Ｅ３は図５によって置き換えられ、以下で説明する図Ｅ６は図Ｅ８で置き換えられる。同じく、新たな増幅率１／λ、１／τ又はλ’は、逆比例する減衰率λ又はρと同様に、特許文献２〜５、１１、１２又は本発明による疑似ステレオ信号を最適化するために用いられる。
【０１２７】
全体として、本発明による装置、方法又はシステムは、例えば、電話において、非常に簡単であるが効率的な操作が必要なオーディオ信号の専門的な後処理の分野又は高価な消費者用電子機器の分野に使用することができる。
【０１２８】
マッピング幅の縮小又は拡大のために：
そのような用途に対しては、従来技術に属する圧縮アルゴリズム又はデータ削減方法の追加採用、或いは本発明による算出を加速するために、例えば、与えられた疑似ステレオ信号の最小値又は最大値などの特異な特徴の解析が推奨される。
【０１２９】
与えられたステレオ信号の相関度ｒ又は（与えられたステレオ信号を生成するための）減衰率λ又はρの所定通りの変化による、与えられたステレオ信号のマッピング幅の追加的な縮小又は拡大が、（例えば、自動車でのステレオ信号の再生に関して）特に重要である。この場合、ステレオ音響化する信号の指向特性を表す事前に調べておいたパラメータｆ（又はｎ）、主軸と音源により規定される手動で、或いは測定により検出する角度φ、仮想的な左開口角αと仮想的な右開口角βを維持することができ、このようなマッピング幅の縮小又は拡大を手動で行う場合には、この目的に適うこととして、例えば、図８Ａの論理素子１２０による最終的な振幅補正だけが僅かに必要である。
【０１３０】
それが自動的に行われる場合、音響心理学による一連の実験は、ステレオ出力信号ｘ（ｔ），ｙ（ｔ）又は次の複素伝達関数
（５Ａ）ｆ＊［ｘ（ｔ）］＝［ｘ（ｔ）／√２］＊（−１＋ｉ）
（６Ａ）ｇ＊［ｙ（ｔ）］＝［ｙ（ｔ）／√２］＊（１＋ｉ）
に関する一定のマッピング幅は、基本的に、次の判断基準
（７Ａ）０≦Ｓ＊−ε≦ｍａｘ｜Ｒｅ｛ｆ＊［ｘ（ｔ）］＋ｇ＊［ｙ（ｔ）］｝｜≦Ｓ＊＋ε≦１
及び次の判断基準
Ｔ
（８Ａ）０≦Ｕ＊−κ≦∫｜｛ｆ＊［ｘ（ｔ）］＋ｇ＊［ｙ（ｔ）］｝｜ｄｔ≦Ｕ＊＋κ
−Ｔ
に依存する（例えば、電話信号に関するＳ＊とε又はＵ＊とκは、音楽録音の場合と異なる形で決定される）。従って、フィードバックに基づく反復動作方式により、与えられたステレオ信号の相関度ｒ又は（与えられたステレオ信号を生成するための）減衰率λ又はρ、或いは図８Ａの論理素子１２０に応じた好適な関数値ｘ（ｔ），ｙ（ｔ）だけを僅かに決定する。
【０１３１】
従って、図示されている装置は、例えば、図８Ａ〜１０Ａに図示された構成の装置とするとの意味で、以下の通り拡張することができる。
【０１３２】
この場合、図１Ａ〜７Ａによる装置から得られる出力信号は、二つの信号の最大値が正確に０ｄＢのレベルを有するように（複素数平面の単位円の正規化）、画一的に増幅率ρ＊で増幅される（図８の増幅器１１８，１１９）。これは、例えば、左又は右チャネルの最大レベルが０ｄＢとなるまで、フィードバック１２１と１２２によって、増幅器１１８と１１９の増幅率ρ＊を変化又は補正する論理素子１２０を後続することによって実現される。
【０１３３】
ここで、次の工程において、その結果与えられた信号ｘ（ｔ）１２３とｙ（ｔ）１２４をマトリックスに供給して、そこで、これらの信号は、それぞれ増幅率√２で増幅された後（図９Ａの増幅器２２９，２３０）、同じ音量の実数部と虚数部に分割され、増幅器２２９を用いて増幅された信号ｘ（ｔ）から生成された実数部が、更に増幅率−１の増幅器２３１も通過する。それにより、次の伝達関数が得られる。
（５Ａ）ｆ＊［ｘ（ｔ）］＝［ｘ（ｔ）／√２］＊（−１＋ｉ）
及び
（６Ａ）ｇ＊［ｙ（ｔ）］＝［ｙ（ｔ）／√２］＊（１＋ｉ）
ここで、各実数部又は虚数部が合算され、それにより伝達関数ｆ＊［ｘ（ｔ）］＋ｇ＊［ｙ（ｔ）］の合計の実数部又は虚数部が得られる。
【０１３４】
ここで、ユーザにより目標とするステレオ信号のマッピング幅に関して好適に選定された限界値Ｓ＊又は好適に選定された偏差εに対して、次の不等式（７Ａ）により、
（７Ａ）０≦Ｓ＊−ε≦ｍａｘ｜Ｒｅ｛ｆ＊［ｘ（ｔ）］＋ｇ＊［ｙ（ｔ）］｝｜≦Ｓ＊＋ε≦１
これらを定義して、この条件が満たされるか否かを検査する、例えば、図１０Ａの論理素子６４０による装置を後続することができる。この条件が満たされない場合、フィードバック６４１によって、相関度ｒ又は（与えられたステレオ信号を生成するための）減衰率λ又はρに関する新たな最適値を決定して、上記の条件（７Ａ）が満たされるまで、図８Ａ〜１０Ａに図示されている通り、これまで説明してきた工程を実行する。
【０１３５】
ここで、論理素子６４０の入力信号は、例えば、図１０Ａの論理素子による装置に伝送される。その装置は、最終的に目標とするステレオ信号のマッピング幅に関して関数値を最適化するとの意味で、関数ｆ＊［ｘ（ｔ）］＋ｇ＊［ｙ（ｔ）］のレリーフを解析し、ユーザは、限界値Ｓ＊及び偏差κを不等式（８Ａ）により定義して、目標とするステレオ信号のマッピング幅に関して、これらを好適に選定することができる。全体として、次の条件
（８Ａ）０≦Ｕ＊−κ≦∫｜ｆ＊［ｘ（ｔ）］＋ｇ＊［ｙ（ｔ）］｜ｄｔ≦Ｕ＊＋κ
を満たさなければならない。この条件が満たされない場合、フィードバック６４３によって、相関度ｒ又は（与えられたステレオ信号を生成するための）減衰率λ又はρに関する新たな最適値を決定して、関数ｆ＊［ｘ（ｔ）］＋ｇ＊［ｙ（ｔ）］のレリーフがユーザによって好適に選定された限界値Ｕ＊又は偏差κを考慮したマッピング幅に関する関数値の目標とする最適化を満たすまで、図８Ａ〜１０Ａに図示されている通り、これまで説明してきた工程を実行する。
【０１３６】
従って、信号ｘ（ｔ）１２３とｙ（ｔ）１２４は、相関度ｒ又は（与えられたステレオ信号を生成するための）減衰率λ又はρによって決定されるマッピング幅に関して、ユーザの設定目標と等しくなり、前述した装置の出力信号Ｌ＊＊とＲ＊＊となる。
【０１３７】
ここで用いた変換は、虚数平面の単位円以外の座標系を選定した場合でも全体として有効である。例えば、個々の関数値の代わりに、軸の長さを正規化し、それに応じて計算負荷を軽減することもできる。
【０１３８】
マッピング方向を決定するために：
時として、与えられたステレオ音響マッピングをステレオ音響化のベースとなる指向特性の主軸の周りに鏡映することも、例えば、そのような主軸に関して鏡映して反転されたマッピングが得られるので重要である。それは、左と右チャネルの置換によって、手動で実施できる。
【０１３９】
本システムによって、既に存在するステレオ信号Ｌ°，Ｒ°をマッピングする場合、図示された疑似ステレオ音響方式を用いて生成されたファントム音源の正しいマッピング方向も、例えば、図１２Ａにより自動的に算出することができ、この図１２Ａの構成は、図１０Ａの直後に接続され、既に存在するステレオ信号Ｌ°，Ｒ°の複素伝達関数の合計ｆ＊（ｌ（ｔｉ））＋ｇ＊（ｒ（ｔｉ））を決定するための図１１Ａも同様に図１２Ａに接続することができる（図９Ａの説明を参照）。この場合、（伝達関数ｆ＊（ｘ（ｔｉ））＋ｇ＊（ｙ（ｔｉ）又はｆ＊（ｌ（ｔｉ））＋ｇ＊（ｒ（ｔｉ））の以下で述べる補正された全ての関数値が少なくとも一つの場合にゼロとならない）好適に選定された時点ｔｉにおいて、図９Ａにより既に算出された伝達関数ｆ＊（ｘ（ｔｉ））＋ｇ＊（ｙ（ｔＩ））が当初のステレオ信号Ｌ°，Ｒ°の左信号ｌ（ｔ）又は右信号ｒ（ｔ）の複素伝達関数ｆ＊（ｌ（ｔｉ））＋ｇ＊（ｒ（ｔｉ））と比較される。これらの伝達関数が複素数平面の同じ象限又は対角線に関して反対の象限内を移動した場合、複素数平面の同じ象限又は対角線に関して反対の象限内に有る前記の伝達関数の関数値の全数ｍがそれぞれ１だけ上昇する。
【０１４０】
ここで、伝達関数ｆ＊（ｘ（ｔｉ））＋ｇ＊（ｙ（ｔＩ）又はｆ＊（ｌ（ｔｉ））＋ｇ＊（ｒ（ｔｉ））の補正された関数値の（ゼロではない）数以下である経験的に（或いは統計調査により）決定可能な数ｂは、必要なヒット数を決定する。その数以内では、例えば、図８Ａ〜１０Ａによる装置から得られたステレオ信号の左チャネルｘ（ｔ）と右チャネルｙ（ｔ）が置き換えられる。
【０１４１】
指向特性を規定する関数ｆ（又はその簡略化したパラメータｎ）及び（例えば、データ圧縮のための）パラメータφ、α、β、λ又はρに加えて、当初のステレオ信号をモノラル信号に（例えば、パラメータｚだけ拡張できる出力６４０ａに関して、以下を参照）符号変換する場合、与えられた左チャネルを与えられた右チャネルと置き換えるべきか否かの（例えば、０又は１の数を取るパラメータｚによって表される）情報を一緒に符号化することが有効である。
【０１４２】
僅かな変更により、図１１Ａと１２Ａによる回路と同様の回路を構成して、図３Ａ、４Ａ、５Ａ、６Ａ又は７Ａの直後に接続するか、或いは電気回路又はアルゴリズム内の別の位置に挿入することもできる。
【０１４３】
特許文献４に基づく安定したＦＭステレオ信号を得るための、二つ以上のスピーかによって再生可能な既存のステレオ信号の算出に関する例として：
特許文献４は、不利な受信条件の下（例えば、自動車）での安定したＦＭステレオ信号の取得に関しても特に重要である。この場合、安定したステレオ音響化は、当初のステレオ信号の左と右チャネルの合計である入力信号としてのメインチャネル信号（Ｌ＋Ｒ）だけの助けを借りて実現することができる。ここで、使用可能なＳ信号を生成するか、或いはステレオ音響化する信号の指向特性を規定するパラメータｆ（又はｎ）、手動で、或いは測定により検出する角度φ、主軸と音源によって規定される仮想的な左開口角αと仮想的な右開口角β、与えられたステレオ信号を生成するための減衰率λ又はρ、それから得られる（例えば、図８Ａの論理素子１２０と同様に決定される）ＭＳマトリックス又はそれ以外の本発明による装置から得られる左と右チャネルを単位円に関して正規化する（この場合、１はρ＊を用いて正規化された０ｄＢの最大レベルに対応し、ｘ（ｔ）はそのような正規化から得られた左の出力信号を表し、ｙ（ｔ）はそのような正規化から得られた右の出力信号を表す）ための増幅率ρ＊、与えられたステレオ信号の相関度ｒ、例えば、後述する不等式（９ａＡ）により定義される、与えられた出力信号の伝達関数（例えば、次の前述した複素伝達関数
（５Ａ）ｆ＊［ｘ（ｔ）］＝［ｘ（ｔ）／√２］＊（−１＋ｉ）
及び
（６Ａ）ｇ＊［ｙ（ｔ）］＝［ｙ（ｔ）／√２］＊（１＋ｉ）
ここで、例えば、０≦ａ≦１に関して、次の式が成り立つ。
（９ａＡ）Ｒｅ２｛ｆ＊［ｘ（ｔ］＋ｇ＊［ｙ（ｔ）］｝＊１／ａ２＋Ｉｍ２｛ｆ＊［ｘ（ｔ］＋ｇ＊［ｙ（ｔ）］｝≦１）
）の合計の許容値範囲を定義するパラメータａ、前記の伝達関数の合計の関数値の絶対値を決定又は最大化するための後述する不等式（１１ａＡ）により定義される限界値Ｒ＊又は同様に後述する不等式（１１ａＡ）により定義される偏差Δ（このような決定又は最大化と時間間隔［−Ｔ，Ｔ］又は可能な出力信号ｘｊ（ｔ），ｙｊ（ｔ）の全数に関しては、例えば、次の式が成り立つ、
Ｔ
（１１ａＡ）０≦Ｒ＊−Δ≦∫｜ｆ＊［ｘ（ｔ）］＋ｇ＊［ｙ（ｔ）］｜ｄｔ
−Ｔ
Ｔ
≦ｍａｘ｛ｆ＊［ｘｊ（ｔ）］，ｇ＊［ｙｊ（ｔ）］｝∈Φ∫｜ｆ＊［ｘｊ（ｔ）］＋ｇ
−Ｔ
＊［ｙｊ（ｔ）］｜ｄｔ
≦Ｒ＊＋Δ
Ｔ
≦∫ａ＊｛１／√［１−（１−ａ２）＊ｓｉｎ２ａｒｇ｛ｆ＊［ｘ（ｔ）］＋ｇ＊［ｙ
−Ｔ
（ｔ）］｝］｝ｄｔ）
）、目標とするステレオ信号のマッピング幅を決定するための全ての（例えば、以下の式（７Ａ）０≦Ｓ＊−ε≦ｍａｘ｜Ｒｅ｛ｆ＊［ｘ（ｔ）］＋ｇ＊［ｙ（ｔ）］｝｜≦Ｓ＊＋ε≦１）
を満たさなければならない）前記の定義された限界値Ｓ＊又は前記の定義された偏差ε、（例えば、以下の式
Ｔ
（８Ａ）０≦Ｕ＊−κ≦∫｜ｆ＊［ｘ（ｔ）］＋ｇ＊［ｙ（ｔ）］｜ｄｔ≦Ｕ＊＋κ）
−Ｔ
を満たさなければならない）前記の定義された限界値Ｕ＊又は前記の定義された偏差κ、或いは再現された音源のマッピング方向を前述した構成に基づき決定又は最適化するために、当初のステレオ信号の左チャネルから右チャネルを引き算した結果である完全又は不完全なサブチャネル信号（Ｌ−Ｒ）を一緒に使用することができる。
【０１４４】
特に、この場合においても、従来技術に属する圧縮アルゴリズム又はデータ削減方法の採用、或いは前述した判断基準によるステレオ又は疑似ステレオ信号の算出を加速するために、例えば、最小値又は最大値などの特異な特徴の分析が推奨される。
【０１４５】
以下において、本発明の以下における実施例を理解してもらうために、特許文献５の内容全体を説明する。
【０１４６】
特許文献２〜４による装置では、ステレオ変換器において、疑似ステレオ信号を生成するための様々なパラメータを選定することができる。多くの場合、複数のパラメータ又はパラメータセットにより、疑似ステレオ信号を得ることができるが、そのようなパラメータの選定は、聞き取れる立体的な音響パターンに影響を与える。しかし、所定の位置又は所定のオーディオ信号に関して最適なパラメータの選定は簡単ではない。
【０１４７】
更に、そのようなパラメータの適合は、多くの場合左と右チャネルの間の相関度にも影響を与える。しかし、特許文献５の枠組みでは、φ又はｆ（又は簡略化したパラメータｎ）、α、βの異なるパラメータ値の評価のためには、画一的な相関度を決定することが有効であることが分かっている。
【０１４８】
そこでの目的は、疑似ステレオ信号を得るための新しい方法と新しい装置、ステレオ又は疑似ステレオ信号を生成する際のベースとなる各パラメータを自動的かつ最適に選定するための新しい方法と新しい装置、或いは特に、パラメータ（φ、λ、ρ、ｆ（又はｎ）、α、β）を、その取得時に自動的かつ最適に決定する方法と装置を提供することである。
【０１４９】
そのような方法又はそのような装置を用いて、特に、疑似ステレオによる、複数の無相関の信号の変化形態から、無相関が特に有利であると分かった信号の変化形態を選定する。
【０１５０】
特に、異なる特性（例えば、音楽録音と比べた音声録音）の信号を最適に再生できるようにするために、出来る限り効率的でコンパクトな形で選択用の判断基準自体を調節することができる。
【０１５１】
特許文献５では、一つの観点において、ステレオ変換器により疑似ステレオ出力信号ｘ（ｔ）とｙ（ｔ）を得るための装置と方法が提案されており、ｘ（ｔ）は、時点ｔで与えられた左の出力チャネルの関数値を表し、ｙ（ｔ）は時点ｔで与えられた右の出力チャネルの関数値を表し、そのような取得は、＜ｘ（ｔ），ｙ（ｔ）＞が所定の定義範囲内となるまで反復して最適化される。
【０１５２】
しかし、ドロップアウト又はそれと同様の欠陥が生じている場合、個々の点が僅かに定義範囲外に存在する可能性が有る。その場合、そのような取得は、＜ｘ（ｔ），ｙ（ｔ）＞の一部が所定の定義範囲内となるまで反復して最適化される。
【０１５３】
望ましい定義範囲は、有利には、単一の数値パラメータａによって決定され、有利には、０≦ａ≦１である。このパラメータと、そのため定義範囲とは、例えば、次の不等式によって、
Ｒｅ２｛ｆ＊［ｘ（ｔ］＋ｇ＊［ｙ（ｔ）］｝＊１／ａ２＋Ｉｍ２｛ｆ＊［ｘ（ｔ］＋ｇ＊［ｙ（ｔ）］｝≦１
有効に決定することができ、出力信号ｘ（ｔ），ｙ（ｔ）の複素伝達関数ｆ＊［ｘ（ｔ）］及びｇ＊［ｙ（ｔ）］に関して、次の式が成り立つ。
ｆ＊［ｘ（ｔ）］＝［ｘ（ｔ）／√２］＊（−１＋ｉ）
及び
ｇ＊［ｙ（ｔ）］＝［ｙ（ｔ）／√２］＊（１＋ｉ）
ユーザは、（出力信号ｘ（ｔ），ｙ（ｔ）の最大レベルが単位円に関して正規化されている場合に）複素数平面又は虚軸の単位円を出発点として、パラメータａ（０≦ａ≦１）に基づき、そのような定義範囲を任意に決定することができる。
【０１５４】
この原理は、複素数平面の単位円以外の座標系を選定して、別の新しい定義範囲を定義した場合でも有効である。そのため、「定義範囲」とは、一般的に、全体として＜ｘ（ｔ），ｙ（ｔ）＞を完全に、或いは（例えば、所謂ドロップアウトを有する欠陥の有る録音の場合に）部分的に含む、出力信号ｘ（ｔ），ｙ（ｔ）の＜ｘ（ｔ），ｙ（ｔ）＞に関して許容される値の範囲であると理解する。
【０１５５】
有利な変化形態では、出力信号（ｘ（ｔ）とｙ（ｔ））の相関度が正規化される。有利な変化形態では、与えられた左と右チャネルの最大レベルが正規化される。そのようにして、与えられた左と右チャネルの相関度又は最大レベルに影響を与えること無く、望ましい定義範囲を得るために、一定のパラメータを反復して最適化することができる。
｜＜ｘ（ｔ），ｙ（ｔ）＞｜に応じたφ、ｆ（又はｎ）、α、βの様々なパラメータ設定のための判断基準を規定することが有効である。従って、本発明では、そのために、｜＜ｘ（ｔ），ｙ（ｔ）＞｜に応じた相応の値の範囲を正規化して、それが、パラメータの最適化に関する判断基準となるようにする。
【０１５６】
そのため、一つの実施構成では、一つの変換器により疑似ステレオ出力信号ｘ（ｔ）とｙ（ｔ）を得るための方法を提案し、ｘ（ｔ）は、時点ｔで与えられた左出力チャネルの関数値を表し、ｙ（ｔ）は、時点ｔで与えられた右出力チャネルの関数値を表し、これらの出力信号の複素伝達関数ｆ＊［ｘ（ｔ）］とｇ＊［ｙ（ｔ）］は、次の通り定義され、
ｆ＊［ｘ（ｔ）］＝［ｘ（ｔ）／√２］＊（−１＋ｉ）
ｇ＊［ｙ（ｔ）］＝［ｙ（ｔ）／√２］＊（１＋ｉ）
この取得は、次の判断基準が満たされるまで、反復して最適化される。
Ｒｅ２｛ｆ＊［ｘ（ｔ］＋ｇ＊［ｙ（ｔ）］｝＊１／ａ２＋Ｉｍ２｛ｆ＊［ｘ（ｔ］＋ｇ＊［ｙ（ｔ）］｝≦１
ここで、０≦ａ≦１は望ましい定義範囲を規定する。
【０１５７】
特許文献２又は３による疑似ステレオ信号の取得方法では、常に非の打ち所の無いセンター信号を供給するとの事実が特徴的である。そのため、時間間隔［−Ｔ，Ｔ］及び左チャネルの出力信号ｘ（ｔ）と右チャネルの出力信号ｙ（ｔ）に関する次の短時間相関式をここに挿入する。
【０１５８】
Ｔ
（１Ｂ）ｒ＝（１／２Ｔ）＊∫ｘ（ｔ）ｙ（ｔ）ｄｔ＊（１／ｘ（ｔ）ｅｆｆｙ（ｔ）
−Ｔ
ｅｆｆ）
前述した通り、φ、ｆ（又はｎ）、α、βの様々なパラメータ設定のために、画一的な相関度を取得するのが有効である。従って、本発明では、そのために、出力信号（ｘ（ｔ）とｙ（ｔ））の相関度を正規化する。この正規化は、有利には、λ（左の減衰率）又はρ（右の減衰率）を所定通り変化させることによって規定することができる。
【０１５９】
ここで、この画一的な相関度に基づき、目標とする信号に対して、ユーザによって調節可能な判断基準による検査を系統的に実施することができる。
【０１６０】
φ、ｆ（又はｎ）、α、βの様々なパラメータ設定のために、与えられた左と右チャネルの画一的な最大レベルを取得することも有効である。従って、図示されたシステムでは、そのために、与えられた左と右チャネルの最大レベルを正規化して、そのレベルがパラメータの最適化によって影響を受けないようにしている。
【０１６１】
例えば、先ずは第一の論理素子を用いた、例えば、０ｄＢへの画一的な左信号Ｌと右信号Ｒの最大レベル制御を規定することが有効である。
【０１６２】
φ、ｆ（又はｎ）、α、βの様々なパラメータ設定のために、＜ｘ（ｔ），ｙ（ｔ）＞又は｜＜ｘ（ｔ），ｙ（ｔ）＞｜に応じた判断基準を規定することも有効である。従って、本発明では、そのために、それぞれ相応の値の範囲を正規化して、それが、パラメータの最適化に関する判断基準となるようにする。
【０１６３】
ｘ（ｔ）とｙ（ｔ）は、複素数平面の単位円内にマッピングされる。ここで、例えば、特許文献２又は３による装置の各出力信号の品質を推定するために、関数ｆ＊［ｘ（ｔ）］＋ｇ＊［ｙ（ｔ）］を詳しく調査する。ここでは、関数ｆ＊［ｘ（ｔ）］＋ｇ＊［ｙ（ｔ）］を解析する場合、二つの信号ｆ＊［ｘ（ｔ）］とｇ＊［ｙ（ｔ）］の如何なる無相関化も実軸上での偏位と等しい。
【０１６４】
従って、ステレオ変換器の最適化は、例えば、｜Ｒｅ｛ｆ＊［ｘ（ｔ）］＋ｇ＊［ｙ（ｔ）］｝｜と｜Ｉｍ｛ｆ＊［ｘ（ｔ）］＋ｇ＊［ｙ（ｔ）］｝｜に関する前記の判断基準に基づき行われる。
【０１６５】
この方法は、特に、特許文献２又は３による装置又は方法の出力信号の異なる特性の単一のパラメータ、即ち、ａを用いて、最適な計算を行っているので、特に有利であることが分かっている。このパラメータは、例えば、音声又は音楽を異なる形で手動又は自動処理するために、有利には、オーディオ信号の形式に応じて決定することができる。音声の場合、音楽録音の場合と異なり、ａにより決定される定義範囲は、例えば、切点での高周波の周辺雑音などのアーチファクトの擾乱のために、有利には大きく制限される。
【０１６６】
更に、単一のパラメータａを制限する場合、単位円又は虚軸を出発点として、ｆ＊［ｘ（ｔ）］＋ｇ＊［ｙ（ｔ）］に関する如何なる最適なマッピング範囲も選定することができる。
【０１６７】
本発明では、信号ｘ（ｔ）とｙ（ｔ）が前述した条件を満たさない場合、最適化するとの意味において、関数値ｘ［ｔ（φ，ｆ，α，β）］とｙ［ｔ（φ，ｆ，α，β）］又はｘ［ｔ（φ，ｎ，α，β）］とｙ［ｔ（φ，ｎ，α，β）］に適合した反復措置により、パラメータφ、ｆ（又はｎ）、α、βを新たに決定して、ｘ（ｔ）とｙ（ｔ）が前述した条件を満たすまで、これまでに説明した工程を実施する。
【０１６８】
ここで、別の工程において、例えば、関数ｆ＊［ｘ（ｔ）］＋ｇ＊［ｙ（ｔ）］のレリーフをその関数値を最適化するとの意味で解析する。そのような措置が次の式の最適化と同じであることを示すことができ、
Ｔ
（６Ｂ）∫｜ｆ＊［ｘ（ｔ）］＋ｇ＊［ｙ（ｔ）］｜ｄｔ
−Ｔ
この式自体は、次の式の値以下である。
【０１６９】
Ｔ  
（７ａＢ）∫ａ＊｛１／√［１−（１−ａ２）＊ｓｉｎ２  ａｒｇ｛ｆ＊［ｘ（ｔ）］
−Ｔ
＋ｇ＊［ｙ（ｔ）］｝］｝ｄｔ
この場合でも、この最大化に関する限界値Ｒ＊又は不等式（８ａＢ）により定義される偏差Δ（以下を参照）を式（８ａＢ）の範囲内で自由に選定できる手段がユーザの手に委ねられている。全体として、信号が取り得る変化形態ｘｊ（ｔ），ｙｊ（ｔ）の全数に関して、次の条件を満たさなければならない。
【０１７０】
Ｔ
（８ａＢ）０≦Ｒ＊−Δ≦∫｜ｆ＊［ｘ（ｔ）］＋ｇ＊［ｙ（ｔ）］｜ｄｔ
−Ｔ
Ｔ
≦ｍａｘ｛ｆ＊［ｘｊ（ｔ）］，ｇ＊［ｙｊ（ｔ）］｝∈Φ∫｜ｆ＊［ｘｊ（ｔ）］＋ｇ
−Ｔ
＊［ｙｊ（ｔ）］｜ｄｔ
≦Ｒ＊＋Δ
Ｔ
≦∫ａ＊｛１／√［１−（１−ａ２）＊ｓｉｎ２ａｒｇ｛ｆ＊［ｘ（ｔ）］＋ｇ＊［ｙ−
−Ｔ
Ｔ（ｔ）］｝］｝ｄｔ
Ｒ＊とΔは、目標とする出力信号のラウドネス（即ち、聞き手もステレオ音響マッピングの有効性を判定するためのパラメータ）と直接的な関係を有する。
【０１７１】
Δにより定義される限界値Ｒ＊の範囲又は全ての可能な積分されたレリーフの最大値が得られなかった場合、限界値Ｒ＊と偏差Δ又は（関数値ｘ［ｔ（φ，ｆ，α，β）］とｙ［ｔ（φ，ｆ，α，β）］又はｘ［ｔ（φ，ｎ，α，β）］とｙ［ｔ（φ，ｎ，α，β）］に適合した反復措置による）前記の最大値に関して最適化するとの意味で、新しいパラメータφ、ｆ（又はｎ）、α、βを決定して、最適なステレオ音響化に相当する信号ｘ（ｔ）とｙ（ｔ）又はパラメータφ、λ、ρ、ｆ（又はｎ）、α、βが得られるまで、これまでに説明した全ての工程を実施する。
【０１７２】
相関度ｒ、（それぞれ望ましい定義範囲を規定する）パラメータａ及び限界値Ｒ＊とその偏差Δを相応に選定した場合、入力信号の各特性に関して、各適用範囲（例えば、音声又は音楽の再生）に最適なシステムを構成することができる。
【０１７３】
ここに提示した解析は、虚数平面の単位円以外の座標系を選定した場合でも全体として有効である。例えば、幾つかの関数値の代わりに、軸の長さを正規化し、それに応じて計算負荷を軽減することもできる。
【０１７４】
一つの観点では、（周知の）圧縮アルゴリズム又はデータ削減方法の採用、或いは算出を加速するために、例えば、特許文献２又は３により与えられた疑似ステレオ信号の最小値又は最大値などの特異な特徴の解析が推奨される。
【０１７５】
ステレオ音響の最適化のためには、提案した｜＜ｘ（ｔ），ｙ（ｔ）＞｜の解析の代わりに、｜＜ｘ（ｔ），ｙ（ｔ）＞｜２を用いることもできる。それによって、計算負荷が明らかに軽減される。
【０１７６】
その他に、特許文献５は、三つ以上のスピーかにより再生されるステレオ信号を生成する装置又は方法（例えば、従来技術に属するサラウンド設備）に適用することができる。
【０１７７】
特許文献５は、一つの観点において、（例えば、特許文献２又は３による）ステレオ変換器の後に、パラメータに関して部分的に調整可能な複数の手段を縦続接続することを提案しており、それに対して、前記の装置又は方法に関するフィードバックは、論理素子の全ての条件が満たされるまで、パラメータφ、λ、ρ、ｆ（又はｎ）、α、βの最適な変更が行われるように構成されている。
【０１７８】
その他に、これらの手段（論理素子）は、別の位置に配置することができ、一定の制約の下で、完全に、或いは部分的に省略することもできる。
【０１７９】
例えば、特許文献２又は３による装置におけるステレオ変換器では、減衰率λとρが同様に反比例する場合に対して最適なパラメータφ、λ、ｆ（又は簡略化したパラメータｎ）、α、βを決定して、一つのモノラル信号をそれに対応する最適な無相関とラウドネス（聞き手がステレオ信号の良さを判定するための二つの判断基準）を有する疑似ステレオ信号に変換することができる。そのような決定は、出来る限り少ない技術手段により実施すべきである。
【０１８０】
図１Ｂは、ＭＳマトリックス１１０を備えたステレオ変換器（例えば、特許文献２又は３によるステレオ変換器）の出力信号レベルの正規化及び相関度の正規化のための前述した二つの第一の論理素子に関する基本回路を図示しており、（ＭＳマトリックスの前に配置された増幅器を通過する前の）入力信号ＭとＳは、任意選択として、並びに理想的には、図１０Ｂの後に接続され、図１０Ｂにより与えられたパラメータｚが決定されるや否や作動する図７Ｂによる回路に任意に供給することができる（以下を参照）。
【０１８１】
この場合、レベルの正規化のための第一の論理素子１２０は、増幅率ρ＊の同様の二つの増幅器と接続されて、左信号Ｌと右チャネルＲを０ｄＢに最大レベル制御する役割を果たす。
【０１８２】
この装置１１０（例えば、特許文献２又は３によるＭＳマトリックス）から得られた信号ＬとＲは、画一的に増幅率ρ＊で増幅されて（増幅器１１８，１１９）、二つの信号の最大レベルが正確に０ｄＢとなる（複素数平面の単位円に関する正規化）。それは、例えば、フィードバック１２１と１２２及び増幅器１１８と１１９の増幅率ρ＊の変更又は補正によりＬとＲの最大値の０ｄＢへのレベル制御を行う論理素子１２０を後続することによって実現される。
【０１８３】
振幅に関してＬとＲに直接比例する、与えられたステレオ信号ｘ（ｔ）１２３とｙ（ｔ）１２４は、第二の工程において、次の短時間相関を用いて、
Ｔ
（１Ｂ）ｒ＝（１／２Ｔ）＊∫ｘ（ｔ）ｙ（ｔ）ｄｔ＊（１／ｘ（ｔ）ｅｆｆｙ（ｔ）
−Ｔ
ｅｆｆ）
相関度ｒを決定する別の論理素子１２５に供給される。ｒは、ユーザによって、−１≦ｒ≦１の範囲内で決定され、理想的には、０．２≦ｒ≦０．７の範囲内で変動する。
【０１８４】
ｒの変更によって、フィードバック１２６を介して、Ｓ信号のための増幅器１１７の増幅率λが最適に適合されることとなる。
【０１８５】
与えられた信号ＬとＲは、再び増幅器１１８及び１１９と、フィードバック１２１及び１２２によりＬとＲの最大値の０ｄＢへの新たなレベル制御を行う論理素子１２０とを通過した後、再び論理素子１２５に供給される。
【０１８６】
この措置は、ユーザにより決定された相関度ｒに到達するまで最適に実施される。
【０１８７】
その結果、複素数平面の単位円に関して正規化されたステレオ信号ｘ（ｔ），ｙ（ｔ）が得られる。
【０１８８】
図２Ｂは、入力信号ｘ（ｔ），ｙ（ｔ）を複素数平面にマッピングするか、或いはその合計ｆ＊［ｘ（ｔ）］＋ｇ＊［ｙ（ｔ）］の偏角を決定する基本回路を図解している。この回路では、与えられた信号ｘ（ｔ）とｙ（ｔ）がマトリックスの図１Ｂの出力に供給され、そこで、それぞれ増幅率１／√２で増幅された（増幅器２２９，２３０）後、同じ音量の実数部と虚数部に分割され、増幅器２２９を用いて増幅された信号ｘ（ｔ）から生成される実数部は、更に増幅率−１の増幅器２３１を通過する。そのため、次の伝達関数が得られる。
（２Ｂ）ｆ＊［ｘ（ｔ）］＝［ｘ（ｔ）／√２］＊（−１＋ｉ）
及び
（３Ｂ）ｇ＊［ｙ（ｔ）］＝［ｙ（ｔ）／√２］＊（１＋ｉ）
ここで、各実数部又は虚数部は、合算され、それにより、伝達関数の合計ｆ＊［ｘ（ｔ）］＋ｇ＊［ｙ（ｔ）］の実数部と虚数部が得られる。
【０１８９】
この素子２３２によって、ｆ＊［ｘ（ｔ）］＋ｇ＊［ｙ（ｔ）］の偏角が決定される。
【０１９０】
図３Ｂによって、パラメータａ（０≦ａ≦１）に関して、定義範囲の選択が可能であり、ａにより、複素数平面の単位円又は虚軸を出発点として、無段階の調節が可能である。従って、ユーザは、複素数平面上の単位円内において、ａにより決まる定義範囲を自由に決定することができる。そのために、ｆ＊［ｘ（ｔ）］＋ｇ＊［ｙ（ｔ）］の実数部の二乗３３３ａ又は虚数部の二乗３３４ａを計算する。３３３ａから得られた信号は、次に、増幅器３３５ａに供給されて、ユーザが自由に選定可能な増幅率１／ａ２で増幅される。更に、伝達関数の合計ｆ＊［ｘ（ｔ）］＋ｇ＊［ｙ（ｔ）］の偏角の正弦の二乗を計算する。
【０１９１】
図４Ｂは、図３Ｂの出力の後に接続される新しい第三の論理素子のための基本回路を図示しており、その素子は、図１Ｂで生成されて、図２Ｂにより複素数平面上にマッピングされた信号を次の条件により検査する。
（４ａＢ）Ｒｅ２｛ｆ＊［ｘ（ｔ］＋ｇ＊［ｙ（ｔ）］｝＊１／ａ２＋Ｉｍ２｛ｆ＊［ｘ（ｔ］＋ｇ＊［ｙ（ｔ）］｝≦１
ここでは、伝達関数の合計ｆ＊［ｘ（ｔ）］＋ｇ＊［ｙ（ｔ）］の実数部の二乗及び虚数部の二乗と３３４ａ及び３３５ａから得られた信号とは、上記の判断基準を満たすか否かに従って、伝達関数の合計ｆ＊［ｘ（ｔ）］＋ｇ＊［ｙ（ｔ）］の値がユーザによりａを用いて定義された新しい値の範囲内に有るか否かを検査する別の論理素子４３６ａに供給される。
【０１９２】
それが満たされない場合、フィードバック４３７ａを介して、新しい最適値φ、ｆ（又はｎ）、α、βが決定されて、伝達関数の合計ｆ＊［ｘ（ｔ）］＋ｇ＊［ｙ（ｔ）］の値がユーザによりａを用いて定義された新しい値の範囲内となるまで、これまでに説明したシステム全体を再び通過する。ここで、論理素子４３６ａの出力信号は、最後の論理素子５３８ａ（図５Ｂ）に引き渡される。
【０１９３】
その素子は、最終的に関数値を最大化するとの意味で関数ｆ＊［ｘ（ｔ）］＋ｇ＊［ｙ（ｔ）］のレリーフを解析し、ユーザは、そのような最大化のために不等式（８ａＢ）により決まる限界値Ｒ＊（及び同様に不等式（８ａＢ）により決まる偏差Δ）を自由に選定することができる。全体として、次の条件を満たさなければならない。
【０１９４】
Ｔ
（８ａＢ）０≦Ｒ＊−Δ≦∫｜ｆ＊［ｘ（ｔ）］＋ｇ＊［ｙ（ｔ）］｜ｄｔ
−Ｔ
Ｔ
≦ｍａｘ｛ｆ＊［ｘｊ（ｔ）］，ｇ＊［ｙｊ（ｔ）］｝∈Φ∫｜ｆ＊［ｘｊ（ｔ）］＋ｇ
−Ｔ
＊［ｙｊ（ｔ）］｜ｄｔ
≦Ｒ＊＋Δ
Ｔ
≦∫ａ＊｛１／√［１−（１−ａ２）＊ｓｉｎ２  ａｒｇ ｛ｆ＊［ｘ（ｔ）］＋ｇ＊−
−Ｔ
Ｔ［ｙ（ｔ）］｝］｝ｄｔ
この条件が満たされない場合、フィードバック５３９ａを介して、新しい最適な値φ、ｆ（又はｎ）、α、βが反復して決定されて、関数ｆ＊［ｘ（ｔ）］＋ｇ＊［ｙ（ｔ）］のレリーフがユーザによって定義された限界値Ｒ＊又は偏差Δを考慮して関数値の目標とする最大化が満たされるまで、これまでに説明したシステム全体を通過する。
【０１９５】
そのため、例えば、特許文献２又は３の実施形態による従来の疑似ステレオ変換器を用いて（ここでは、減衰率λとρが同様に反比例する場合を仮定して）、ｘ（ｔ）とｙ（ｔ）が前述した条件（４ａＢ）と（８ａＢ）を満たすまで、新しいパラメータφ、ｆ（又はｎ）、α、βが反復して決定される。
【０１９６】
従って、信号ｘ（ｔ）１２３とｙ（ｔ）１２４は、（選定可能な相関度ｒにより決まる）互換性、（選定可能な増幅度ａにより決まる）定義範囲及び（選定可能な限界値Ｒ＊又は選定可能な偏差Δにより決まる）ラウドネスに関して、ユーザの設定基準に合致して、前述した装置の出力信号Ｌ＊とＲ＊を表すこととなる。
【０１９７】
マッピング方向の決定のために：
場合によっては、与えられたステレオ音響マッピングをステレオ音響化の主軸に基づく指向特性の周りに鏡映させることも、例えば、その主軸に関して鏡面反転されたマッピングが得られるので重要である。それは、左と右チャネルを手動で置き換えることによって実現することができる。
【０１９８】
既に存在するステレオ信号Ｌ°，Ｒ°を本システムによりマッピングする場合、ここで説明した疑似ステレオ手法を用いて生成されたファントム音源の正しいマッピング方向は、例えば、図１０Ｂよっても自動的に計算することができる（図５Ｂを直後に接続し、既に存在するステレオ信号Ｌ°，Ｒ°の複素伝達関数の合計ｆ＊（ｌ（ｔｉ））＋ｇ＊（ｒ（ｔｉ））を決定するための図６Ｂを同じく図１０Ｂに接続することができる）。この場合、（以下で述べる伝達関数ｆ＊（ｘ（ｔｉ））＋ｇ＊（ｙ（ｔｉ）又はｆ＊（ｌ（ｔｉ））＋ｇ＊（ｒ（ｔｉ））の相関する全ての関数値が少なくとも一つの場合にゼロと等しくならない）好適に選定された時点ｔｉにおいて、図２Ｂにより既に計算した伝達関数ｆ＊（ｘ（ｔｉ））＋ｇ＊（ｙ（ｔＩ））が（図２Ｂの入力信号ｘ（ｔ），ｙ（ｔ）に関する回路の第一の部分と構造が同じである図６Ｂの回路により計算される）当初のステレオ信号Ｌ°，Ｒ°の左信号ｌ（ｔ）又は右信号ｒ（ｔ）の伝達関数ｆ＊（ｌ（ｔｉ））＋ｇ＊（ｒ（ｔｉ））と比較される。これらの伝達関数が複素数平面の同じ象限又は対角線に関して反対の象限内を動く場合、複素数平面の同じ象限又は対角線に関して反対の象限内に有る前記の伝達関数の関数値の総数ｍがそれぞれ１だけ上昇する。
【０１９９】
ここで、伝達関数ｆ＊（ｘ（ｔｉ））＋ｇ＊（ｙ（ｔＩ）又はｆ＊（ｌ（ｔｉ））＋ｇ＊（ｒ（ｔｉ））の相関する関数値のゼロでない数以下である、経験的に（或いは統計調査により）決定可能な数ｂは、必要なヒット数を決定する。この数以内では、例えば、図１Ｂ，２Ｂ，３Ｂ〜５Ｂの装置から得られるステレオ信号の左チャネルｘ（ｔ）と右チャネルｙ（ｔ）は、置き換えられる。
【０２００】
前述した関数ｆ（又はその簡単化されたパラメータｎ）の指向特性と（例えば、データ圧縮のために）パラメータφ、α、β、λ又はρに加えて、（例えば、パラメータｚだけ拡張可能な出力６４０ａのために、以下を参照）当初のステレオ信号をモノラル信号に符号変換する場合、与えられた左チャネルを与えられた右チャネルと置き換えるべきか否かの（例えば、０又は１の数を採るパラメータｚにより表され、望ましい場合には、図７Ｂの回路を同時に起動することができる）情報も一緒に符号化することが有効である。
【０２０１】
僅かに変更して、電気回路又はアルゴリズム内の別の位置に挿入することもできる、図６Ｂと１０Ｂの回路と同様の回路を構成することができる。
【０２０２】
マッピング幅の縮小又は拡大のために：
この用途に関しても、従来技術に属する圧縮アルゴリズム又はデータ削減手法の追加的な採用、或いは本発明による算出を加速するための、例えば、与えられた疑似ステレオ信号の最小値又は最大値などの特異な特徴の解析も推奨される。
【０２０３】
与えられたステレオ信号の相関度ｒ又は（与えられたステレオ信号を生成するための）減衰率λ又はρを所定通り変更することによる、与えられたステレオ信号のマッピング幅の補足的な縮小又は拡大は（例えば、自動車でのステレオ信号の再生のためには）特に重要である。この場合、ステレオ音響化する信号の指向特性を規定する事前に求めたパラメータｆ（又はｎ）、主軸と音源により規定される手動で、或いは測定により検出する角度φ、仮想的な左開口角α及び仮想的な右開口角βを含めることができ、本発明の目的に適うこととして、このようなマッピング幅の縮小又は拡大を手動で行う場合、例えば、図１Ｂの論理素子１２０による最終的な振幅補正だけが僅かに必要である。
【０２０４】
これを自動化する場合、音響心理学による一連の実験は、一定のマッピング幅が基本的に次の判断基準に依存することを示している（ここで、Ｓ＊とε又はＵ＊とκは、例えば、電話信号に関して、音楽録音と異なる形で決定される）。
（９Ｂ）０≦Ｓ＊−ε≦ｍａｘ｜Ｒｅ｛ｆ＊［ｘ（ｔ）］＋ｇ＊［ｙ（ｔ）］｝｜≦Ｓ＊＋ε≦１
及び
Ｔ
（１０Ｂ）０≦Ｕ＊−κ≦∫｜｛ｆ＊［ｘ（ｔ）］＋ｇ＊［ｙ（ｔ）］｝｜ｄｔ≦Ｕ＊
−Ｔ
＋κ
従って、与えられたステレオ信号の相関度ｒ又は（与えられたステレオ信号を生成するための）減衰率λ又はρ、場合によっては、図１Ｂの論理素子１２０と同様の論理素子に応じた好適な関数値ｘ（ｔ），ｙ（ｔ）だけが、フィードバックに基づく関数方式を反復することにより僅かに決定される。
【０２０５】
そのため、図１Ｂ，２Ｂ，３Ｂ〜５Ｂ，６Ｂ，１０Ｂの装置は、配置構成との意味において、例えば、図７Ｂ，８Ｂ及び／又は９Ｂに図示された構成を拡張することができる。ここでは、図７Ｂは、図１０Ｂが後に接続されている場合に、パラメータｚが入力信号として与えられると作動される、ステレオ又は疑似ステレオ信号を正規化するための回路の別の例を図示している。この場合、増幅率λの初期値は、パラメータｚが引き渡された場合の図１Ｂの増幅率λの最終値と一致し、そのような引き渡された時点では、図１Ｂの入力信号は、図７Ｂの入力信号として直接引き渡される。
【０２０６】
図７Ｂ〜９Ｂの回路は、その他の点では、それ以外の回路又はアルゴリズムに独立して使用することもできる。
【０２０７】
この構成では、ＭＳマトリックス１１０内において、（パラメータｚが入力信号として与えられると同時に、このＭＳマトリックスを作動する）論理素子１１０ａにより、パラメータｚが１と等しい場合に、左と右チャネルが置き換えられ、それ以外の場合には、そのような置き換えは行われない。
【０２０８】
ここで、ＭＳマトリックス１１０の与えられた出力信号ＬとＲは、二つの信号の最大値が正確に０ｄＢのレベルを有するように（複素数平面の単位円に関する正規化）、増幅率ρ＊で画一的に増幅される（増幅器１１８，１１９）。これは、例えば、フィードバック１２１と１２２及び増幅器１１８と１１９の増幅率ρ＊の変更又は補正によりＬとＲの最大値の０ｄＢへのレベル制御を行う論理素子１２０を後に接続することによって実現される。
【０２０９】
ここで、更なる工程において、与えられた信号ｘ（ｔ）１２３とｙ（ｔ）１２４は、図８Ｂのマトリックスに供給され、そこで、それぞれ増幅率１／√２による増幅後（増幅器２２９，２３０）、同レベルの実数部と虚数部に分割され、増幅器２２９を用いて増幅された信号ｘ（ｔ）から生成された実数部は、更に増幅率−１の増幅器２３１に通される。それにより、図２Ｂと関連して既に説明した複素伝達関数ｆ＊［ｘ（ｔ）］とｇ＊［ｙ（ｔ）］が得られる。ここで、各実数部又は虚数部は、合算され、それにより、伝達関数の合計ｆ＊［ｘ（ｔ）］＋ｇ＊［ｙ（ｔ）］の実数部又は虚数部が得られる。
【０２１０】
ここで、例えば、図９Ｂの論理素子６４０による装置が後に接続され、この装置は、ユーザにより目標とするステレオ信号のマッピング幅に関して好適に選定された限界値Ｓ＊又は好適に選定した偏差εが次の条件を満たすか否かを検査する。
（９Ｂ）０≦Ｓ＊−ε≦ｍａｘ｜Ｒｅ｛ｆ＊［ｘ（ｔ）］＋ｇ＊［ｙ（ｔ）］｝｜≦Ｓ＊＋ε≦１
この条件を満たさない場合、フィードバック６４１を介して、相関度ｒ或いは（与えられたステレオ信号を生成するための）減衰率λ又はρに関する新しい最適な値が決定されて、上記の条件（９Ｂ）が満たされるまで、図７Ｂ〜９Ｂに図示された通りのこれまでに説明した工程に通される。
【０２１１】
ここで、論理素子６４０の出力信号は、例えば、図９Ｂの論理素子６４２による装置に引き渡される。その装置は、最終的に目標とするステレオ信号のマッピング幅に関して関数値を最適化するとの意味で関数ｆ＊［ｘ（ｔ）］＋ｇ＊［ｙ（ｔ）］のレリーフを解析し、その場合、ユーザは、目標とするステレオ信号のマッピング幅に関して、次の不等式（１０Ｂ）により定義される限界値Ｕ＊と偏差κを好適に選定することができる。全体として、次の条件を満たさなければならない。
【０２１２】
Ｔ
（１０Ｂ）０≦Ｕ＊−κ≦∫｜ｆ＊［ｘ（ｔ）］＋ｇ＊［ｙ（ｔ）］｜ｄｔ≦Ｕ＊＋κ
−Ｔ
この条件が満たされない場合、フィードバック６４３を介して、相関度ｒ或いは（与えられたステレオ信号を生成するための）減衰率λ又はρに関して新しい最適な値を決定して、関数ｆ＊［ｘ（ｔ）］＋ｇ＊［ｙ（ｔ）］のレリーフが、ユーザにより好適に選定された限界値Ｕ＊又は偏差κを考慮して、マッピング幅に関する関数値の目標とする最適化を満たすまで、図７Ｂ〜９Ｂに図示されている通り、これまでに説明した工程を実施する。
【０２１３】
従って、信号ｘ（ｔ）１２３とｙ（ｔ）１２４は、相関度ｒ或いは（与えられたステレオ信号を生成するための）減衰率λ又はρにより決まるマッピング幅に関して、ユーザの設定基準に合致して、前述した装置の出力信号Ｌ＊＊とＲ＊＊を表すこととなる。
【０２１４】
前述した装置又はその装置の一部は、パラメータφ、ｆ（又は簡単化されたｎ）、α、β、λ又はρに追加して、完璧なステレオ信号を一つのモノラル信号に減縮する符号器として使用することができる。
【０２１５】
既に存在するステレオ信号は、ｒ、ａ、Ｒ＊、Δ、マッピング方向（又は以下で説明するパラメータＳ＊又はε或いはＵ＊又はκ）に関して評価された後、同じく特許文献２又は３による装置又は方法に関して、パラメータφ、ｆ（又はｎ）、α、β、λ又はρに基づき新たにモノラル信号として符号化することができる。
【０２１６】
同様に、場合によっては、後続の素子により補完される、前述した装置は、モノラル信号のための復号器として使用することができる。φ、ｆ（又はｎ）、α、β、λ又はρ、（例えば、０又は１の値を採ることができるパラメータｚにより表される）マッピング方向が分かると、そのような復号器は特許文献２〜５による装置に減縮される。
【０２１７】
全体として、そのような符号器又は復号器は、オーディオ信号を記録、変換、伝送又は再生する如何なる所でも用いることができる。それらは、マルチチャネルステレオ方式の優れた代替方式である。
【０２１８】
具体的な応用範囲は、通信（ハンズフリー機器）、グローバルネットワーク、コンピュータシステム、送信・伝送機器、特に、衛星伝送機器、専門的なオーディオ方式、テレビ、映画、放送及び消費者用電子機器である。
【０２１９】
本発明は、不利な受信条件の下（例えば、自動車）で安定したＦＭステレオ信号の取得に関しても特に重要である。その場合、安定したステレオ音響化は、当初のステレオ信号の左と右チャネルの合計を表す、入力信号としてのメインチャネル信号（Ｌ＋Ｒ）だけの助けを借りて実現することができる。この場合、使用可能なＳ−信号を生成するために、或いはステレオ音響化する信号の指向特性を規定するパラメータｆ（又はｎ）、主軸と音源により規定される手動で、或いは測定により検出する角度φ、仮想的な左開口角α、仮想的な右開口角β、与えられたステレオ信号を生成するための減衰率λ又はρ、それから得られる、ＭＳマトリックス又はそれ以外の本発明による装置から得られた左と右チャネルを単位円に関して正規化する（この場合、１は、例えば、ρ＊を用いて正規化された０ｄＢの最大レベルに相当し、ｘ（ｔ）はその正規化から得られた左の出力信号を表し、ｙ（ｔ）はその正規化から得られた右の出力信号を表す）ための図１Ｂの増幅率ρ＊、与えられたステレオ信号の相関度ｒ、与えられた出力信号の伝達関数（例えば、次の複素伝達関数
（２Ｂ）ｆ＊［ｘ（ｔ）］＝［ｘ（ｔ）／√２］＊（−１＋ｉ）
及び
（３Ｂ）ｇ＊［ｙ（ｔ）］＝［ｙ（ｔ）／√２］＊（１＋ｉ）
ここで、例えば、０≦ａ≦１に関して、次の式が成り立つ。
（４ａＢ）Ｒｅ２｛ｆ＊［ｘ（ｔ］＋ｇ＊［ｙ（ｔ）］｝＊１／ａ２＋Ｉｍ２｛ｆ＊［ｘ（ｔ］＋ｇ＊［ｙ（ｔ）］｝≦１
）の合計に関する許容値範囲を定義するための増幅率ａ、前記の伝達関数の合計の関数値の絶対値を決定又は最大化するための限界値Ｒ＊又は偏差Δ（この場合、そのような決定又は最大化と時間間隔［−Ｔ，Ｔ］又は可能な出力信号ｘｊ（ｔ），ｙｊ（ｔ）の全数に関して、例えば、次の式が成り立つ
Ｔ
（８ａＢ）０≦Ｒ＊−Δ≦∫｜ｆ＊［ｘ（ｔ）］＋ｇ＊［ｙ（ｔ）］｜ｄｔ
−Ｔ
Ｔ
≦ｍａｘ｛ｆ＊［ｘｊ（ｔ）］，ｇ＊［ｙｊ（ｔ）］｝∈Φ∫｜ｆ＊［ｘｊ（ｔ）］＋ｇ
−Ｔ
＊［ｙｊ（ｔ）］｜ｄｔ
≦Ｒ＊＋Δ
Ｔ
≦∫ａ＊｛１／√［１−（１−ａ２）＊ｓｉｎ２ａｒｇ｛ｆ＊［ｘ（ｔ）］＋ｇ＊［ｙ−
−Ｔ
Ｔ（ｔ）］｝］｝ｄｔ
）、例えば、図６Ｂにより計算された、（例えば、それに続いて与えられた左と右チャネルを置き換えることにより最適化することができる、上記を参照）当初のステレオ信号の左と右チャネルの伝達関数の合計の関数値が属する象限の決定により再現される音源のマッピング方向、（例えば、次の式が
（９Ｂ）０≦Ｓ＊−ε≦ｍａｘ｜Ｒｅ｛ｆ＊［ｘ（ｔ）］＋ｇ＊［ｙ（ｔ）］｝｜≦Ｓ＊＋ε≦１
成り立たなければならない）限界値Ｓ＊又は偏差ε、或いは全体として目標とするステレオ信号のマッピング幅を決定するための（例えば、次の式が
Ｔ
（１０Ｂ）０≦Ｕ＊−κ≦∫｜ｆ＊［ｘ（ｔ）］＋ｇ＊［ｙ（ｔ）］｜ｄｔ≦Ｕ＊＋κ
−Ｔ
成り立たなければならない）限界値Ｕ＊又は偏差κを決定又は最適化するために、当初のステレオ信号の左チャネルから右チャネルを減算した結果を表す、完全又は不完全なサブチャネル（Ｌ−Ｒ）を一緒に使用することができる。この結果は、如何なる場合でもＦＭ信号に関する一定のステレオ音響マッピングとなる。
【０２２０】
この場合においても、従来技術に属する圧縮アルゴリズム又はデータ削減手法、或いは例えば、算出の加速のために構成又は与えられた信号又は信号部分の最小値と最大値などの特異な特徴の解析を更に採用することができる。
【０２２１】
如何なる実施構成及び如何なる図面、例えば、如何なる構成要素においても、図示された回路、変換器、装置又は論理素子は、例えば、同等のソフトウェアプログラムとプログラミングされたプロセッサ、或いはＤＳＰ又はＦＰＧＡ解決手法によって実現することができる。
【０２２２】
使用しているシンボル：
φ（ファイ）  録音角度
α（アルファ）  仮想的な左開口角
β（ベータ）    仮想的な右開口角
λ  左の入力信号に関する減衰率
ρ  右の入力信号に関する減衰率
減衰率λとρを用いて、ステレオ信号の相関度を合わせることができる。
Ψ  極角
ｆ  Ｍ信号の指向特性を規定する極距離
Ｐα，Ｐβ  α又はβに関する増幅率
Ｌα，Ｌβ  α又はβに関する遅延時間
Ｓα  Ｓ−信号のシミュレーションした左信号部分
Ｓβ  Ｓ−信号のシミュレーションした右信号部分
ｘ（ｔ）  左の出力信号
ｙ（ｔ）  右の出力信号
ｆ＊［ｘ（ｔ）］  複素伝達関数
ｇ＊［ｙ（ｔ）］  複素伝達関数
ａ  与えられた出力信号ｘ（ｔ），ｙ（ｔ）の伝達関数の合計に関する許容値範囲を定義するための増幅率
ｒ  短時間相互相関から導き出される相関度
Ｒ＊  与えられた出力信号ｘ（ｔ），ｙ（ｔ）のラウドネスに関する限界値
Δ  偏差
Ｓ＊  与えられた出力信号ｘ（ｔ），ｙ（ｔ）のマッピング幅に関する第一の限界値
ε  偏差
Ｕ＊  与えられた出力信号ｘ（ｔ），ｙ（ｔ）のマッピング幅に関する第二の限界値
κ  偏差
特許文献１１又は１２は、本発明の出願時点では公開されていない。そのため、本発明の以下における実施例を理解してもらうために、以下において、その内容全体を説明する。
【０２２３】
特許文献１１又は１２も、信号（例えば、オーディオ信号）と、一般的にその信号を生成、伝送、評価、変換及び再生する装置及び方法とに関し、特に、一つ以上の信号の一つの以上の任意のマッピング、或いは二つ以上の信号の一つ以上の結合に基づく推定を実施できる方法、装置又はシステムに関する。ｘ（ｔ）が時点ｔでの左側の入力信号の関数値を表し、ｙ（ｔ）が時点ｔでの右側の入力信号の関数値を表す場合のステレオオーディオ信号ｘ（ｔ），ｙ（ｔ）の例では、例えば、次の伝達関数の合計を解析して、それらの信号の特性を推定することができる。
ｆ＊［ｘ（ｔ）］＝［ｘ（ｔ）／√２］＊（−１＋ｉ）
ｇ＊［ｙ（ｔ）］＝［ｙ（ｔ）／√２］＊（１＋ｉ）
このような推定は、特に、完全にランダムな法則の下で発生すると考えられる（例えば、オーディオ信号などの）二つの異なる信号の共通の特性に対して実施できる。
【０２２４】
これまでの方法は、そのようなランダムな法則を（相応の大きさで重み付けした上で）シミュレーションして、解析する信号に関して利用できるようにすることを追求していた。例えば、ＤＡＢ（デジタルオーディオ放送）では、所謂タップ付遅延線モデルによりガウスプロセスをシミュレーションするか、或いは移動無線チャネルのシミュレーションのためにモンテカルロ法（二次元での色複素ガウス雑音）を用いていた。
【０２２５】
全体として、従来技術では、これまでの代数的不変式は、相応の根拠を欠いているために音事象又はそれと同様のプロセスの解析又は最適化に適用されていないと言える。
【０２２６】
デービッド・ヒルベルト氏以降、代数的不変式の画期的な研究が、１００年以上前から、特に、ガウスプロセスに関して（並びに、特に、オーディオ信号に関して）、そのような代数的不変式の存在を基本的に予想していたにも関わらず、その証明が成功していなかった。
【０２２７】
特許文献１１又は１２は、そのような代数的不変式の存在を証明するだけでなく、それを実際に商業的な信号技術に関して、例えば、ステレオ又は疑似ステレオ信号を取得、改良又は最適化する装置又は方法の校正のためにも利用できるようにすることである。
【０２２８】
特許文献１１又は１２には、先ずは、複素数平面上における、少なくとも二つの信号ｓ１（ｔ），ｓ２（ｔ），．．．，ｓｍ（ｔ）又はそれらの伝達関数ｔ１（ｓ１（ｔ）），ｔ２（ｓ２（ｔ）），．．．，ｔｍ（ｓｍ（ｔ））の一つの結合ｆ１＾（ｔ）又は複数の結合ｆ１＾（ｔ），ｆ２＾（ｔ），．．．，ｆｐ＾（ｔ）、或いは一つの信号ｓ１＃（ｔ）又は複数の信号ｓ１＃（ｔ），ｓ２＃（ｔ），．．．，ｓΩ＃（ｔ）の一つの任意に定義可能なマッピングｆ＃（ｔ）又は複数の任意に定義可能なマッピングｆ１＃（ｔ），ｆ２＃（ｔ），．．．，ｆμ＃（ｔ）を解析するか、或いは複素数平面上の全ての点のノルムによって定義されるレリーフ（頂点が複素数平面の原点に有り、対称軸が複素数平面に対して垂直である単位円錐）上へのそれらのマッピングを解析する。
【０２２９】
ここでは、そのような円錐の実軸、虚軸及び対称軸は、座標（ｘ１，ｘ２，ｘ３）によるデカルト座標として表される。この円錐の頂角の変化は、次の円錐の式となる。
ｘ１２＋ｘ２２−（１／ｇ＊２）＊ｘ３＝０
次の式が成り立ち、
ａＡ’＋ｂＢ’＋ｃＣ’＋２ｆＦ’＋２ｇＧ’＋２ｈＨ’＝０
ＳとΣ’は、次の通り無極性となる。
１＊１＋１＊１−（１／ｇ２）＊（１／ｇ’’２）＝０
又は
（１／ｇ２）＊（１／ｇ’’２）＝２
従って、ｇ’＝ｇ’’＝１とｇ＝１／√２が成り立つ場合、ＳとＳ‘及びΣ’との無極性が保証される。
【０２３０】
そのため、単位円錐Ｓ’＝１＊ｘ１２＋１＊ｘ２２−１＊ｘ３２＝０の解析は、次のＳに関する同様の僅かな不変式の解析と同時に行われる。
Ｓ＝１＊ｘ１２＋１＊ｘ２２−２＊ｘ３２＝０
又は
Σ’＝１＊ｕ１２＋１＊ｕ２２＋１＊ｕ３２＋２＊１＊ｕ２ｕ３＋２＊１＊ｕ３ｕ１＋２＊１＊ｕ１ｕ２＝０
従って、次の関係式は、
ａａ’２：＝１＊１２＋１＊１２−２＊１２＝０
次の式
Ｓ＝１＊ｘ１２＋１＊ｘ２２−２＊ｘ３２＝０
又は係数［１  １  −１／ｇ＊２］に関して線形的である。ここで、次の二つの円錐の式を解析する。
Ｓ：＝ａｘ２：＝１＊ｘ１２＋１＊ｘ２２−（１／ｇ２）＊ｘ３２＝０
及び
Ｓ’：＝ａ’ｘ２：＝１＊ｘ１２＋１＊ｘ２２−（１／ｇ’２）＊ｘ３２＝０
従って、次の不変式が既知となる。
ａａ’２：＝１＊１２＋１＊１２−（１／ｇ２）＊（１／ｇ’４）
次の式が成り立つ場合、二つの円錐Ｓ，Ｓ‘は無極性である。
（１／ｇ２）＊（１／ｇ’４）＝２
この場合、ＳはＳ‘に調和して内接すると称する。
【０２３１】
ここで、例えば、二つの時間区間ｔ１，ｔ２に関する二つ以上の信号ｓ１（ｔ），ｓ２（ｔ），．．．，ｓｍ（ｔ）又はそれらの伝達関数ｔ１（ｓ１（ｔ）），ｔ２（ｓ２（ｔ）），．．．，ｔｍ（ｓｍ（ｔ））の一つの任意の結合ｆ＾（ｔ）又は複数の結合ｆ１＾（ｔ），ｆ２＾（ｔ），．．．，ｆｐ＾（ｔ）、或いは二つの時間区間ｔ１，ｔ２に関する一つの信号ｓ＃（ｔ）又は複数の信号ｓ１＃（ｔ），ｓ２＃（ｔ），．．．，ｓΩ＃（ｔ）の一つの任意に定義可能なマッピングｆ＃（ｔ）又は複数の任意に定義可能なマッピングｆ１＃（ｔ），ｆ２＃（ｔ），．．．，ｆμ＃（ｔ）と、マッピングＳ，Ｓ‘及び次のΣ’とを解析する。
Σ’：＝ｕａ’２：＝Ａ’ｕ１２＋Ｂ’ｕ２２＋Ｃ’ｕ３２＋２Ｆ’ｕ２ｕ３＋２Ｇ’ｕ３ｕ１＋２Ｈ’ｕ１ｕ２
＝１＊ｕ１２＋１＊ｕ２２＋（１／ｇ’’２）＊ｕ３２＋２＊１＊ｕ２ｕ３＋２＊１＊ｕ３ｕ１＋２＊１＊ｕ１ｕ２
＝０
【０２３２】
本システムにおいて、ヒルベルトにより有名な不変体に関する法則（ヒルベルト、２９１頁の第２章）に基づき、次の線形結合
φ［１，１，−２］＊［１，１，−１］２＋Θ［１，１，−２］＊［１，１，１］２＝０は、又もや不変式を表す。従って、例えば、ベクトル（１，１，−２）と（１，１，１）により規定される平面上において解析するｆ＾（ｔ１）とｆ＾（ｔ２）、ξ１とξ２を通る任意の直線は、ＳとＳ‘又はＳとΣ’の無限に多くの不変式に相当する。
【０２３３】
複素数平面上において鏡映関係の単位円錐を解析すると、円錐の頂角の変化は、次の円錐の式
−ｘ１２−ｘ２２＋（１／ｇ＊２）＊ｘ３
又は係数［−１  −１  １／ｇ＊２］で表される。ここで、次の二つの円錐の式を解析する。
Ｓ：＝ａｘ２：＝−１＊ｘ１２−１＊ｘ２２＋（１／ｇ２）＊ｘ３２＝０
及び
Ｓ’：＝ａ’ｘ２：＝−１＊ｘ１２−１＊ｘ２２＋（１／ｇ’２）＊ｘ３２＝０
従って、次の不変式が既知となる。
ａａ’２：＝−１＊（−１）２−１＊（−１）２＋（１／ｇ２）＊（１／ｇ’４）
次の式
（１／ｇ２）＊（１／ｇ’４）＝２
が成り立つ場合、二つの円錐Ｓ，Ｓ‘は無極性となる。
【０２３４】
この場合、Ｓは、Ｓ‘に調和して内接する。
【０２３５】
ここで、例えば、二つの時間区間ｔ１，ｔ２に関する二つ以上の信号ｓ１（ｔ），ｓ２（ｔ），．．．，ｓｍ（ｔ）又はそれらの伝達関数ｔ１（ｓ１（ｔ）），ｔ２（ｓ２（ｔ）），．．．，ｔｍ（ｓｍ（ｔ））の一つの任意の結合ｆ＾（ｔ）又は複数の結合ｆ１＾（ｔ），ｆ２＾（ｔ），．．．，ｆｐ＾（ｔ）、或いは二つの時間区間ｔ１，ｔ２に関する一つの信号ｓ＃（ｔ）又は複数の信号ｓ１＃（ｔ），ｓ２＃（ｔ），．．．，ｓΩ＃（ｔ）の一つの任意に定義可能なマッピングｆ１＃（ｔ）又は複数の任意に定義可能なマッピングｆ１＃（ｔ），ｆ２＃（ｔ），．．．，ｆμ＃（ｔ）と、マッピングＳ，Ｓ‘及び次のΣ’とを解析する。
Σ’：＝ｕａ’２：＝Ａ’ｕ１２＋Ｂ’ｕ２２＋Ｃ’ｕ３２＋２Ｆ’ｕ２ｕ３＋２Ｇ’ｕ３ｕ１＋２Ｈ’ｕ１ｕ２
＝１＊ｕ１２＋１＊ｕ２２＋（１／ｇ’’２）＊ｕ３２＋２＊１＊ｕ２ｕ３＋２＊１＊ｕ３ｕ１＋２＊１＊ｕ１ｕ２
＝０
【０２３６】
次の式が成り立ち、
ａＡ’＋ｂＢ’＋ｃＣ’＋２ｆＦ’＋２ｇＧ’＋２ｈＨ’＝０
ＳとΣ’は、次の通り無極性となる。
−１＊１−１＊１＋（１／ｇ２）＊（１／ｇ’’２）＝０
又は
（１／ｇ２）＊（１／ｇ’’２）＝２
従って、又もやｇ’＝ｇ’’＝１とｇ＝１／√２が成り立つ場合、ＳとＳ‘及びΣ’との無極性が保証される。
【０２３７】
そのため、次の単位円錐
Ｓ’＝−１＊ｘ１２−１＊ｘ２２＋１＊ｘ３２＝０
の解析は、次のＳ
Ｓ＝−１＊ｘ１２−１＊ｘ２２＋２＊ｘ３２＝０
又は
Σ’＝１＊ｕ１２＋１＊ｕ２２＋１＊ｕ３２＋２＊１＊ｕ２ｕ３＋２＊１＊ｕ３ｕ１＋２＊１＊ｕ１ｕ２＝０
に関する同様の僅かな不変式の解析と同時に行われる。
【０２３８】
従って、次の関係式は、
ａａ’２：＝−１＊（−１）２−１＊（−１）２＋２＊１２
＝−１＊１−１＊１＋２＊１＝０
次の式
Ｓ＝−１＊ｘ１２−１＊ｘ２２＋２＊ｘ３２＝０
及び
Σ’＝１＊ｕ１２＋１＊ｕ２２＋１＊ｕ３２＋２＊１＊ｕ２ｕ３＋２＊１＊ｕ３ｕ１＋２＊１＊ｕ１ｕ２＝０
の係数に関して線形的である。
【０２３９】
本システムにおいて、不変体に関するヒルベルトの法則（ヒルベルト、２９１頁の第２章）に基づき、次の線形結合
φ［−１，−１，２］＊［−１，−１，１］２＋Θ［−１，−１，２］＊［１，１，１］２＝０
は、又もや不変式を表す。従って、例えば、ベクトル（−１，−１，２）と（１，１，１）により規定される平面上において解析するｆ＾（ｔ１）とｆ＾（ｔ２）、ξ１とξ２を通る任意の直線は、ＳとＳ‘又はＳとΣ’の無限に多くの不変式に相当する。
【０２４０】
そのため、容易に理解される通り、Ｓ，Ｓ‘及びΣ’の位置に関する全ての可能な結合は、同じ平面内の結果に関して論じ尽くされることとなる。
【０２４１】
このような実態を実際に信号技術に応用することによって、例えば、前記の不変式を求めることにより、少なくとも二つの信号ｓ１（ｔ），ｓ２（ｔ），．．．，ｓｍ（ｔ）又はそれらの伝達関数ｔ１（ｓ１（ｔ）），ｔ２（ｓ２（ｔ）），．．．，ｔｍ（ｓｍ（ｔ））の一つの結合ｆ＾（ｔ）又は複数の結合ｆ１＾（ｔ），ｆ２＾（ｔ），．．．，ｆｐ＾（ｔ）、或いは一つの信号ｓ＃（ｔ）又は複数の信号ｓ１＃（ｔ），ｓ２＃（ｔ），．．．，ｓΩ＃（ｔ）の一つの任意に定義可能なマッピングｆ＃（ｔ）又は複数の任意に定義可能なマッピングｆ１＃（ｔ），ｆ２＃（ｔ），．．．，ｆμ＃（ｔ）の解析が可能となる。この場合、そのような少なくとも二つの信号ｓ１（ｔ），ｓ２（ｔ），．．．，ｓｍ（ｔ）又はそれらの伝達関数ｔ１（ｓ１（ｔ）），ｔ２（ｓ２（ｔ）），．．．，ｔｍ（ｓｍ（ｔ））の一つの結合ｆ＾（ｔ）又は複数の結合ｆ１＾（ｔ），ｆ２＾（ｔ），．．．，ｆｐ＾（ｔ）、或いは一つの信号ｓ＃（ｔ）又は複数の信号ｓ１＃（ｔ），ｓ２＃（ｔ），．．．，ｓΩ＃（ｔ）の一つの任意に定義可能なマッピングｆ＃（ｔ）又は複数の任意に定義可能なマッピングｆ１＃（ｔ），ｆ２＃（ｔ），．．．，ｆμ＃（ｔ）は、例えば、（ｘ１軸が、例えば、実軸と一致し、ｘ２軸が、例えば、虚軸と一致する）複素数平面上にマッピングされて、次に、この例では、これらのマッピングと、ベクトル（１，１，−２）と（１，１，１）又は（−１，−１，２）と（１，１，１）により規定される平面との交点が解析され、ここで、それらは、絶対的に、或いは統計的な分布に関しても、更なる解析、処理又は最適化のための正確な拠り所となる。例えば、特許文献４又は５に基づき、疑似ステレオ信号の最適化を行い、次に、伝達関数ｆ＊［ｘ（ｔ）］＝［ｘ（ｔ）／√２］＊（−１＋ｉ）及びｇ＊［ｙ（ｔ）］＝［ｙ（ｔ）／√２］＊（１＋ｉ）の合計（以下を参照）と、ベクトル（１，１，−２）と（１，１，１）又は（−１，−１，２）と（１，１，１）により規定される平面との交点を求める。これらの通過点を好適な方法により重み付けすると（以下の詳細な記述を参照）、解析するオーディオ信号に関して特に有利であることが実証されている、特許文献４又は５に基づくパラメータ化手法が得られる。
【０２４２】
一つの観点では、（周知の）圧縮アルゴリズム又はデータ削減方法を採用すること、或いは本発明による算出を加速するために、例えば、解析する信号、伝達関数、結合又はマッピングの最小値又は最大値などの特異な特徴を解析することが推奨される。
【０２４３】
先ずは、図１Ｃ〜４Ｃに基づき本発明の代数的な基礎を具体的に説明する。
【０２４４】
図１Ｃは、ＳとＳ‘又はＳとΣ’に関する無極性の条件を示している。符号１００１は、ｆ〜（ｇ’）によって表されるＳ及びＳ’に関する無極性の条件を示し、符号１００２は、ｆ〜（ｇ’’）によって表されるＳとΣ’に関する無極性の条件を示す。符号１００１と第一象限の対角線１００３との交点１００４は、ＳとＳ‘の一致を示し、符号１００１と１００２の交点１００５が求める無極性の条件自体を示し、ｇ’＝ｇ’’＝１が直接読み取れる。
【０２４５】
図２Ｃは、対応する複素数平面の第一象限から見た、マッピングＳ（２００１）、Ｓ‘（２００２）、Σ’（２００３）とベクトル（１，１，−２）及び（１，１，１）により規定される平面２００４とを図示しており、この平面上には、ＳとＳ’又はＳとΣ’の求める代数的不変式が存在する。符号２００５、２００６及び２００７はデカルト座標システムｘ１＝ｕ１，ｘ２＝ｕ２，ｘ３＝ｕ３により規定される平面を図示している。
【０２４６】
図３Ｃは、同じく対応する複素数平面の第一象限から見た、マッピングＳ（２００１）、Ｓ‘（２００２）、Σ’（２００３）と、ベクトル（１，１，−２）及び（１，１，１）により規定される平面２００４とを図示しており、この平面上には、ＳとＳ’又はＳとΣ’の求める代数的不変式が存在する。符号２００５、２００６及び２００７はデカルト座標システムｘ１＝ｕ１，ｘ２＝ｕ２，ｘ３＝ｕ３により規定される平面を図示している。
【０２４７】
図４Ｃは、ここでは対応する複素数平面の第四象限から見た、マッピングＳ（２００１）、Ｓ‘（２００２）、Σ’（２００３）と、ベクトル（１，１，−２）及び（１，１，１）により規定される平面２００４とを図示しており、この平面上には、ＳとＳ’又はＳとΣ’の求める代数的不変式が存在する。符号２００５、２００６及び２００７はデカルト座標システムｘ１＝ｕ１，ｘ２＝ｕ２，ｘ３＝ｕ３により規定される平面を図示している。
【０２４８】
前述した代数的不変式の実際の商業用途は、ほぼ信号処理分野全体に渡る。特に、例えば、デジタル・オーディオ放送（ＤＡＢ）で通常行われているような、オーディオ信号の確率論的な解析は重要であり、そこでは、これまで、ガウスプロセスをシミュレーションするために、例えば、所謂タップ付き遅延線モデル又はモンテカルロ法（二次元での色複素ガウス雑音）などの方法が使用されていた（非特許文献参照）。そこで使用されていた動作原理を特許文献５などに記載されている最適化プロセスの安定化に応用することは、確かに考えられるが、実際には余り効率的でない。
【０２４９】
しかし、ここで示した代数的不変式に基づき、次の通り、本発明の対象の一部、例えば、重み付けを定義することができる。
【０２５０】
そのために、長さｔの信号区間において、特許文献５、図１Ｂ、２Ｂ、３Ｂ〜５Ｂによる第一の最適化を実施する。図５Ｂの出力は、例えば、図６Ｃのモジュール６００１に供給され、（複素伝達関数ｆ＊［ｘ（ｔ１）］＝［ｘ（ｔ１）／√２］＊（−１＋ｉ）とｇ＊［ｙ（ｔ１）］＝［ｙ（ｔ１）／√２］＊（１＋ｉ）の合計と複素数平面の第一又は第三象限に有る（この場合、ここで説明した代数モデルのｘ１，ｕ１の軸は実軸と一致し、ｘ２，ｕ２の軸は虚軸と一致する）、ベクトル（１，１，−２）と（１，１，１）又は（−１，−１，２）と（１，１，１）により規定される半平面との交点ξｈ１において作り出された）不変式をその統計分布に関して解析する。全数ｋ１の全ての交点ξｈ１は、更に説明する動作フロー全体に関して適用されるメモリ（「スタック」）に保存されて、同様に、次の平均値が計算される。
【０２５１】
ｋ１
ξ°１：＝（Σξｈ１）／ｋ１
ｈ１＝１
これは、前記の第一の最適化により決定したパラメータφ１，ｆ１（又はｎ１），α１，β１と共に、更に説明する動作フロー全体に関して適用される辞書に保存される。
【０２５２】
ここで、第二の工程において、動作コマンド６００４に基づき、特許文献５、図１Ｂ，２Ｂ，３Ｂ〜５Ｂによる第二の最適化が任意の長さの信号区間ｔ２に対して実施される。図５Ｂの出力は、又もや図６Ｃのモジュール６００１に供給され、（複素伝達関数ｆ＊［ｘ（ｔ２）］＝［ｘ（ｔ２）／√２］＊（−１＋ｉ）とｇ＊［ｙ（ｔ２）］＝［ｙ（ｔ２）／√２］＊（１＋ｉ）の合計と複素数平面の第一又は第三象限に有る（この場合、ここで説明した代数モデルのｘ１，ｕ１の軸は実軸と一致し、ｘ２，ｕ２の軸は虚軸と一致する）、ベクトル（１，１，−２）と（１，１，１）又は（−１，−１，２）と（１，１，１）により規定される半平面との交点ξｈ２において作り出された）不変式をその統計分布に関して解析する。全数ｋ２の全ての交点ξｈ２は、更に説明する動作フロー全体に関して適用されるメモリ（「スタック」）に保存されて、同様に、次の平均値が計算される。
【０２５３】
ｋ２
ξ°２：＝（Σξｈ２）／ｋ２
ｈ２＝１
これは、又もや前記の第二の最適化により決定したパラメータφ２，ｆ２（又はｎ２），α２，β２、第一の平均値ξ°１及びそのパラメータφ１，ｆ１（又はｎ１），α１，β１と共に、更に説明する動作フロー全体に関して適用される辞書に保存される。ここで、このメモリ（「スタック」）は複数の平均値を保存しているので、図６Ｃのモデル６００２が作動される。
【０２５４】
それは、次の式により、スタックに保存されている全ての交点ξｈ１，，ξｈ２の平均値ξ＊２を計算して、辞書から、平均値ξ°１，ξ°２の中で、ξ＊２に最も近い平均値を、それに属するパラメータと共に選定する。
【０２５５】
ｋ１      ｋ２
ξ＊２：＝（Σξｈ１＋Σξｈ２）／（ｋ１＋ｋ２）
ｈ１＝１  ｈ２＝１
それが二つの平均値ξ°１，ξ°２に関して満たされる場合、ξ°１又はパラメータφ１，ｆ１（又はｎ１），α１，β１が辞書から選定される。次に、辞書から選定された平均値は、ξ＊２と共に図６Ｃのモジュール６００３に引き渡される。そのモジュールは、図６Ｃのモジュール６００２により選定された平均値が区間［−σ＋ξ＊２，ξ＊２＋σ］内に有るか、否かを検査し、ここで、σ＞０は、次の通り、零点としてのξ＊２において作り出された仮想的なガウス分布のユーザにより任意に選定可能な標準偏差を表す。
ｆｖ（ｚ２＊）＝（１／（√（２π）＊σ））＊ｅ−（１／２）＊（（（ｚ２＊−ξ＊２）＾２）／σ＾２）
【０２５６】
図６Ｃのモジュール６００２により選定された平均値が区間［−σ＋ξ＊２，ξ＊２＋σ］内に有る場合、図７Ａ又は図１Ｂの装置の（明確化のために再度説明するが、一回だけ通過する増幅器７１７とＭＳマトリックスを表す）図６Ｃの部分６０１０における図６Ｃのモジュール６００２により選定されたパラメータ又は図１Ｂの出力６００６及び６００７が作動され、同様に図２Ｂの出力６００８及び６００９が作動される。図１Ｂの出力６００６は図６Ｃの入力に合流し、図１Ｂの出力６００７は図６Ｃの入力６００７に合流し、図２Ｂの出力６００８は図６Ｃの入力６００８に合流し、図２Ｂの出力６００９は図６Ｃの入力６００９に合流する。図６Ｃの符号６００６は図６Ｃのモジュール６００３の出力信号ｘ（ｔ）自体を表し、符号６００７はモジュール６００３の出力信号ｙ（ｔ）自体を表し、図６Ｃの符号６００８は図６Ｃのモジュール６００３の出力信号Ｒｅ  ｆ＊［ｘ（ｔ）］＋ｇ＊［ｙ（ｔ）］自体を表し、図６Ｃの符号６００９は図６Ｃのモジュール６００３の出力信号Ｉｍ  ｆ＊［ｘ（ｔ）］＋ｇ＊［ｙ（ｔ）］自体を表す。これらの信号は、図５Ｂの出力信号を表すように、本発明の実施例の図６Ｃにおいて分離できないユニットを構成する前述した別の信号処理部で処理される。
【０２５７】
図６Ｃのモジュール６００２により選定された平均値が区間［−σ＋ξ＊２，ξ＊２＋σ］外に有る場合、ｑ番目の工程において、特許文献５、図１Ｂ，２Ｂ，３Ｂ〜５Ｂによるｑ回目の最適化が任意の長さの信号区間ｔｑに対して行われる。図５Ｂの出力は、又もや図６Ｃのモジュール６００１に供給され、（複素伝達関数ｆ＊［ｘ（ｔ２）］＝［ｘ（ｔｑ）／√２］＊（−１＋ｉ）とｇ＊［ｙ（ｔｑ）］＝［ｙ（ｔｑ）／√２］＊（１＋ｉ）の合計と複素数平面の第一又は第三象限に有る（この場合、ここで説明した代数モデルのｘ１，ｕ１の軸は実軸と一致し、ｘ２，ｕ２の軸は虚軸と一致する）、ベクトル（１，１，−２）と（１，１，１）又は（−１，−１，２）と（１，１，１）により規定される半平面との交点ξｈｑにおいて作り出された）不変式をその統計分布に関して解析する。全数ｋｑの全ての交点ξｈｑは、ξｈ１，ξｈ２，．．．，ξｈｑ−１と共に更に説明する動作フロー全体に関して適用されるメモリ（「スタック」）に保存されて、同様に、次の平均値が計算される。
【０２５８】
ｋｑ
ξ°ｑ：＝（Σξｈｑ）／ｋｑ
ｈｑ＝１
これは、又もや前記のｑ番目の最適化により決定したパラメータφｑ，ｆｑ（又はｎｑ），αｑ，βｑ、平均値ξ°１，ξ°１，．．．，ξ°ｑ−１及びそれに付属するパラメータパラメータφ１，ｆ１（又はｎ１），α１，β１；φ２，ｆ２（又はｎ２），α２，β２；．．．；φｑ−１，ｆｑ−１（又はｎｑ−１），αｑ−１，βｑ−１と共に、更に説明する動作フロー全体に関して適用される辞書に保存される。ここで、このメモリ（「スタック」）は複数の平均値を保存しているので、図６Ｃのモデル６００２が作動される。
【０２５９】
そのモデルは、次の式により、スタックに保存されている全ての交点ξｈ１，，ξｈ２，，．．．，ξｈｑの平均値ξ＊ｑを計算して、辞書から、平均値ξ°１，ξ°２，．．．，ξ°ｑの中で、ξ＊ｑに最も近い平均値を、それに属するパラメータφ，ｆ（又はｎ），α，βと共に選定する。
【０２６０】
ｋ１      ｋ２              ｋｑ
ξ＊ｑ：＝（Σξｈ１＋Σξｈ２＋．．．＋Σξｈｑ）／（ｋ１＋ｋ２＋．．．ｋｑ）
ｈ１＝１  ｈ２＝１          ｈｑ＝１
異なるパラメータに関する平均値が同じ場合、最も頻繁に辞書に存在するパラメータが選定される。複数のパラメータが同じ頻度で存在する場合、辞書において、最も広い分散を示す、即ち、ｄがそれぞれ通過する最適化工程の最後の指数を表し、ｃが最初の指数を表す場合に、差ｄ−ｃが最大となるパラメータが選定される。それが複数のパラメータに関して該当する場合、最初に存在するパラメータが選定される。ξ°１，ξ°２，．．．，ξ°ｑの中の二つの平均値がξ＊ｑに最も近く、ｑ−１番目の工程において、それらの二つの平均値の中の一方又はそれに付属するパラメータが辞書から選定されていた場合、正しくその平均値とそれに付属するパラメータが維持される。次に、辞書から選定された平均値は、ξ＊ｑと共に図６Ｃのモジュール６００３に引き渡される。そのモジュールは、図６Ｃのモジュール６００２により選定された平均値が区間［−σ＋ξ＊ｑ，ξ＊ｑ＋σ］内に有るか否かを検査し、ここで、σ＞０は、次の通り、零点としてのξ＊２において作り出された仮想的なガウス分布の（ここで説明したプロセス全体の最初にユーザにより任意に選定可能な）標準偏差を表す。
ｆｖ（ｚｑ＊）＝（１／（√（２π）＊σ））＊ｅ−（１／２）＊（（（ｚｑ＊−ξ＊ｑ）＾２）／σ＾２）
【０２６１】
図６Ｃのモジュール６００２により選定された平均値が区間［−σ＋ξ＊ｑ，ξ＊ｑ＋σ］内に有る場合、図７Ａ又は図１Ｂの装置の図６Ｃの部分６０１０における図６Ｃのモジュール６００２により選定されたパラメータ又は図１Ｂの出力６００６及び６００７が作動され、同様に図２Ｂの出力６００８及び６００９とそれに対応する図６Ｃの入力及び出力が作動される。図６Ｃの符号６００６は、又もや図６Ｃのモジュール６００３の出力信号ｘ（ｔ）自体を表し、図６Ｃの符号６００７は図６Ｃのモジュール６００３の出力信号ｙ（ｔ）自体を表し、図６Ｃの符号６００８は図６Ｃのモジュール６００３の出力信号Ｒｅ  ｆ＊［ｘ（ｔ）］＋ｇ＊［ｙ（ｔ）］自体を表し、図６Ｃの符号６００９は図６Ｃのモジュール６００３の出力信号Ｉｍ  ｆ＊［ｘ（ｔ）］＋ｇ＊［ｙ（ｔ）］自体を表す。これらの信号は、又もや図５Ｂの出力信号を表すように、本発明の実施例の図６Ｃにおいて分離できないユニットを構成する前述した別の信号処理部で処理される。
【０２６２】
図６Ｃのモジュール６００２により選定された平均値が区間［−σ＋ξ＊ｑ，ξ＊ｑ＋σ］外に有る場合、ｑ＋１番目の工程において、ｑ＋１回目の最適化がｑ番目の工程及びｑ回目の最適化での説明と同様の形態で行われる。このプロセスは、辞書の一つの構成要素が前記の用件を満たすか、或いは許容される最適化工程の最大回数に到達するまで続けられる。
【０２６３】
図５Ｃは、三つの最適化工程に関して、前述した重み関数の収斂挙動を図示している。この場合、符号５００１は第一の平均値ξ°１を表し、符号５００２は第二の平均値ξ°２を表し、符号５００３は零点としてのξ＊２において作り出された、次の第一の仮想的なガウス分布を表し、
ｆｖ（ｚ２＊）＝（１／（√（２π）＊σ））＊ｅ−（１／２）＊（（（ｚ２＊−ξ＊２）＾２）／σ＾２）
ここで、σ＞０は、ここで説明したプロセス全体の最初にユーザにより任意に選択可能な標準偏差を表し、符号５００４は、第三の平均値ξ°３を表し、その平均値は、零点としてのξ°３において作り出された、同じ標準偏差の仮想的なガウス分布５００５のσにより定義される変曲点内に有り、そのため前記の収斂基準を満たす。
【０２６４】
如何なる場合でも、平均的に全ての代数的不変式に関して最適な疑似ステレオ音響マッピングを提供するパラメータφ、ｆ（又はｎ）、α、βが得られる。
【０２６５】
信号区間の数を増やすと、それぞれ解析している半平面上における代数的不変式と複素数平面との交点ξの分布がガウス分布と似てくる。標準偏差σを小さくする程、得られるパラメータが理想的となる。しかし、有限数の信号区間だけを与えれば、σを小さく選定する必要はない。
【０２６６】
それにも関わらず、代数的不変式は、初めて重み付けに関して有効な「拠り所」として既に説明したパラメータを提供するので、本方法は、充分な長さの信号区間に対する収斂に関して、前記のシミュレーションモデルよりも明らかに速い。
【０２６７】
しかし、基本的に、前述した不変式の使用は、必ずしも図３Ａ〜１２Ａ、１Ｂ〜６Ｂ、１０Ｂ、７Ｂ〜９Ｂ、５Ｃ及び６Ｃと関連したシステムに限定されず、ほぼ任意に信号方式全体に適用することができる。この場合、例えば、二つの信号ｘ（ｔ）とｙ（ｔ）を画一的に増幅率ρ＊で増幅して（図１Ｂの増幅器１１８，１１９）、二つの信号の最大値が正確に０ｄＢのレベルを持つようにする、前述した複素数平面の単位円に対する正規化は不要である。そのため、本発明では、解析している結合又は解析している結合に関する（或いは前記の一つ以上の信号の一つの任意のマッピング又は複数のマッピング又はそのようなマッピングに関する）値の範囲は、実数又は複素数平面の値の範囲全体を包含することができ、そのため、単位円に制限されない。
【０２６８】
正規化の必要性が無いにも関わらず、少なくとも二つの信号ｓ１（ｔ），ｓ２（ｔ），．．．，ｓｍ（ｔ）又はその伝達関数ｔ１（ｓ１（ｔ）），ｔ２（ｓ２（ｔ）），．．．，ｔｍ（ｓｍ（ｔ））の一つの結合ｆ＾（ｔ）又は複数の結合ｆ１＾（ｔ），ｆ２＾（ｔ），．．．，ｆｐ＾（ｔ）（或いは一つの信号ｓ＃（ｔ）又は複数の信号ｓ１＃（ｔ），ｓ２＃（ｔ），．．．，ｓΩ＃（ｔ）の一つの任意に定義可能なマッピングｆ＃（ｔ）又は複数の任意に定義可能なマッピングｆ１＃（ｔ），ｆ２＃（ｔ），．．．，ｆμ＃（ｔ））を正規化する場合、その正規化は任意に定義可能である。
【０２６９】
即ち、例えば、この例では０ｄＢへのＬとＲの最大値の有効なレベル制御（図１Ｂの増幅器１１８と１１９及び論理素子１２０）の代わりに、二つのチャネル毎の二乗平均エネルギーの合計に基づく正規化を行うことができる、即ち、ｘ＃（ｔｉ）に等しいＬとｙ＃（ｔｉ）に等しいＲに関して、次の式の合計ｚＬｉ＋ｚＲｉに基づき、
Ｔｉ
ｚＬｉ＝（１／Ｔｉ）＊∫ｘ＃（ｔｉ）ｄｔ
０
及び
Ｔｉ
ｚＲｉ＝（１／Ｔｉ）＊∫ｙ＃（ｔｉ）ｄｔ
０
基準値ｚｒｅｆに対して、ｘ＃（ｔｉ）とｙ＃（ｔｉ）をそれぞれ次の比率で乗算するとの手法による正規化を行うことができる。
ｚｒｅｆ／（ｚＬｉ＋ｚＲｉ）
【０２７０】
例えば、図７Ｃに関して、この手法を一般化すると、この手法は、全数δの任意の数の信号ｓｊ（ｔｉ）に拡張することができ（７００１）、それらの信号に関して、それぞれ次の二乗平均エネルギーを計算し（７００２）、
Ｔｉ
Ｚｓｊ（ｔｉ）＝（１／Ｔｉ）＊∫ｓｊ（ｔｉ）ｄｔ
０
ここで、Ｔｉは時間間隔ｔｉの時間長を表す、
次に、各信号ｓｊ（ｔ）に関して定義された重みＧｊを乗算する（７００３）。
【０２７１】
それに続いて、そのようにして７００４により与えられた積Ｇｊ＊Ｚｓｊ（ｔｉ）を合算する。この合計は、それぞれ当初の入力信号ｓ１（ｔｉ），ｓ２（ｔｉ），．．．，ｓδ（ｔｉ）と個別に組み合わせるための符号７００５の増幅器に引き渡され、ここで、これらの信号ｓ１（ｔｉ），ｓ２（ｔｉ），．．．，ｓδ（ｔｉ）は、次の増幅率で
δ  
Ｚｒｅｆ／（ΣＧｊ＊Ｚｓｊ（ｔｉ））
ｊ＝１
画一的に増幅されて、例えば、モジュール７００６に引き渡され（上記を参照）、そのモジュールは、本発明の開示に基づき、少なくとも二つの信号ｓ１（ｔ），ｓ２（ｔ），．．．，ｓδ（ｔ）又はその伝達関数ｔ１（ｓ１（ｔ）），ｔ２（ｓ２（ｔ）），．．．，ｔδ（ｓδ（ｔ））の一つの結合ｆ＾（ｔ）又は複数の結合ｆ１＾（ｔ），ｆ２＾（ｔ），．．．，ｆｐ＾（ｔ）（或いは一つの信号ｓ＃（ｔ）又は複数の信号ｓ１＃（ｔ），ｓ２＃（ｔ），．．．，ｓδ＃（ｔ）の一つの任意に定義可能なマッピングｆ＃（ｔ）又は複数の任意に定義可能なマッピングｆ１＃（ｔ），ｆ２＃（ｔ），．．．，ｆμ＃（ｔ））を決定する。
【０２７２】
特に、同様の考えは、例えば、ＩＴＵ−Ｒ  ＢＳ．１７７０によるオーディオ信号に拡張することもでき、その場合、モジュール７００２〜７００５が省略されて、信号がモジュール７００６に直接供給することができる。
【０２７３】
少なくとも二つの信号ｓ１（ｔ），ｓ２（ｔ），．．．，ｓｍ（ｔ）又はその伝達関数ｔ１（ｓ１（ｔ）），ｔ２（ｓ２（ｔ）），．．．，ｔｍ（ｓｍ（ｔ））の一つの結合ｆ＾（ｔ）又は複数の結合ｆ１＾（ｔ），ｆ２＾（ｔ），．．．，ｆｐ＾（ｔ）（或いは一つの信号ｓ＃（ｔ）又は複数の信号ｓ１＃（ｔ），ｓ２＃（ｔ），．．．，ｓΩ＃（ｔ）の一つの任意に定義可能なマッピングｆ＃（ｔ）又は複数の任意に定義可能なマッピングｆ１＃（ｔ），ｆ２＃（ｔ），．．．，ｆμ＃（ｔ））に関して単一の充分に長い時間間隔を解析する場合でも、本発明の開示による不変式を決定して（上記を参照）、所定通り商業技術的に（例えば、幾つかの信号の算出、或いは任意の信号又は伝送パラメータの処理又は最適化のために）使用することができる。従って、全体として、本発明の使用は、前記の例に限定されず、基本的に本発明の開示に基づく任意の信号又は任意の長さの信号区間に関する前述した不変式の決定を目的としている。
【０２７４】
図１Ｄは、本発明による第一の実施例を図示している。特許文献３の基本回路が、更に別の時間パラメータｓによって拡張されており、そのパラメータは、それぞれ遅延時間差ＬＡ又はＬＢを乗算されて、それにより新たな遅延時間差Ｌ’Ａ又はＬ’Ｂが次の通り得られる。
（３Ｄ）  ＬＡ’＝ＬＡ＊ｓ＝［√（５／４−ｓｉｎφ）−１／２］＊ｓ
及び
（４Ｄ）  ＬＢ’＝ＬＢ＊ｓ＝［√（５／４＋ｓｉｎφ）−１／２］＊ｓ
この新たな回路構成は、図１Ｄから直接読み取れる。ｓ＞０は、定数（本装置に関するｓの理想的な値は、例えば、１００ｍｓである）を表すか、或いはユーザにより自由に選択できる。実際には、図１Ｄの遅延Ａ’又は遅延Ｂ’の値は、聞き手の立体感を決定するために重要である。
【０２７５】
この作用原理を特許文献２に適用すると、例えば、本発明による（より良い図解のためには特許文献４による構成要素が付加される）図２Ｄ、３Ｄ、４Ｄ、５Ｄ，６Ｄの装置及び図７Ｄ、８Ｄ、９Ｄ、１０Ｄ、１１Ｄ、１２Ｄ、１３Ｄ、１４Ｄの装置が得られる。又もや遅延時間差Ｌα及びＬβがそれぞれ同じパラメータｓ＞０と乗算されて、新たな遅延時間差Ｌα’及びＬβ’が得られる。従って、新たに次の関係式が得られる。
（１Ｄ）  Ｌα’＝Ｌα＊ｓ＝｛−ｆ（α）／（２ｓｉｎα）＋√［ｆ２（α）／（４ｓｉｎ２α）＋ｆ２（φ）−（ｆ（α）＊ｆ（φ）＊ｓｉｎφ）／ｓｉｎα］｝＊ｓ
及び
（２Ｄ）  Ｌβ’＝Ｌβ＊ｓ＝｛−ｆ（β）／（２ｓｉｎβ）＋√［ｆ２（β）／（４ｓｉｎ２β）＋ｆ２（φ）＋（ｆ（β）＊ｆ（φ）＊ｓｉｎφ）／ｓｉｎβ］｝＊ｓ
この新たな回路構成は、（より良い図解のためには特許文献４による構成要素が付加される）図２Ｄ、３Ｄ、４Ｄ、５Ｄ、６Ｄ及び図７Ｄ、８Ｄ、９Ｄ、１０Ｄ、１１Ｄ、１２Ｄ、１３Ｄ、１４Ｄから直接読み取れる。
【０２７６】
図２Ｄの回路構成３０９、図３Ｄの回路構成４０９又は図４Ｄの回路構成５０９において、ｆ（φ）＝ｆ（α）＝ｆ（β）＝１及びｓｉｎα＝ｓｉｎβ＝１に設定されている場合、本発明に基づきパラメータｓ及び主軸と音源により規定される角度φだけに依存する特許文献３の変化形態が得られることに注意されたい。特に、図２Ｄの回路構成３０９では、次の関係式が成り立ち、
（３Ｄ）  Ｌα’＝Ｌα＊ｓ＝［√（５／４−ｓｉｎφ）−１／２］＊ｓ
及び
（４Ｄ）  Ｌβ’＝Ｌβ＊ｓ＝［√（５／４＋ｓｉｎφ）−１／２］＊ｓ
並びに、
Ｐα＝５／４−ｓｉｎφ
及び
Ｐβ＝５／４＋ｓｉｎφ
図３Ｄの回路構成４０９では、次の関係式が成り立ち、
（３Ｄ）  Ｌα’＝Ｌα＊ｓ＝［√（５／４−ｓｉｎφ）−１／２］＊ｓ  
及び
（４Ｄ）  Ｌβ’＝Ｌβ＊ｓ＝［√（５／４＋ｓｉｎφ）−１／２］＊ｓ
並びに
ＰＭ’＝１／（５／４−ｓｉｎφ）  
及び
Ｐβ’＝（５／４＋ｓｉｎφ）／（５／４−ｓｉｎφ）
ここで、１／ＰＭ’＝（５／４−ｓｉｎφ）はゼロ又はゼロの周囲の要素と等しくなく、図４Ｄの回路構成５０９では、次の関係式が成り立つ。
（３Ｄ）  Ｌα’＝Ｌα＊ｓ＝［√（５／４−ｓｉｎφ）−１／２］＊ｓ  
及び
（４Ｄ）  Ｌβ’＝Ｌβ＊ｓ＝［√（５／４＋ｓｉｎφ）−１／２］＊ｓ
並びに
ＰＭ’’＝１／（５／４＋ｓｉｎφ）  
及び
Ｐα’＝（５／４−ｓｉｎφ）／（５／４＋ｓｉｎφ）
ここで、１／ＰＭ’’＝（５／４−ｓｉｎφ）はゼロ又はゼロの周囲の要素と等しくない。
【０２７７】
また、図２Ｄの回路構成３０９、図３Ｄの回路構成４０９又は図４Ｄの回路構成５０９では、α＝β＝π／２、そのためｓｉｎα＝ｓｉｎβ＝１と設定できるが、ｆ（φ）、ｆ（α）又はｆ（β）を維持する、即ち、音源とステレオ音響化するモノラル信号の主軸が規定する角度φ及び（極座標で表現可能な）ステレオ音響化するモノラル信号の指向特性の排他的な依存性を実現することが可能である。そして、特に、図２Ｄの回路構成３０９では、次の関係式が成り立ち、
Ｌα’＝Ｌα＊ｓ＝｛−ｆ（α）／２＋√［ｆ２（α）／４＋ｆ２（φ）−（ｆ（α）＊ｆ（φ）＊ｓｉｎφ）］｝＊ｓ
及び
Ｌβ’＝Ｌβ＊ｓ＝｛−ｆ（β）／２＋√［ｆ２（β）／４＋ｆ２（φ）＋（ｆ（β）＊ｆ（φ）＊ｓｉｎφ）］｝＊ｓ
並びに
Ｐα＝ｆ２（α）／４＋ｆ２（φ）−（ｆ（α）＊ｆ（φ）＊ｓｉｎφ）
及び
Ｐβ＝ｆ２（β）／４＋ｆ２（φ）＋（ｆ（β）＊ｆ（φ）＊ｓｉｎφ）
図３Ｄの回路構成４０９では、次の関係式が成り立ち、
Ｌα’＝Ｌα＊ｓ＝｛−ｆ（α）／２＋√［ｆ２（α）／４＋ｆ２（φ）−（ｆ（α）＊ｆ（φ）＊ｓｉｎφ）］｝＊ｓ
及び
Ｌβ’＝Ｌβ＊ｓ＝｛−ｆ（β）／２＋√［ｆ２（β）／４＋ｆ２（φ）＋（ｆ（β）＊ｆ（φ）＊ｓｉｎφ）］｝＊ｓ
並びに
ＰＭ’＝１／［ｆ２（α）／４＋ｆ２（φ）−（ｆ（α）＊ｆ（φ）＊ｓｉｎφ）］
及び
Ｐβ’＝［ｆ２（β）／４＋ｆ２（φ）＋（ｆ（β）＊ｆ（φ）＊ｓｉｎφ）］／［ｆ２（α）／４＋ｆ２（φ）−（ｆ（α）＊ｆ（φ）＊ｓｉｎφ）］
ここで、１／ＰＭ’＝［ｆ２（α）／４＋ｆ２（φ）−（ｆ（α）＊ｆ（φ）＊ｓｉｎφ）］はゼロ又はゼロの周囲の要素と等しくなく、図４Ｄの回路構成５０９では、次の関係式が成り立ち、
Ｌα’＝Ｌα＊ｓ＝｛−ｆ（α）／２＋√［ｆ２（α）／４＋ｆ２（φ）−（ｆ（α）＊ｆ（φ）＊ｓｉｎφ）］｝＊ｓ  
及び
Ｌβ’＝Ｌβ＊ｓ＝｛−ｆ（β）／２＋√［ｆ２（β）／４＋ｆ２（φ）＋（ｆ（β）＊ｆ（φ）＊ｓｉｎφ）］｝＊ｓ
並びに
ＰＭ’’＝１［ｆ２（β）／４＋ｆ２（φ）＋（ｆ（β）＊ｆ（φ）＊ｓｉｎφ）］  
及び
Ｐα’＝［ｆ２（α）／４＋ｆ２（φ）−（ｆ（α）＊ｆ（φ）＊ｓｉｎφ）］／［ｆ２（β）／４＋ｆ２（φ）＋（ｆ（β）＊ｆ（φ）＊ｓｉｎφ）］
ここで、１／ＰＭ’’＝［ｆ２（β）／４＋ｆ２（φ）＋（ｆ（β）＊ｆ（φ）＊ｓｉｎφ）］はゼロ又はゼロの周囲の要素と等しくない。上記の式において前提条件Ｌα’＝Ｌβ’とすると、図１７Ｄ、１８Ｄ、１９Ｄ、２０Ｄ、２１Ｄ、２２Ｄ、２３Ｄ，２４Ｄ，２５Ｄ、２６Ｄ、２７Ｄ、２８Ｄ、Ｅ９、Ｅ１０、Ｅ１１、Ｅ１２、Ｅ１３、Ｅ１４、Ｅ１５、Ｅ１６、Ｅ１７をｓｉｎα＝ｓｉｎβ＝によって更に簡略化することができる（下記を参照）。特に、この場合でも、図Ｅ１４において（増幅率ＰＭ’と乗算される）増幅率１／τを利得Ｍに算入するか、或いは図Ｅ１７において（増幅率ＰＭ’’と乗算される）増幅率１／τを利得Ｍに算入することができる（下記を参照）。
【０２７８】
全体として、ｓの選択は、現実が示す通り簡単なことではない。小さ過ぎるｓを選択すると、目標とする疑似ステレオ音響効果が消滅し、大き過ぎるｓを選択すると、邪魔なアーチファクトが発生する。例えば、ｓを１００ミリ秒とすると、本発明に基づき改修した特許文献２又は４による装置又は方法に関して、従来のＭＳ録音技術と同じ品質を示す理想的な疑似ステレオ信号が得られる。
【０２７９】
本発明の対象を特許文献４又は５、特に、図１Ｂ、図４Ｂ（フィードバック４３７ａ）及び図５Ｂ（フィードバック５３９ａ）に適用すると、図１５Ｄに図示されている通り、前述した手法でパラメータφ、ｆ（又はｎ）、α又はβが新たに反復して最適化されるだけでなく、前述した同じ評価方法でも本発明により導入したパラメータｓ＞０も新たに反復して最適化される。この場合、特許文献４、５、１１又は１２に記載されたシステム全体は、前記の構成要素を追加した形で完全に維持される（従って、図１Ｂは図１５Ｄによって置き換えられる）。
【０２８０】
本発明に基づき特許文献１１又は１２によるシステムに追加する場合、図６Ｃを図１６Ｄによって置き換える。詳細には、特許文献５又は１０、図１５Ｄ、２Ｂ、３Ｂ〜５Ｂによる第一の最適化が長さｔ１の信号区間において実施される。図５Ｂの出力は、例えば、図１６Ｄのモジュール６００１に供給され、（複素伝達関数ｆ＊［ｘ（ｔ１）］＝［ｘ（ｔ１）／√２］＊（−１＋ｉ）とｇ＊［ｙ（ｔ１）］＝［ｙ（ｔ１）／√２］＊（１＋ｉ）の合計と複素数平面の第一又は第三象限に有る（この場合、ここで説明した代数モデルのｘ１，ｕ１の軸は実軸と一致し、ｘ２，ｕ２の軸は虚軸と一致する）、ベクトル（１，１，−２）と（１，１，１）又は（−１，−１，２）と（１，１，１）により規定される半平面との交点ξｈ１において作り出された）不変式をその統計分布に関して解析する。全数ｋ１の全ての交点ξｈ１は、更に説明する動作フロー全体に関して適用されるメモリ（「スタック」）に保存されて、同様に、次の平均値が計算される。
【０２８１】
ｋ１
ξ°１：＝（Σξｈ１）／ｋ１
ｈ１＝１
これは、前記の第一の最適化により決定したパラメータφ１，ｆ１（又はｎ１），α１，β１、ｓ１と共に、更に説明する動作フロー全体に関して適用される辞書に保存される。
【０２８２】
ここで、第二の工程において、図１６Ｄの動作コマンド６００４に基づき、特許文献５、図１５Ｄ，２Ｂ，３Ｂ〜５Ｂによる第二の最適化が任意の長さの信号区間ｔ２に対して実施される。図５Ｂの出力は、又もや図１６Ｄのモジュール６００１に供給され、（複素伝達関数ｆ＊［ｘ（ｔ２）］＝［ｘ（ｔ２）／√２］＊（−１＋ｉ）とｇ＊［ｙ（ｔ２）］＝［ｙ（ｔ２）／√２］＊（１＋ｉ）の合計と複素数平面の第一又は第三象限に有る（この場合、ここで説明した代数モデルのｘ１，ｕ１の軸は実軸と一致し、ｘ２，ｕ２の軸は虚軸と一致する）、ベクトル（１，１，−２）と（１，１，１）又は（−１，−１，２）と（１，１，１）により規定される半平面との交点ξｈ２において作り出された）不変式をその統計分布に関して解析する。全数ｋ２の全ての交点ξｈ２は、更に説明する動作フロー全体に関して適用されるメモリ（「スタック」）のξｈ１に追加されて、同様に、次の平均値が計算される。
【０２８３】
ｋ２
ξ°２：＝（Σξｈ２）／ｋ２
ｈ２＝１
これは、又もや前記の第二の最適化により決定したパラメータφ２，ｆ２（又はｎ２），α２，β２、ｓ２と共に、更に説明する動作フロー全体に関して適用される辞書内の第一の平均値ξ°１及びそのパラメータφ１，ｆ１（又はｎ１），α１，β１，ｓ１に追加される。ここで、このメモリ（「スタック」）は複数の平均値を保存しているので、図１６Ｄのモデル６００２が作動される。
【０２８４】
それは、次の式により、スタックに保存されている全ての交点ξｈ１，ξｈ２の平均値ξ＊２を計算して、辞書から、平均値ξ°１，ξ°２の中で、ξ＊２に最も近い平均値を選定する。
【０２８５】
ｋ１      ｋ２
ξ＊２：＝（Σξｈ１＋Σξｈ２）／（ｋ１＋ｋ２）
ｈ１＝１  ｈ２＝１
それが二つの平均値ξ°１，ξ°２に関して満たされる場合、ξ°１又はパラメータφ１，ｆ１（又はｎ１），α１，β１，ｓ１が辞書から選定される。次に、辞書から選定された平均値は、ξ＊２と共に図１６Ｄのモジュール６００３に引き渡される。そのモジュールは、モジュール６００２により選定された平均値が区間［−σ＋ξ＊２，ξ＊２＋σ］内に有るか否かを検査し、ここで、σ＞０は、次の通り、零点としてのξ＊２において作り出された仮想的なガウス分布のユーザにより任意に選定可能な標準偏差を表す。
ｆｖ（ｚ２＊）＝（１／（√（２π）＊σ））＊ｅ−（１／２）＊（（（ｚ２＊−ξ＊２）＾２）／σ＾２）
【０２８６】
図１６Ｄのモジュール６００２により選定された平均値が区間［−σ＋ξ＊２，ξ＊２＋σ］内に有る場合、例えば、図６Ｄ又は図１５Ｄの装置の（明確化のために再度説明するが、一回だけ通過する増幅器７１７とＭＳマトリックスを表す）部分６０１０における図１６Ｄのモジュール６００２により選定されたパラメータ又は図１５Ｄの出力６００６及び６００７が作動され、同様に図２Ｂの出力６００８及び６００９が作動される。図１５Ｄの出力６００６は図１６Ｄの入力６００６に合流し、図１５Ｄの出力６００７は図１６Ｄの入力６００７に合流し、図２Ｂの出力６００８は図１６Ｄの入力６００８に合流し、図２Ｂの出力６００９は図１６Ｄの入力６００９に合流する。図１６Ｄの符号６００６は図１６Ｄのモジュール６００３の出力信号ｘ（ｔ）自体を表し、図１６Ｄの符号６００７は図１６Ｄのモジュール６００３の出力信号ｙ（ｔ）自体を表し、図１６Ｄの符号６００８は図１６Ｄのモジュール６００３の出力信号Ｒｅ  ｆ＊［ｘ（ｔ）］＋ｇ＊［ｙ（ｔ）］自体を表し、図１６Ｄの符号６００９は図１６Ｄのモジュール６００３の出力信号Ｉｍ  ｆ＊［ｘ（ｔ）］＋ｇ＊［ｙ（ｔ）］自体を表す。これらの信号は、図５Ｂの出力信号を表すように、本発明の実施例の図１６Ｄにおいて分離できないユニットを構成する前述した別の信号処理部で処理される。
【０２８７】
モジュール６００２により選定された平均値が区間［−σ＋ξ＊２，ξ＊２＋σ］外に有る場合、ｑ番目の工程において、特許文献５、図１５Ｄ，２Ｂ，３Ｂ〜５Ｂによるｑ回目の最適化が任意の長さの信号区間ｔｑに対して行われる。図５Ｂの出力は、又もや図１６Ｄのモジュール６００１に供給され、（複素伝達関数ｆ＊［ｘ（ｔ２）］＝［ｘ（ｔｑ）／√２］＊（−１＋ｉ）とｇ＊［ｙ（ｔｑ）］＝［ｙ（ｔｑ）／√２］＊（１＋ｉ）の合計と複素数平面の第一又は第三象限に有る（この場合、ここで説明した代数モデルのｘ１，ｕ１の軸は実軸と一致し、ｘ２，ｕ２の軸は虚軸と一致する）、ベクトル（１，１，−２）と（１，１，１）又は（−１，−１，２）と（１，１，１）により規定される半平面との交点ξｈｑにおいて作り出された）不変式をその統計分布に関して解析する。全数ｋｑの全ての交点ξｈｑは、更に説明する動作フロー全体に関して適用されるメモリ（「スタック」）内のξｈ１，ξｈ２，．．．，ξｈｑ−１に追加されて、同様に、次の平均値が計算される。
【０２８８】
ｋｑ
ξ°ｑ：＝（Σξｈｑ）／ｋｑ
ｈｑ＝１
【０２８９】
これは、又もや前記のｑ番目の最適化により決定したパラメータφｑ，ｆｑ（又はｎｑ），αｑ，βｑ、ｓｑと共に、更に説明する動作フロー全体に関して適用される辞書内の平均値ξ°１，ξ°１，．．．，ξ°ｑ−１及びそれに付属するパラメータパラメータφ１，ｆ１（又はｎ１），α１，β１，ｓ１；φ２，ｆ２（又はｎ２），α２，β２，ｓ２；．．．；φｑ−１，ｆｑ−１（又はｎｑ−１），αｑ−１，βｑ−１，ｓｑ−１に追加される。ここで、このメモリ（「スタック」）は複数の平均値を保存しているので、図１６Ｄのモデル６００２が作動される。
【０２９０】
そのモデルは、次の式により、スタックに保存されている全ての交点ξｈ１，，ξｈ２，，．．．，ξｈｑの平均値ξ＊ｑを計算して、辞書から、平均値ξ°１，ξ°２，．．．，ξ°ｑの中で、ξ＊ｑに最も近い平均値を、それに属するパラメータφ，ｆ（又はｎ），α，β，ｓと共に選定する。
【０２９１】
ｋ１      ｋ２              ｋｑ
ξ＊ｑ：＝（Σξｈ１＋Σξｈ２＋．．．＋Σξｈｑ）／（ｋ１＋ｋ２＋．．．ｋｑ）
ｈ１＝１  ｈ２＝１          ｈｑ＝１
異なるパラメータに関する平均値が同じ場合、最も頻繁に辞書に存在するパラメータが選定される。複数のパラメータが同じ頻度で存在する場合、辞書において、最も広い分散を示す、即ち、ｄがそれぞれ通過する最適化工程の最後の指数を表し、ｃが最初の指数を表す場合に、差ｄ−ｃが最大となるパラメータが選定される。それが複数のパラメータに関して該当する場合、最初に存在するパラメータが選定される。ξ°１，ξ°２，．．．，ξ°ｑの中の二つの平均値がξ＊ｑに最も近く、ｑ−１番目の工程において、それらの二つの平均値の中の一方又はそれに付属するパラメータが辞書から選定されていた場合、正しくその平均値とそれに付属するパラメータが維持される。次に、辞書から選定された平均値は、ξ＊ｑと共に図１６Ｄのモジュール６００３に引き渡される。そのモジュールは、図１６Ｄのモジュール６００２により選定された平均値が区間［−σ＋ξ＊ｑ，ξ＊ｑ＋σ］内に有るか否かを検査し、ここで、σ＞０は、次の通り、零点としてのξ＊２において作り出された仮想的なガウス分布の（ここで説明したプロセス全体の最初にユーザにより任意に選定可能な）標準偏差を表す。
ｆｖ（ｚｑ＊）＝（１／（√（２π）＊σ））＊ｅ−（１／２）＊（（（ｚｑ＊−ξ＊ｑ）＾２）／σ＾２）
【０２９２】
図１６Ｄのモジュール６００２により選定された平均値が区間［−σ＋ξ＊ｑ，ξ＊ｑ＋σ］内に有る場合、例えば、図６Ｄ又は図１５Ｄの装置の図１６の部分６０１０における図１６のモジュール６００２により選定されたパラメータ又は図１５Ｄの出力６００６及び６００７が作動され、同様に図２Ｂの出力６００８及び６００９とそれに対応する図１６Ｄの入力及び出力が作動される。図１５Ｄの出力６００６は図１６Ｄの入力６００６に合流し、図１５Ｄの出力６００７は図１６Ｄの入力６００７に合流し、図２Ｂの出力６０８は図１６Ｄの入力６００８に合流し、図２Ｂの出力６００９は図１６Ｄの入力６００９に合流する。従って、図１６Ｄの符号６００６は、又もや図１６Ｄのモジュール６００３の出力信号ｘ（ｔ）自体を表し、図１６Ｄの符号６００７は図１６Ｄのモジュール６００３の出力信号ｙ（ｔ）自体を表し、図１６Ｄの符号６００８は図１６Ｄのモジュール６００３の出力信号Ｒｅ  ｆ＊［ｘ（ｔ）］＋ｇ＊［ｙ（ｔ）］自体を表し、図１６Ｄの符号６００９は図１６Ｄのモジュール６００３の出力信号Ｉｍ  ｆ＊［ｘ（ｔ）］＋ｇ＊［ｙ（ｔ）］自体を表す。これらの信号は、又もや図５Ｂの出力信号を表すように、本発明の実施例の図１６Ｄにおいて分離できないユニットを構成する前述した別の信号処理部で処理される。
【０２９３】
図１６Ｄのモジュール６００２により選定された平均値が区間［−σ＋ξ＊ｑ，ξ＊ｑ＋σ］外に有る場合、ｑ＋１番目の工程において、ｑ＋１回目の最適化がｑ番目の工程及びｑ回目の最適化での説明と同様の形態で行われる。このプロセスは、辞書の一つの構成要素が前記の用件を満たすか、或いは許容される最適化工程の最大回数に到達するまで続けられる。
【０２９４】
図５Ｃは、三つの最適化工程に関して、前述した重み関数の収斂挙動を図示している。この場合、符号５００１は第一の平均値ξ°１を表し、符号５００２は第二の平均値ξ°２を表し、符号５００３は零点としてのξ＊２において作り出された、次の第一の仮想的なガウス分布を表し、
ｆｖ（ｚ２＊）＝（１／（√（２π）＊σ））＊ｅ−（１／２）＊（（（ｚ２＊−ξ＊２）＾２）／σ＾２）
ここで、σ＞０は、ここで説明したプロセス全体の最初にユーザにより任意に選択可能な標準偏差を表し、符号５００４は、第三の平均値ξ°３を表し、その平均値は、零点としてのξ°３において作り出された、同じ標準偏差の仮想的なガウス分布５００５のσにより定義される変曲点内に有り、そのため前記の収斂基準を満たす。
【０２９５】
如何なる場合でも、平均的に全ての代数的不変式に関して最適な疑似ステレオ音響マッピングを提供するパラメータφ、ｆ（又はｎ）、α、β及びここでの新たなｓが得られる。
【０２９６】
信号区間の数を増やすと、それぞれ解析している半平面上における代数的不変式と複素数平面との交点ξの分布がガウス分布と似てくる。標準偏差σを小さく選定する程、得られるパラメータが理想的となる。しかし、有限数の信号区間だけを与えれば、σを小さく選定する必要はない。
【０２９７】
それにも関わらず、代数的不変式は、初めて重み付けに関して有効な「拠り所」として既に説明したパラメータを提供するので、図１６Ｄに図示された方法は、充分な長さの信号区間に対する収斂に関して、前記のシミュレーションモデルよりも明らかに速い。
【０２９８】
以下において、式１Ａと２Ａにより規定される改修されたＭＳマトリックスを使用している、図１３Ｄと図１４Ｄに図示された二つの変化形態を説明する。
【０２９９】
同様に、（反比例する減衰率が同じである（λ＝ρ）特別な場合に関して式３Ａと４Ａ又は図４Ａと図５Ａから導き出される）図Ｅ３と図Ｅ６から導き出される、図７Ｄと図８Ｄに図示された、図３Ｄと図４Ｄの回路に対する別の二つの変化形態を説明する。この場合、図３Ｄのパノラマ電位差計４１１と４１２は、増幅率λの増幅器７１７によって置き換えられ、同じことが図４Ｄのパノラマ電位差計５１１と５１２にも言える。
【０３００】
図７Ｄと図８Ｄから、式３ＡＡと４ＡＡに基づき図９Ｄと図１１Ｄの変化形態を導き出すことができ、同様に、式３ＡＡＡと４ＡＡＡに基づき図１０Ｄと図１２Ｄの変化形態を導き出すことができる。
【０３０１】
図１７Ｄは、Ｌ’α＝Ｌ’βの場合に対して図２Ｄの回路構成を簡略化した構成を図示している。その場合は、例えば、仮想的な開口角が主軸に関して対称的な場合、即ち、α＝βで、φ＝０が成り立つ場合である。
【０３０２】
図１８Ｄは、Ｌ’α＝Ｌ’βの場合に対して図６Ａの回路構成を簡略化した構成を図示している。その場合は、例えば、仮想的な開口角が主軸に関して対称的な場合、即ち、α＝βで、φ＝０が成り立つ場合である。
【０３０３】
図１９Ｄは、同様にＬ’α＝Ｌ’βの場合に対して図６Ｄの回路構成を簡略化した構成を図示している。その場合は、例えば、仮想的な開口角が主軸に関して対称的な場合、即ち、α＝βで、φ＝０が成り立つ場合である。そのような簡略化は、最上級のＭＳ録音に匹敵する、そのため簡単なことではない確かな成果を既に挙げている。
【０３０４】
図２０Ｄは、増幅率λを利得Ｓ’αに直接算入した図１９Ｄと同等の回路を図示している。それは、最も簡略化した回路構成を図示しているが、従来技術のＭＳ装置を角度に依存して精密に仮想化していることにおいて簡単なことではない。
【０３０５】
図２１Ｄは、同様にＬ’α＝Ｌ’βの場合に対して図３Ｄの回路構成４０９を簡略化した構成を図示している。その場合は、例えば、仮想的な開口角が主軸に関して対称的な場合、即ち、α＝βで、φ＝０が成り立つ場合である。そのような簡略化に関しても、特許文献２に記載されている通り、次の式がゼロ又はゼロの周囲の要素と等しくないとの条件が成り立つ。
ｆ２（α）／（４ｓｉｎ２α）＋ｆ２（φ）−（ｆ（α）＊ｆ（φ）＊ｓｉｎφ）／ｓｉｎα
【０３０６】
図２２Ｄは、同様にＬ’α＝Ｌ’βの場合に対して図１３Ｄの回路構成を簡略化した構成を図示している。その場合は、例えば、仮想的な開口角が主軸に関して対称的な場合、即ち、α＝βで、φ＝０が成り立つ場合である。そのような簡略化に関しても、特許文献２に記載されている通り、次の式がゼロ又はゼロの周囲の要素と等しくないとの条件が成り立つ。
ｆ２（α）／（４ｓｉｎ２α）＋ｆ２（φ）−（ｆ（α）＊ｆ（φ）＊ｓｉｎφ）／ｓｉｎα
【０３０７】
図２３Ｄは、同様にＬ’α＝Ｌ’βの場合に対して図３Ｄから導き出される本発明に基づく簡略化した構成を図示しており、構成要素４１１と４１２は、（左の入力信号に関する減衰率λが右の入力信号に関する減衰率ρと等しいとの仮定において）ここで図示されているＳ信号を増幅率λで増幅する部分によって置き換えられている（そのような状況を導き出すためには、前述した式３Ａと４Ａを参照）。Ｌ’α＝Ｌ’βの場合は、例えば、仮想的な開口角が主軸に関して対称的な場合、即ち、α＝βで、φ＝０が成り立つ場合である。そのような簡略化も、最上級のＭＳ録音に匹敵する、そのため簡単なことではない確かな成果を既に挙げている。そのような簡略化に関しても、特許文献２に記載されている通り、次の式がゼロ又はゼロの周囲の要素と等しくないとの条件が成り立つ。
ｆ２（α）／（４ｓｉｎ２α）＋ｆ２（φ）−（ｆ（α）＊ｆ（φ）＊ｓｉｎφ）／ｓｉｎα
【０３０８】
図２４Ｄは、増幅率λを利得Ｓ’βに直接算入した、図２３Ｄと同等の回路を図示している。それは、簡略化した回路構成を図示しているが、従来技術のＭＳ装置を角度に依存して精密に仮想化していることにおいて簡単なことではない。そのような簡略化に関しても、特許文献２に記載されている通り、次の式がゼロ又はゼロの周囲の要素と等しくないとの条件が成り立つ。
ｆ２（α）／（４ｓｉｎ２α）＋ｆ２（φ）−（ｆ（α）＊ｆ（φ）＊ｓｉｎφ）／ｓｉｎα
【０３０９】
図２５Ｄは、同様にＬ’α＝Ｌ’βの場合に対して図４Ｄの回路構成５０９を簡略化した構成を図示している。その場合は、例えば、仮想的な開口角が主軸に関して対称的な場合、即ち、α＝βで、φ＝０が成り立つ場合である。そのような簡略化に関しても、特許文献２に記載されている通り、次の式がゼロ又はゼロの周囲の要素と等しくないとの条件が成り立つ。
ｆ２（β）／（４ｓｉｎ２β）＋ｆ２（φ）＋（ｆ（β）＊ｆ（φ）＊ｓｉｎφ）／ｓｉｎβ
【０３１０】
図２６Ｄは、同様にＬ’α＝Ｌ’βの場合に対して図１４Ｄの回路構成を簡略化した構成を図示している。その場合は、例えば、仮想的な開口角が主軸に関して対称的な場合、即ち、α＝βで、φ＝０が成り立つ場合である。そのような簡略化に関しても、特許文献２に記載されている通り、次の式がゼロ又はゼロの周囲の要素と等しくないとの条件が成り立つ。
ｆ２（β）／（４ｓｉｎ２β）＋ｆ２（φ）＋（ｆ（β）＊ｆ（φ）＊ｓｉｎφ）／ｓｉｎβ
【０３１１】
図２７Ｄは、同様にＬ’α＝Ｌ’βの場合に対して図４Ｄから導き出される本発明に基づく簡略化した構成を図示しており、構成要素５１１と５１２は、（左の入力信号に関する減衰率λが右の入力信号に関する減衰率ρと等しいとの仮定において）ここで図示されているＳ信号を増幅率λで増幅する部分によって置き換えられている（そのような状況を導き出すためには、前述した式３Ａと４Ａを参照）。Ｌ’α＝Ｌ’βの場合は、例えば、仮想的な開口角が主軸に関して対称的な場合、即ち、α＝βで、φ＝０が成り立つ場合である。そのような簡略化も、最上級のＭＳ録音に匹敵する、そのため簡単なことではない確かな成果を既に挙げている。そのような簡略化に関しても、特許文献２に記載されている通り、次の式がゼロ又はゼロの周囲の要素と等しくないとの条件が成り立つ。
ｆ２（β）／（４ｓｉｎ２β）＋ｆ２（φ）＋（ｆ（β）＊ｆ（φ）＊ｓｉｎφ）／ｓｉｎβ
【０３１２】
図２８Ｄは、増幅率λを利得Ｓ’αに直接算入した図２７Ｄと同等の回路を図示している。それは、簡略化した回路構成を図示しているが、従来技術のＭＳ装置を角度に依存して精密に仮想化していることにおいて簡単なことではない。そのような簡略化に関しても、特許文献２に記載されている通り、次の式がゼロ又はゼロの周囲の要素と等しくないとの条件が成り立つ。
ｆ２（β）／（４ｓｉｎ２β）＋ｆ２（φ）＋（ｆ（β）＊ｆ（φ）＊ｓｉｎφ）／ｓｉｎβ
【０３１３】
更に、図示されている変化形態は、図Ｅ１と図Ｅ２に関する考察（上記を参照）を用いて、以下における反比例する減衰率が同じである特別な場合（λ＝ρ）に関する図Ｅ９、Ｅ１０、Ｅ１１、Ｅ１２、Ｅ１３、Ｅ１４、Ｅ１５、Ｅ１６及びＥ１７による新たな変化形態とすることができる。
【０３１４】
図Ｅ９は、図Ｅ１又は式３ＡＡと４ＡＡを考慮した、又もやＬ’α＝Ｌ’βの場合に関する図６Ｄを簡略化した構成を図示している。この場合は、例えば、仮想的な開口角が主軸に関して対称的な場合、即ち、α＝βで、φ＝０が成り立つ場合である。そのような簡略化も、最上級のＭＳ録音に匹敵する、そのため簡単なことではない確かな成果を既に挙げている。
【０３１５】
図Ｅ１０は、図Ｅ２又は式３ＡＡＡと４ＡＡＡを考慮した、又もやＬ’α＝Ｌ’βの場合に関する図６Ｄを簡略化した構成を図示している。この場合は、例えば、仮想的な開口角が主軸に関して対称的な場合、即ち、α＝βで、φ＝０が成り立つ場合である。そのような簡略化も、最上級のＭＳ録音に匹敵する、そのため簡単なことではない確かな成果を既に挙げている。
【０３１６】
図Ｅ１１は、図Ｅ２又は式３ＡＡＡと４ＡＡＡを考慮して、増幅率λ’を利得Ｓ’αに直接算入した図Ｅ１０と同等の回路を図示している。それは、最も簡略化した回路構成を図示しているが、従来技術のＭＳ装置を角度に依存して精密に仮想化していることにおいて簡単なことではない。
【０３１７】
図Ｅ１２は、図２３Ｄ又は式３ＡＡと４ＡＡを考慮して、同様にＬ’α＝Ｌ’βの場合に対して図３Ｄから導き出される本発明に基づく簡略化した構成を図示しており、構成要素４１１と４１２は、（左の入力信号に関する減衰率λが右の入力信号に関する減衰率ρと等しいとの仮定において）ここで図示されているＭ信号を増幅率１／λで増幅する部分によって置き換えられている（そのような状況を導き出すためには、前述した式３ＡＡと４ＡＡを参照）。Ｌ’α＝Ｌ’βの場合は、例えば、仮想的な開口角が主軸に関して対称的な場合、即ち、α＝βで、φ＝０が成り立つ場合である。そのような簡略化も、最上級のＭＳ録音に匹敵する、そのため簡単なことではない確かな成果を挙げている。そのような簡略化に関しても、特許文献２に記載されている通り、次の式がゼロ又はゼロの周囲の要素と等しくないとの条件が成り立つ。
ｆ２（α）／（４ｓｉｎ２α）＋ｆ２（φ）−（ｆ（α）＊ｆ（φ）＊ｓｉｎφ）／ｓｉｎα
【０３１８】
図Ｅ１３は、図２３Ｄ又は式３ＡＡＡと４ＡＡＡを考慮して、同様にＬ’α＝Ｌ’βの場合に対して図３Ｄから導き出される本発明に基づく簡略化した構成を図示しており、構成要素４１１と４１２は、（左の入力信号に関する減衰率λが右の入力信号に関する減衰率ρと等しいとの仮定において）ここで図示されているＭ信号を増幅率１／τで増幅する部分又はＳ信号を増幅率λ’で増幅する部分によって置き換えられている（そのような状況を導き出すためには、前述した式３ＡＡＡと４ＡＡＡを参照）。Ｌ’α＝Ｌ’βの場合は、例えば、仮想的な開口角が主軸に関して対称的な場合、即ち、α＝βで、φ＝０が成り立つ場合である。そのような簡略化も、最上級のＭＳ録音に匹敵する、そのため簡単なことではない確かな成果を挙げている。そのような簡略化に関しても、特許文献２に記載されている通り、次の式がゼロ又はゼロの周囲の要素と等しくないとの条件が成り立つ。
ｆ２（α）／（４ｓｉｎ２α）＋ｆ２（φ）−（ｆ（α）＊ｆ（φ）＊ｓｉｎφ）／ｓｉｎα
【０３１９】
図Ｅ１４は、図２３Ｄ又は式３ＡＡＡと４ＡＡＡを考慮して、増幅率λ’を利得Ｓ’βに直接算入した図Ｅ１３と同等の回路を図示している。それは、最も簡略化した回路構成を図示しているが、従来技術のＭＳ装置を角度に依存して精密に仮想化していることにおいて簡単なことではない。そのような簡略化に関しても、特許文献２に記載されている通り、次の式がゼロ又はゼロの周囲の要素と等しくないとの条件が成り立つ。
ｆ２（α）／（４ｓｉｎ２α）＋ｆ２（φ）−（ｆ（α）＊ｆ（φ）＊ｓｉｎφ）／ｓｉｎα
【０３２０】
図Ｅ１５は、図２７Ｄ又は式３ＡＡと４ＡＡを考慮して、同様にＬ’α＝Ｌ’βの場合に対して図４Ｄから導き出される本発明に基づく簡略化した構成を図示しており、構成要素５１１と５１２は、（左の入力信号に関する減衰率λが右の入力信号に関する減衰率ρと等しいとの仮定において）ここで図示されているＭ信号を増幅率１／λで増幅する部分によって置き換えられている（そのような状況を導き出すためには、前述した式３ＡＡと４ＡＡを参照）。Ｌ’α＝Ｌ’βの場合は、例えば、仮想的な開口角が主軸に関して対称的な場合、即ち、α＝βで、φ＝０が成り立つ場合である。そのような簡略化も、最上級のＭＳ録音に匹敵する、そのため簡単なことではない確かな成果を挙げている。そのような簡略化に関しても、特許文献２に記載されている通り、次の式がゼロ又はゼロの周囲の要素と等しくないとの条件が成り立つ。
ｆ２（β）／（４ｓｉｎ２β）＋ｆ２（φ）＋（ｆ（β）＊ｆ（φ）＊ｓｉｎφ）／ｓｉｎβ
【０３２１】
図Ｅ１６は、図２７Ｄ又は式３ＡＡＡと４ＡＡＡを考慮して、同様にＬ’α＝Ｌ’βの場合に対して図４Ｄから導き出される本発明に基づく簡略化した構成を図示しており、構成要素５１１と５１２は、（左の入力信号に関する減衰率λが右の入力信号に関する減衰率ρと等しいとの仮定において）ここで図示されているＭ信号を増幅率１／τで増幅する部分又はＳ信号を増幅率λ’で増幅する部分によって置き換えられている（そのような状況を導き出すためには、前述した式３ＡＡＡと４ＡＡＡを参照）。Ｌ’α＝Ｌ’βの場合は、例えば、仮想的な開口角が主軸に関して対称的な場合、即ち、α＝βで、φ＝０が成り立つ場合である。そのような簡略化も、最上級のＭＳ録音に匹敵する、そのため簡単なことではない確かな成果を挙げている。そのような簡略化に関しても、特許文献２に記載されている通り、次の式がゼロ又はゼロの周囲の要素と等しくないとの条件が成り立つ。
ｆ２（β）／（４ｓｉｎ２β）＋ｆ２（φ）＋（ｆ（β）＊ｆ（φ）＊ｓｉｎφ）／ｓｉｎβ
【０３２２】
図Ｅ１７は、図２７Ｄ又は式３ＡＡＡと４ＡＡＡを考慮して、増幅率λ’を利得Ｓ’αに直接算入した図Ｅ１６と同等の回路を図示している。それは、最も簡略化した回路構成を図示しているが、従来技術のＭＳ装置を角度に依存して精密に仮想化していることにおいて簡単なことではない。そのような簡略化に関しても、特許文献２に記載されている通り、次の式がゼロ又はゼロの周囲の要素と等しくないとの条件が成り立つ。
ｆ２（β）／（４ｓｉｎ２β）＋ｆ２（φ）＋（ｆ（β）＊ｆ（φ）＊ｓｉｎφ）／ｓｉｎβ
【０３２３】
それ以外に、同様に、図Ｅ１４において、（増幅率ＰＭ’と乗算される）増幅率１／τを利得Ｍに算入するか、或いは図Ｅ１７において、（増幅率ＰＭ’’と乗算される）増幅率１／τを利得Ｍに算入することができる。
【０３２４】
同じく、図Ｅ１２において、（増幅率ＰＭ’と乗算される）増幅率１／λを利得Ｍに算入するか、或いは図Ｅ１５において、（増幅率ＰＭ’’と乗算される）増幅率１／λを利得Ｍに算入することができる。
【０３２５】
図１１Ｆがパラメータ、即ち、ステレオ音響化する信号の指向特性を規定するパラメータｆ（又はｎ）、主軸と音源により規定される手動で、或いは測定により検出する角度φ、仮想的な左開口角α及び仮想的な右開口角βの全ての可能な組合せを図示していることに注意されたい。これらのパラメータの組合せは、図１１Ｆの各欄に記載されており、特許文献２に基づき次の式１Ｄと２Ｄ又は式１Ｄと２Ｄの判別式から算出される増幅率Ｐα，Ｐβ、Ｐα’，Ｐβ’又はＰＭ’，ＰＭ’’から直接導き出され、「Ｘ」は、それぞれの回路が依存する次の式のパラメータを表し、それ以外のパラメータは、定数或いは１又は０に等しい値である。それらに対応する備考は、パラメータの組合せがそれぞれ得られる具体的な場合を表している。特に、特許文献２の図１５に関しては、次の式が成り立ち、
（１Ｄ）  Ｌα’＝Ｌα＊ｓ＝｛−ｆ（α）／（２ｓｉｎα）＋√［ｆ２（α）／（４ｓｉｎ２α）＋ｆ２（φ）−（ｆ（α）＊ｆ（φ）＊ｓｉｎφ）／ｓｉｎα］｝＊ｓ
及び
（２Ｄ）  Ｌβ’＝Ｌβ＊ｓ＝｛−ｆ（β）／（２ｓｉｎβ）＋√［ｆ２（β）／（４ｓｉｎ２β）＋ｆ２（φ）＋（ｆ（β）＊ｆ（φ）＊ｓｉｎφ）／ｓｉｎβ］｝＊ｓ、
並びに
Ｐα＝ｆ２（α）／（４ｓｉｎ２α）＋ｆ２（φ）−（ｆ（α）＊ｆ（φ）＊ｓｉｎφ）／ｓｉｎα  
及び
Ｐβ＝ｆ２（β）／（４ｓｉｎ２β）＋ｆ２（φ）＋（ｆ（β）＊ｆ（φ）＊ｓｉｎφ）／ｓｉｎβ、
特許文献２の図１６に関しては、次の式が成り立ち、
（１Ｄ）  Ｌα’＝Ｌα＊ｓ＝｛−ｆ（α）／（２ｓｉｎα）＋√［ｆ２（α）／（４ｓｉｎ２α）＋ｆ２（φ）−（ｆ（α）＊ｆ（φ）＊ｓｉｎφ）／ｓｉｎα］｝＊ｓ
及び
（２Ｄ）  Ｌβ’＝Ｌβ＊ｓ＝｛−ｆ（β）／（２ｓｉｎβ）＋√［ｆ２（β）／（４ｓｉｎ２β）＋ｆ２（φ）＋（ｆ（β）＊ｆ（φ）＊ｓｉｎφ）／ｓｉｎβ］｝＊ｓ、
並びに
ＰＭ’＝１／［ｆ２（α）／（４ｓｉｎ２α）＋ｆ２（φ）−（ｆ（α）＊ｆ（φ）＊ｓｉｎφ）／ｓｉｎα］  
及び
Ｐβ’＝［ｆ２（β）／（４ｓｉｎ２β）＋ｆ２（φ）＋（ｆ（β）＊ｆ（φ）＊ｓｉｎφ）／ｓｉｎβ］／［ｆ２（α）／（４ｓｉｎ２α）＋ｆ２（φ）−（ｆ（α）＊ｆ（φ）＊ｓｉｎφ）／ｓｉｎα］、
ここで、［ｆ２（α）／（４ｓｉｎ２α）＋ｆ２（φ）−（ｆ（α）＊ｆ（φ）＊ｓｉｎφ）／ｓｉｎα］との式は、ゼロ又はゼロの周囲の要素と等しくなく、
特許文献２の図１７に関しては、次の式が成り立ち、
（１Ｄ）  Ｌα’＝Ｌα＊ｓ＝｛−ｆ（α）／（２ｓｉｎα）＋√［ｆ２（α）／（４ｓｉｎ２α）＋ｆ２（φ）−（ｆ（α）＊ｆ（φ）＊ｓｉｎφ）／ｓｉｎα］｝＊ｓ  
及び
（２Ｄ）  Ｌβ’＝Ｌβ＊ｓ＝｛−ｆ（β）／（２ｓｉｎβ）＋√［ｆ２（β）／（４ｓｉｎ２β）＋ｆ２（φ）＋（ｆ（β）＊ｆ（φ）＊ｓｉｎφ）／ｓｉｎβ］｝＊ｓ、
並びに
ＰＭ’’＝１／［ｆ２（β）／（４ｓｉｎ２β）＋ｆ２（φ）＋（ｆ（β）＊ｆ（φ）＊ｓｉｎφ）／ｓｉｎβ］  
及び
Ｐα’＝［ｆ２（α）／（４ｓｉｎ２α）＋ｆ２（φ）−（ｆ（α）＊ｆ（φ）＊ｓｉｎφ）／ｓｉｎα］／［ｆ２（β）／（４ｓｉｎ２β）＋ｆ２（φ）＋（ｆ（β）＊ｆ（φ）＊ｓｉｎφ）／ｓｉｎβ］、
ここで、［ｆ２（β）／（４ｓｉｎ２β）＋ｆ２（φ）＋（ｆ（β）＊ｆ（φ）＊ｓｉｎφ）／ｓｉｎβ］との式は、ゼロ又はゼロの周囲の要素と等しくない。同様に、場合によっては反比例する減衰率λ又はρ、或いは増幅率１／λ、１／τ又はλ’と組み合わせた、Ｌα’＝Ｌβ’又はＰα＝Ｐβの場合、或いはＬα’とＬβ’の判別式が同じ場合に対する特許文献２又は３の図１５、図１６又は図１７の回路構成の簡略化に関する前に例示した原理は、図１１Ｆにより得られる回路構成にも適用できる。特に、図１１Ｆは、主軸と音源により規定される手動で、或いは測定により検出する角度φを任意に選定又は決定できることを図示している（例えば、角度φの値が一定である場合を参照）。
【０３２６】
φがステレオ音響化するモノラル信号の主軸から左側の角度を表す場合、φは正であり、それに対して、φがステレオ音響化するモノラル信号の主軸から右側の角度を表す場合、φは負であることに注意されたい。
【０３２７】
特に、場合によっては、逆比例する減衰率λ又はρ或いは増幅率１／λ、１／τ又はλ’を考慮して、遅延時間差Ｌα，Ｌβ；ＬＡ，ＬＢ；Ｌα’，Ｌβ’；ＬＡ’，ＬＢ’又は増幅率Ｐα，Ｐβ；Ｐα’，Ｐβ’，ＰＭ；ＰＭ’，ＰＭ’’；ＰＡ，ＰＢをそれぞれ計算する代わりに、ステレオ音響化する入力信号の本発明による遅延又は増幅に関する相応の値を有する辞書を使用することもできる。例えば、α、β又はφは、５°ステップで変化させて、場合によっては、逆比例する減衰率λ又はρ或いは増幅率１／λ、１／τ又はλ’を考慮して、そのようにして得られた遅延時間差Ｌα，Ｌβ；ＬＡ，ＬＢ；Ｌα’，Ｌβ’；ＬＡ’，ＬＢ’又は増幅率Ｐα，Ｐβ；Ｐα’，Ｐβ’，ＰＭ；ＰＭ’，ＰＭ’’；ＰＡ，ＰＢの値に基づき、相応の辞書に保存しておくことができる。
【０３２８】
図４Ｆは、オールパスフィルタを本発明の対象に適用した最も簡単な構成を図示している。その役割は、特許文献２〜５、１１又は１２、本発明による図Ｅ３〜Ｅ８、図９Ｄ、図１０Ｄ、図１１Ｄ、図１２Ｄ、図１３Ａ、図１４Ａ、図１３Ｄ、図１４Ｄ、図Ｅ１又は図Ｅ２の装置、或いは前述した図１７Ｄ、図１９Ｄ、簡略化された図２０Ｄ、図２１Ｄ、図２３Ｄ、簡略化された図２４Ｄ、図２５Ｄ、図２７Ｄ、簡略化された図２８Ｄ、図Ｅ９、図Ｅ１０、簡略化された図Ｅ１１、図Ｅ１２、図Ｅ１３、簡略化された図Ｅ１４、図Ｅ１５、図Ｅ１６、簡略化された図Ｅ１７、図１８Ｄ、図２２Ｄ又は図２６Ｄの構成の装置に関して特徴的な、音響パターンを拡散させるためのセンター音源の良好な強勢を音源の良好なローカリゼーションにより増大させることである。この場合、例えば、特許文献２〜５、１１又は１２、本発明による図Ｅ３〜Ｅ８、図９Ｄ、図１０Ｄ、図１１Ｄ、図１２Ｄ、図１３Ａ、図１４Ａ、図１３Ｄ、図１４Ｄ、図Ｅ１又は図Ｅ２の装置、或いは前述した図１７Ｄ、図１９Ｄ、簡略化された図２０Ｄ、図２１Ｄ、図２３Ｄ、簡略化された図２４Ｄ、図２５Ｄ、図２７Ｄ、簡略化された図２８Ｄ、図Ｅ９、図Ｅ１０、簡略化された図Ｅ１１、図Ｅ１２、図Ｅ１３、簡略化された図Ｅ１４、図Ｅ１５、図Ｅ１６、簡略化された図Ｅ１７、図１８Ｄ、図２２Ｄ又は図２６Ｄの構成の装置のステレオ又は疑似ステレオ出力信号の左及び／又は右チャネルの後には、任意の次数のオールパスフィルタが接続される（例えば、図１Ｆ又は２Ｆを参照）。従って、図４Ｆは、本発明の対象と関連して、与えられた信号のファントム音源を確実に拡散させる役割を果たす。
【０３２９】
同様に、特許文献２〜５、１１又は１２、本発明による図Ｅ３〜Ｅ８、図９Ｄ、図１０Ｄ、図１１Ｄ、図１２Ｄ、図１３Ａ、図１４Ａ、図１３Ｄ、図１４Ｄ、図Ｅ１又は図Ｅ２の装置、或いは前述した図１７Ｄ、図１９Ｄ、簡略化された図２０Ｄ、図２１Ｄ、図２３Ｄ、簡略化された図２４Ｄ、図２５Ｄ、図２７Ｄ、簡略化された図２８Ｄ、図Ｅ９、図Ｅ１０、簡略化された図Ｅ１１、図Ｅ１２、図Ｅ１３、簡略化された図Ｅ１４、図Ｅ１５、図Ｅ１６、簡略化された図Ｅ１７、図１８Ｄ、図２２Ｄ又は図２６Ｄの構成の装置のステレオ又は疑似ステレオ出力信号の左及び／又は右チャネルの後に接続された移相器（例えば、図３Ｆを参照）も音響パターンを更に拡散させる役割を果たす（例えば、図５Ｆを参照）。特に、音響パターンを目的通り更に調整するために、オールパスフィルタと移相器を組み合わせることも可能である。
【０３３０】
ここで説明した全ての装置は、特に、三つ以上のスピーカを備えた再生システムに使用することができる。特に、図６Ｆ、図７Ｆ又は図８Ｆに図示されている通り、本発明による装置によって、複数チャネルの信号の近似が可能である。
【０３３１】
例えば、図６Ｆにより、一つのモノラル信号から非特許文献５に基づく５チャネルの信号（図９Ｆを参照）を側方に強勢を持つ形で導き出すことが可能である。そのために、図６Ｆによるモノラル信号Ｍは、特許文献２〜５、１１又は１２、本発明による図Ｅ３〜Ｅ８、図９Ｄ、図１０Ｄ、図１１Ｄ、図１２Ｄ、図１３Ａ、図１４Ａ、図１３Ｄ、図１４Ｄ、図Ｅ１又は図Ｅ２の装置、或いは前述した図１７Ｄ、図１９Ｄ、簡略化された図２０Ｄ、図２１Ｄ、図２３Ｄ、簡略化された図２４Ｄ、図２５Ｄ、図２７Ｄ、簡略化された図２８Ｄ、図Ｅ９、図Ｅ１０、簡略化された図Ｅ１１、図Ｅ１２、図Ｅ１３、簡略化された図Ｅ１４、図Ｅ１５、図Ｅ１６、簡略化された図Ｅ１７、図１８Ｄ、図２２Ｄ又は図２６Ｄの構成の装置を用いて、疑似ステレオ信号Ｌ，Ｒに符号変換される。同じく、信号Ｌは、同じ手法で疑似ステレオ信号ＬＳ，Ｃ１に符号変換され、信号Ｒは、同じ手法で疑似ステレオ信号Ｃ２，ＲＳに符号変換される。この符号変換時において、Ｃ１がほぼＣ２に等しいことに注意すると、非特許文献４に基づき導き出された５チャネルの信号（図９Ｆを参照）は、非特許文献４の表２（図１０Ｆを参照）に関して、そのステレオ２／０形式へのダウンミックス後には、（増幅された）信号Ｌ，Ｒとほぼ同じであり、そのモノラル１／０形式へのダウンミックス後には、（増幅された）信号Ｍとほぼ同じである。例えば、そのようにして得られた非特許文献４に基づく５チャネルの信号は、本発明の開示に基づき、一つのモノラル信号を用いて、各フィルタパラメータｆ（又はｎ）、φ、α、β、λ、ρ、１／λ、１／τ、λ’又はｓに加えて、Ｌ，Ｒ、ＬＳ，Ｃ１又はＣ２，ＲＳに関して符号変換することができ、そのため、約８０％のバンド幅を節約することができる。
【０３３２】
図７Ｆは、非特許文献４に基づき５チャネルの信号をセンターが良好に強勢された形で導き出すための第一の変化形態例を図示している。この場合、モノラル信号Ｍは、センターチャネルＣとして直接使用されて、それから、特許文献２〜５、１１又は１２、本発明による図Ｅ３〜Ｅ８、図９Ｄ、図１０Ｄ、図１１Ｄ、図１２Ｄ、図１３Ａ、図１４Ａ、図１３Ｄ、図１４Ｄ、図Ｅ１又は図Ｅ２の装置、或いは前述した図１７Ｄ、図１９Ｄ、簡略化された図２０Ｄ、図２１Ｄ、図２３Ｄ、簡略化された図２４Ｄ、図２５Ｄ、図２７Ｄ、簡略化された図２８Ｄ、図Ｅ９、図Ｅ１０、簡略化された図Ｅ１１、図Ｅ１２、図Ｅ１３、簡略化された図Ｅ１４、図Ｅ１５、図Ｅ１６、簡略化された図Ｅ１７、図１８Ｄ、図２２Ｄ又は図２６Ｄの構成の装置を用いて、疑似ステレオ信号Ｌ，Ｒに符号変換されている。同様に、信号Ｍ又はＣは、疑似ステレオ信号ＬＳ，ＲＳに符号変換されている。非特許文献４に基づき導き出された５チャネルの信号（図９Ｆを参照）は、非特許文献４の表２（図１０Ｆを参照）に関して、そのステレオ２／０形式へのダウンミックス後には、（増幅された）信号Ｌ，Ｒと一致しないが、そのモノラル１／０形式へのダウンミックス後には、（増幅された）信号Ｍと正確に一致する。例えば、そのようにして得られた非特許文献４に基づく５チャネルの信号は、本発明の開示に基づき、一つのモノラル信号を用いて、各フィルタパラメータｆ（又はｎ）、φ、α、β、λ、ρ、１／λ、１／τ、λ’又はｓに加えて、Ｌ，Ｒ、ＬＳ，Ｃ１又はＣ２，ＲＳに関して符号変換することができ、そのため、約８０％のバンド幅を節約することができる。
【０３３３】
バンド幅の節約だけを非常に重要視する場合、例えば、図８Ｆの通り、非特許文献４に基づき側方を良好に強勢された５チャネルの信号を導き出すための次の変化形態も可能である。この場合、信号Ｌは、信号Ｍ１として直接使用されて、それから、特許文献２〜５、１１又は１２、本発明による図Ｅ３〜Ｅ８、図９Ｄ、図１０Ｄ、図１１Ｄ、図１２Ｄ、図１３Ａ、図１４Ａ、図１３Ｄ、図１４Ｄ、図Ｅ１又は図Ｅ２の装置、或いは前述した図１７Ｄ、図１９Ｄ、簡略化された図２０Ｄ、図２１Ｄ、図２３Ｄ、簡略化された図２４Ｄ、図２５Ｄ、図２７Ｄ、簡略化された図２８Ｄ、図Ｅ９、図Ｅ１０、簡略化された図Ｅ１１、図Ｅ１２、図Ｅ１３、簡略化された図Ｅ１４、図Ｅ１５、図Ｅ１６、簡略化された図Ｅ１７、図１８Ｄ、図２２Ｄ又は図２６Ｄの構成の装置を用いて、疑似ステレオ信号ＬＳ，Ｃ１に符号変換されている。同様に、信号Ｒは、信号Ｍ２として直接使用されて、それから疑似ステレオ信号Ｃ２，ＲＳに符号変換されている。特に、この符号変換時において、Ｃ１がほぼＣ２に等しいことに注意すると、非特許文献４に基づき導き出された５チャネルの信号（図９Ｆを参照）は、非特許文献４の表２（図１０Ｆを参照）に関して、そのステレオ２／０形式へのダウンミックス後には、（増幅された）信号Ｌ，Ｒとほぼ同じであるが、そのモノラル１／０形式へのダウンミックス後には、（増幅された）信号Ｍ１＋Ｍ２とほぼ同じである。例えば、そのようにして得られた非特許文献４に基づく５チャネルの信号は、本発明の開示に基づき、一つのモノラル信号を用いて、各フィルタパラメータｆ（又はｎ）、φ、α、β、λ、ρ、１／λ、１／τ、λ’又はｓに加えて、ＬＳ，Ｃ１又はＣ２，ＲＳに関して符号変換することができ、そのため、約６０％のバンド幅を節約することができる。
【０３３４】
同様に、ｎチャネルの再生システムに使用する構成を実現することができ、全体として、特許文献２〜５、１１又は１２、本発明による図Ｅ３〜Ｅ８、図９Ｄ、図１０Ｄ、図１１Ｄ、図１２Ｄ、図１３Ａ、図１４Ａ、図１３Ｄ、図１４Ｄ、図Ｅ１又は図Ｅ２の装置、或いは前述した図１７Ｄ、図１９Ｄ、簡略化された図２０Ｄ、図２１Ｄ、図２３Ｄ、簡略化された図２４Ｄ、図２５Ｄ、図２７Ｄ、簡略化された図２８Ｄ、図Ｅ９、図Ｅ１０、簡略化された図Ｅ１１、図Ｅ１２、図Ｅ１３、簡略化された図Ｅ１４、図Ｅ１５、図Ｅ１６、簡略化された図Ｅ１７、図１８Ｄ、図２２Ｄ又は図２６Ｄの構成の装置を用いた符号変換は、一つ以上の信号により各フィルタパラメータｆ（又はｎ）、φ、α、β、λ、ρ、１／λ、１／τ、λ’又はｓを加えて行なうことができる。
【０３３５】
前述した回路の一連の構成要素を容易に交換したり、別の構成としたり、一つの単一の構成要素に纏めることや、当初の構成要素の単一のパラメータに基づき複数の構成要素に分解することや、更に、複数の増幅器の直列接続などの一連の簡単な改変などが可能であることに注意されたい。そのようなことが明示的に言及されていない場合でも、そのような変化形態は本発明の対象の一部である。
【０３３６】
図示されている本発明の装置又はプロセスでは、更に、従来技術に属する圧縮アルゴリズム、データ削減手法を使用すること、或いは例えば、生成又は取得した信号又は信号成分の本発明による評価を加速するために、最小値及び最大値などの特異な特徴を分析することが可能である。
【図１Ａ】
2013539643.tif 000003
【図１Ｂ】
2013539643.tif 000004
【図１Ｃ】
2013539643.tif 000005
【図１Ｄ】
2013539643.tif 000006
【図１Ｆ】
2013539643.tif 000007
【図２Ａ】
2013539643.tif 000008
【図２Ｂ】
2013539643.tif 000009
【図２Ｃ】
2013539643.tif 000010
【図２Ｄ】
2013539643.tif 000011
【図２Ｆ】
2013539643.tif 000012
【図３Ａ】
2013539643.tif 000013
【図３Ｂ】
2013539643.tif 000014
【図３Ｃ】
2013539643.tif 000015
【図３Ｄ】
2013539643.tif 000016
【図３Ｆ】
2013539643.tif 000017
【図４Ａ】
2013539643.tif 000018
【図４Ｂ】
2013539643.tif 000019
【図４Ｃ】
2013539643.tif 000020
【図４Ｄ】
2013539643.tif 000021
【図４Ｆ】
2013539643.tif 000022
【図５Ａ】
2013539643.tif 000023
【図５Ｂ】
2013539643.tif 000024
【図５Ｃ】
2013539643.tif 000025
【図５Ｄ】
2013539643.tif 000026
【図５Ｆ】
2013539643.tif 000027
【図６Ａ】
2013539643.tif 000028
【図６Ｂ】
2013539643.tif 000029
【図６Ｃ】
2013539643.tif 000030
【図６Ｄ】
2013539643.tif 000031
【図６Ｆ】
2013539643.tif 000032
【図７Ａ】
2013539643.tif 000033
【図７Ｂ】
2013539643.tif 000034
【図７Ｃ】
2013539643.tif 000035
【図７Ｄ】
2013539643.tif 000036
【図７Ｆ】
2013539643.tif 000037
【図８Ａ】
2013539643.tif 000038
【図８Ｂ】
2013539643.tif 000039
【図８Ｄ】
2013539643.tif 000040
【図８Ｆ】
2013539643.tif 000041
【図９Ａ】
2013539643.tif 000042
【図９Ｂ】
2013539643.tif 000043
【図９Ｄ】
2013539643.tif 000044
【図９Ｆ】
2013539643.tif 000045
【図１０Ａ】
2013539643.tif 000046
【図１０Ｂ】
2013539643.tif 000047
【図１０Ｄ】
2013539643.tif 000048
【図１０Ｆ】
2013539643.tif 000049
【図１１Ａ】
2013539643.tif 000050
【図１１Ｄ】
2013539643.tif 000051
【図１１Ｆ】
2013539643.tif 000052
【図１２Ａ】
2013539643.tif 000053
【図１２Ｄ】
2013539643.tif 000054
【図１３Ａ】
2013539643.tif 000055
【図１３Ｄ】
2013539643.tif 000056
【図１４Ａ】
2013539643.tif 000057
【図１４Ｄ】
2013539643.tif 000058
【図１５Ｄ】
2013539643.tif 000059
【図１６Ｄ】
2013539643.tif 000060
【図１７Ｄ】
2013539643.tif 000061
【図１８Ｄ】
2013539643.tif 000062
【図１９Ｄ】
2013539643.tif 000063
【図２０Ｄ】
2013539643.tif 000064
【図２１Ｄ】
2013539643.tif 000065
【図２２Ｄ】
2013539643.tif 000066
【図２３Ｄ】
2013539643.tif 000067
【図２４Ｄ】
2013539643.tif 000068
【図２５Ｄ】
2013539643.tif 000069
【図２６Ｄ】
2013539643.tif 000070
【図２７Ｄ】
2013539643.tif 000071
【図２８Ｄ】
2013539643.tif 000072
【図Ｅ１】
2013539643.tif 000073
【図Ｅ２】
2013539643.tif 000074
【図Ｅ３】
2013539643.tif 000075
【図Ｅ４】
2013539643.tif 000076
【図Ｅ５】
2013539643.tif 000077
【図Ｅ６】
2013539643.tif 000078
【図Ｅ７】
2013539643.tif 000079
【図Ｅ８】
2013539643.tif 000080
【図Ｅ９】
2013539643.tif 000081
【図Ｅ１０】
2013539643.tif 000082
【図Ｅ１１】
2013539643.tif 000083
【図Ｅ１２】
2013539643.tif 000084
【図Ｅ１３】
2013539643.tif 000085
【図Ｅ１４】
2013539643.tif 000086
【図Ｅ１５】
2013539643.tif 000087
【図Ｅ１６】
2013539643.tif 000088
【図Ｅ１７】
2013539643.tif 000089
【手続補正書】
【提出日】平成25年5月9日(2013.5.9)
【手続補正１】
【補正対象書類名】特許請求の範囲
【補正対象項目名】全文
【補正方法】変更
【補正の内容】
【特許請求の範囲】
【請求項１】
一つのモノラル信号をステレオ音響化する、或いは疑似ステレオ信号を取得するための装置において、
算出した遅延時間差（ＬＡ，ＬＢ又はＬα，Ｌβ）が、それをステレオ音響化するモノラル信号に適用する前に、ゼロよりも大きい時間パラメータ（ｓ）と乗算されて、それにより、新たな遅延時間差（ＬＡ’＝ＬＡ＊ｓ，ＬＢ’＝ＬＢ＊ｓ又はＬα’＝Ｌα＊ｓ，Ｌβ’＝Ｌβ＊ｓ）が得られることを特徴とする装置。
【請求項２】
当該の遅延時間差が、音源とステレオ音響化する信号の主軸により規定される手動で、或いは測定により検出する角度（φ）に基づき算出されることを特徴とする請求項１に記載の装置。
【請求項３】
当該の時間パラメータ（ｓ）が２９ミリ秒と１４６ミリ秒、有利には、１００ミリ秒との間であることを特徴とする請求項１に記載の装置。
【請求項４】
当該の時間パラメータ（ｓ）がユーザにより自由に選択可能であることを特徴とする請求項１に記載の装置。
【請求項５】
ステレオ音響化する信号の指向特性を規定するパラメータ（ｆ又はｎ）、主軸と音源により規定される手動で、或いは測定により検出する角度（φ）、仮想的な左開口角（α）、仮想的な右開口角（β）、減衰率（λ）、減衰率（ρ）、増幅率（１／λ、１／τ、λ’、ρ＊）、相関度（ｒ）、許容値範囲を定義するためのパラメータ（ａ）、絶対値を決定又は最大化するための限界値（Ｒ＊）、偏差（Δ）、一つのマッピング方向を決定するパラメータ（ｚ）、マッピング幅を選定するための限界値（Ｓ＊）、偏差（ε）、マッピング幅に関して関数値を最適化するための限界値（Ｕ＊）、与えられたステレオ信号を生成するための偏差（κ）又は当該の時間パラメータ（ｓ）が自動的に、或いは反復して最適化可能であることを特徴とする請求項１に記載の装置。
【請求項６】
疑似ステレオ変換用の一つのステレオ変換器と、その後に接続された二つのパノラマ電位差計とを通過させて、各パノラマ電位差計が二つの母線信号を生成するか、或いは
疑似ステレオ変換用の一つのステレオ変換器と、そのステレオ変換器の前に接続された、ステレオ変換器の一つの入力信号を増幅するための一つの増幅器とを通過させるか、
疑似ステレオ変換用の一つのステレオ変換器と、そのステレオ変換器の前に接続された、ステレオ変換器の各入力信号用の各増幅器とを通過させるか、
それぞれ所定の増幅率で増幅された入力信号（Ｍ，Ｓ）を加算又は減算するための加算器と減算器を備えた、疑似ステレオ変換用の一つの改修されたステレオ変換器を通過させて、前記の母線信号と同一の信号を生成する、
ことを特徴とする請求項１に記載の装置。
【請求項７】
データ圧縮又はデータ削減用の手段が配備されていることを特徴とする請求項１に記載の装置。
【請求項８】
少なくとも一つの一次又は二次のオールパスフィルタが配備されていることを特徴とする請求項１に記載の装置。
【請求項９】
少なくとも移相器が配備されていることを特徴とする請求項１に記載の装置。
【請求項１０】
一つのモノラル信号Ｍから第一の疑似ステレオ信号Ｌ，Ｒを取得するための手段、
前記の与えられた信号Ｌから第二の疑似ステレオ信号ＬＳ，Ｃ１を取得するための手段、
前記の与えられた信号Ｒから第三の疑似ステレオ信号Ｃ２，ＲＳを取得するための手段、
が配備されていることを特徴とする請求項１に記載の装置。
【請求項１１】
ｎ個（ｎ≧２）のスピーカを備えた再生システム用の信号出力が配備されていることを特徴とする請求項１に記載の装置。
【請求項１２】
場合によっては、反比例する減衰率（λ又はρ）又は増幅率（１／λ、１／τ、λ’）を考慮して、遅延時間差（Ｌα，Ｌβ；ＬＡ，ＬＢ；Ｌα’，Ｌβ’；ＬＡ’，ＬＢ’）又は増幅率（Ｐα，Ｐβ；Ｐα’，Ｐβ’；ＰＭ，ＰＭ’，ＰＭ’’；ＰＡ，ＰＢ）をそれぞれ計算する代わりに使用される、ステレオ音響化する入力信号の遅延又は増幅に関する値を保存した辞書が配備されていることを特徴とする請求項１に記載の装置。
【請求項１３】
間隔［０，π／２］において、π／３６ずつ変化させた値に基づき、当該の辞書を取得する手段が配備されていることを特徴とする請求項１２に記載の装置。
【請求項１４】
一つのモノラル信号をステレオ音響化する、或いは疑似ステレオ信号を取得するための方法において、
算出した遅延時間差（ＬＡ，ＬＢ又はＬα，Ｌβ）が、それをステレオ音響化するモノラル信号に適用する前に、ゼロよりも大きい時間パラメータ（ｓ）と乗算されて、それにより、新たな遅延時間差（ＬＡ’＝ＬＡ＊ｓ，ＬＢ’＝ＬＢ＊ｓ又はＬα’＝Ｌα＊ｓ，Ｌβ’＝Ｌβ＊ｓ）が得られることを特徴とする方法。
【請求項１５】
当該の遅延時間差が、音源とステレオ音響化する信号の主軸により規定される手動で、或いは測定により検出する角度（φ）に基づき算出されることを特徴とする請求項１４に記載の方法。
【請求項１６】
当該の時間パラメータ（ｓ）が２９ミリ秒と１４６ミリ秒、有利には、１００ミリ秒との間であることを特徴とする請求項１４に記載の方法。
【請求項１７】
ユーザが当該の時間パラメータ（ｓ）を自由に選択することを特徴とする請求項１４に記載の方法。
【請求項１８】
ステレオ音響化する信号の指向特性を規定するパラメータ（ｆ又はｎ）、主軸と音源により規定される手動で、或いは測定により検出する角度（φ）、仮想的な左開口角（α）、仮想的な右開口角（β）、減衰率（λ）、減衰率（ρ）、増幅率（１／λ、１／τ、λ’、ρ＊）、相関度（ｒ）、許容値範囲を定義するためのパラメータ（ａ）、絶対値を決定又は最大化するための限界値（Ｒ＊）、偏差（Δ）、一つのマッピング方向を決定するパラメータ（ｚ）、マッピング幅を選定するための限界値（Ｓ＊）、偏差（ε）、マッピング幅に関して関数値を最適化するための限界値（Ｕ＊）、与えられたステレオ信号を生成するための偏差（κ）又は当該の時間パラメータ（ｓ）が自動的に、或いは反復して最適化されることを特徴とする請求項１４に記載の方法。
【請求項１９】
ステレオ音響化する信号の指向特性を規定するパラメータ（ｆ又はｎ）、主軸と音源により規定される手動で、或いは測定により検出する角度（φ）、仮想的な左開口角（α）、仮想的な右開口角（β）、減衰率（λ）、減衰率（ρ）、増幅率（１／λ、１／τ、λ’、ρ＊）、相関度（ｒ）、許容値範囲を定義するためのパラメータ（ａ）、絶対値を決定又は最大化するための限界値（Ｒ＊）、偏差（Δ）、一つのマッピング方向を決定するパラメータ（ｚ）、マッピング幅を選定するための限界値（Ｓ＊）、偏差（ε）、マッピング幅に関して関数値を最適化するための限界値（Ｕ＊）、与えられたステレオ信号を生成するための偏差（κ）又は当該の時間パラメータ（ｓ）が代数的不変式に基づき最適化されることを特徴とする請求項１４に記載の方法。
【請求項２０】
（ａ）当該の手動で、或いは測定により検出又は決定される角度（φ）を求めるか、
（ａａ）任意に、或いはアルゴリズムにより決定される、主軸に対して左側の角度を規定する、ゼロの周囲の要素又はゼロと等しくない仮想的な開口角（α）を求め、その開口角が、前記の手動で、或いは測定により検出又は決定された角度（φ）が正である場合に、その手動で、或いは測定により検出又は決定された角度（φ）が主軸に対して左側の角度を規定する仮想的な開口角（α）以下であるとの条件を満たすものであるか、
（ｂｂ）任意に、或いはアルゴリズムにより決定される、主軸に対して右側の角度を規定する、ゼロの周囲の要素又はゼロと等しくない仮想的な開口角（β）を求め、その開口角が、前記の手動で、或いは測定により検出又は決定された角度（φ）が負である場合に、その手動で、或いは測定により検出又は決定された角度（φ）の絶対値が主軸に対して右側の角度を規定する仮想的な開口角（β）以下であるとの条件を満たすものであるか、
（ｃｃ）手動で、或いは測定により検出又は決定される、ステレオ音響化するモノラル信号の指向特性を求め、併せて、
（ｂ）前記の手動で、或いは測定により検出又は決定される角度（φ）、前記の仮想的な開口角（α）又はステレオ音響化するモノラル信号の指向特性に依存する増幅率（Ｐα）を計算するか、
（ｃ）前記の手動で、或いは測定により検出又は決定される角度（φ）、前記の仮想的な開口角（β）又はステレオ音響化するモノラル信号の指向特性に依存する増幅率（Ｐβ）を計算し、併せて、
（ｄ）前記の手動で、或いは測定により検出又は決定される角度（φ）、前記の仮想的な開口角（α）又はステレオ音響化するモノラル信号の指向特性、並びに当該の時間パラメータ（ｓ）に依存する遅延時間（Ｌ’α）を計算するか、
（ｅ）前記の手動で、或いは測定により検出又は決定される角度（φ）、前記の仮想的な開口角（β）又はステレオ音響化するモノラル信号の指向特性、並びに当該の時間パラメータ（ｓ）に依存する遅延時間（Ｌ’β）を計算し、併せて、
（ｆ）ステレオ音響化するモノラル信号を主信号として直接使用し、並びに
（ｇ）ステレオ音響化するモノラル信号を遅延時間（Ｌ’α）だけ遅らせた後、増幅率（Ｐα）だけ増幅させるか、それに代わって、ステレオ音響化するモノラル信号を増幅率（Ｐα）だけ増幅させた後、遅延時間（Ｌ’α）だけ遅らせるか、それに代わって、前記の二つの増幅率が等しい場合（Ｐα＝Ｐβ）に、ステレオ音響化するモノラル信号を遅延時間（Ｌ’α）だけ遅らせた後、増幅率（Ｐβ）だけ増幅させるか、それに代わって、前記の二つの増幅率が等しい場合（Ｐα＝Ｐβ）に、ステレオ音響化するモノラル信号を増幅率（Ｐβ）だけ増幅させた後、遅延時間（Ｌ’α）だけ遅らせるか、それに代わって、前記の二つの遅延時間が等しい場合（Ｌ’α＝Ｌ’β）に、ステレオ音響化するモノラル信号を遅延時間（Ｌ’β）だけ遅らせた後、増幅率（Ｐα）だけ増幅させるか、それに代わって、前記の二つの遅延時間が等しい場合（Ｌ’α＝Ｌ’β）に、ステレオ音響化するモノラル信号を増幅率（Ｐα）だけ増幅させた後、遅延時間（Ｌ’β）だけ遅らせるか、それに代わって、前記の二つの遅延時間が等しく（Ｌ’α＝Ｌ’β）、前記の二つの増幅率が等しい（Ｐα＝Ｐβ）場合に、ステレオ音響化するモノラル信号を遅延時間（Ｌ’β）だけ遅らせた後、増幅率（Ｐβ）だけ増幅させるか、それに代わって、前記の二つの遅延時間が等しく（Ｌ’α＝Ｌ’β）、前記の二つの増幅率が等しい（Ｐα＝Ｐβ）場合に、ステレオ音響化するモノラル信号を増幅率（Ｐβ）だけ増幅させた後、遅延時間（Ｌ’β）だけ遅らせるか、
（ｈ）ステレオ音響化するモノラル信号を遅延時間（Ｌ’β）だけ遅らせた後、増幅率（Ｐβ）だけ増幅させるか、それに代わって、ステレオ音響化するモノラル信号を増幅率（Ｐβ）だけ増幅させた後、遅延時間（Ｌ’α）だけ遅らせるか、それに代わって、前記の二つの増幅率が等しい場合（Ｐα＝Ｐβ）に、ステレオ音響化するモノラル信号を遅延時間（Ｌ’β）だけ遅らせた後、増幅率（Ｐα）だけ増幅させるか、それに代わって、前記の二つの増幅率が等しい場合（Ｐα＝Ｐβ）に、ステレオ音響化するモノラル信号を増幅率（Ｐα）だけ増幅させた後、遅延時間（Ｌ’β）だけ遅らせるか、それに代わって、前記の二つの遅延時間が等しい場合（Ｌ’α＝Ｌ’β）に、ステレオ音響化するモノラル信号を遅延時間（Ｌ’α）だけ遅らせた後、増幅率（Ｐβ）だけ増幅させるか、それに代わって、前記の二つの遅延時間が等しい場合（Ｌ’α＝Ｌ’β）に、ステレオ音響化するモノラル信号を増幅率（Ｐβ）だけ増幅させた後、遅延時間（Ｌ’α）だけ遅らせるか、それに代わって、前記の二つの遅延時間が等しく（Ｌ’α＝Ｌ’β）、前記の二つの増幅率が等しい（Ｐα＝Ｐβ）場合に、ステレオ音響化するモノラル信号を遅延時間（Ｌ’α）だけ遅らせた後、増幅率（Ｐα）だけ増幅させるか、それに代わって、前記の二つの遅延時間が等しく（Ｌ’α＝Ｌ’β）、前記の二つの増幅率が等しい（Ｐα＝Ｐβ）場合に、ステレオ音響化するモノラル信号を増幅率（Ｐα）だけ増幅させた後、遅延時間（Ｌ’α）だけ遅らせて、
（ｉ）前記の（ｇ）と（ｈ）で与えられた信号を加算して、側方信号を取得するか、或いは前記の二つの遅延時間が等しい場合（Ｌ’α＝Ｌ’β）に、
（ｊ）ステレオ音響化するモノラル信号を遅延時間（Ｌ’α＝Ｌ’β）だけ遅らせた後、前記の二つの増幅率が等しい（Ｐα＝Ｐβ）場合に、増幅率（２＊Ｐα＝２＊Ｐβ）だけ増幅させるか、或いは前記の二つの増幅率が等しくない（Ｐα≠Ｐβ）場合に、増幅率（Ｐα＋Ｐβ）だけ増幅させて、側方信号を取得するか、それに代わって、
（ｋ）ステレオ音響化するモノラル信号を、前記の二つの増幅率が等しい（Ｐα＝Ｐβ）場合に、増幅率（２＊Ｐα＝２＊Ｐβ）だけ増幅させるか、或いは前記の二つの増幅率が等しくない（Ｐα≠Ｐβ）場合に、増幅率（Ｐα＋Ｐβ）だけ増幅させた後、遅延時間（Ｌ’α＝Ｌ’β）だけ遅らせて、側方信号を取得するか、それに代わって、
（ｌ）ステレオ音響化するモノラル信号を増幅率（Ｐα）だけ増幅させるとともに、遅延時間（Ｌ’α＝Ｌ’β）だけ遅らせた後、前記の二つの増幅率が等しい（Ｐα＝Ｐβ）場合に、増幅率（Ｐα）だけ増幅させるか、或いは前記の二つの増幅率が等しくない（Ｐα≠Ｐβ）場合に、増幅率（Ｐβ）だけ増幅させか、それに代わって、
（ｍ）ステレオ音響化するモノラル信号を増幅率（Ｐβ）だけ増幅させるとともに、遅延時間（Ｌ’α＝Ｌ’β）だけ遅らせた後、前記の二つの増幅率が等しい（Ｐα＝Ｐβ）場合に、増幅率（Ｐβ）だけ増幅させるか、或いは前記の二つの増幅率が等しくない（Ｐα≠Ｐβ）場合に、増幅率（Ｐα）だけ増幅させ、併せて、
（ｊ）前記の主信号と側方信号の一つのステレオ信号へのステレオ変換を行なうか、それに代わって、それぞれ所定の増幅率で増幅された入力信号（Ｍ，Ｓ）を加算又は減算するための加算器又は減算器を備えた改修されたステレオ変換器による前記の主信号と側方信号の一つのステレオ信号へのステレオ変換を行なう、
ことを特徴とする請求項１４に記載の方法。
【請求項２１】
（ａ）当該の手動で、或いは測定により検出又は決定される角度（φ）を求めるか、
（ａａ）任意に、或いはアルゴリズムにより決定される、主軸に対して左側の角度を規定する、ゼロの周囲の要素又はゼロと等しくない仮想的な開口角（α）を求め、その開口角が、前記の手動で、或いは測定により検出又は決定された角度（φ）が正である場合に、その手動で、或いは測定により検出又は決定された角度（φ）が主軸に対して左側の角度を規定する仮想的な開口角（α）以下であるとの条件を満たすものであるか、
（ｂｂ）任意に、或いはアルゴリズムにより決定される、主軸に対して右側の角度を規定する、ゼロの周囲の要素又はゼロと等しくない仮想的な開口角（β）を求め、その開口角が、前記の手動で、或いは測定により検出又は決定された角度（φ）が負である場合に、その手動で、或いは測定により検出又は決定された角度（φ）の絶対値が主軸に対して右側の角度を規定する仮想的な開口角（β）以下であるとの条件を満たすものであるか、
（ｃｃ）手動で、或いは測定により検出又は決定される、ステレオ音響化するモノラル信号の指向特性を求め、併せて、
（ｂ）前記の手動で、或いは測定により検出又は決定される角度（φ）、前記の仮想的な開口角（α）又はステレオ音響化するモノラル信号の指向特性に依存する増幅率（ＰＭ’）を計算し、１／ＰＭ’がゼロ又はゼロの周囲の要素ではなく、
（ｃ）前記の手動で、或いは測定により検出又は決定される角度（φ）、前記の仮想的な開口角（α又はβ）又はステレオ音響化するモノラル信号の指向特性に依存する増幅率（Ｐβ’）を計算し、併せて、
（ｄ）前記の手動で、或いは測定により検出又は決定される角度（φ）、前記の仮想的な開口角（α）又はステレオ音響化するモノラル信号の指向特性、並びに当該の時間パラメータ（ｓ）に依存する遅延時間（Ｌ’α）を計算するか、
（ｅ）前記の手動で、或いは測定により検出又は決定される角度（φ）、前記の仮想的な開口角（β）又はステレオ音響化するモノラル信号の指向特性、並びに当該の時間パラメータ（ｓ）に依存する遅延時間（Ｌ’β）を計算し、併せて、
（ｆ）ステレオ音響化するモノラル信号を増幅率（ＰＭ’）だけ増幅し、並びに
（ｇ）ステレオ音響化するモノラル信号を遅延時間（Ｌ’α）だけ遅らせるか、それに代わって、前記の二つの遅延時間が等しい場合（Ｌ’α＝Ｌ’β）に、ステレオ音響化するモノラル信号を遅延時間（Ｌ’β）だけ遅らせて、
（ｈ）ステレオ音響化するモノラル信号を遅延時間（Ｌ’β）だけ遅らせた後、増幅率（Ｐβ’）だけ増幅させるか、それに代わって、ステレオ音響化するモノラル信号を増幅率（Ｐβ’）だけ増幅させた後、遅延時間（Ｌ’β）だけ遅らせるか、それに代わって、前記の二つの遅延時間が等しい場合（Ｌ’α＝Ｌ’β）に、ステレオ音響化するモノラル信号を遅延時間（Ｌ’α）だけ遅らせた後、増幅率（Ｐβ’）だけ増幅させるか、それに代わって、前記の二つの遅延時間が等しい場合（Ｌ’α＝Ｌ’β）に、ステレオ音響化するモノラル信号を増幅率（Ｐβ’）だけ増幅させた後、遅延時間（Ｌ’α）だけ遅らせて、
（ｉ）前記の（ｇ）と（ｈ）で与えられた信号を加算して、側方信号を取得するか、或いは前記の二つの遅延時間が等しい場合（Ｌ’α＝Ｌ’β）に、
（ｊ）ステレオ音響化するモノラル信号を遅延時間（Ｌ’α＝Ｌ’β）だけ遅らせた後、増幅率（Ｐβ’）だけ増幅させて、側方信号を取得するか、それに代わって、
（ｋ）ステレオ音響化するモノラル信号を増幅率（Ｐβ’）だけ増幅させた後、遅延時間（Ｌ’α＝Ｌ’β）だけ遅らせて、側方信号を取得し、併せて、
（ｊ）前記の主信号と側方信号の一つのステレオ信号へのステレオ変換を行なうか、それに代わって、それぞれ所定の増幅率で増幅された入力信号（Ｍ，Ｓ）を加算又は減算するための加算器又は減算器を備えた改修されたステレオ変換器による前記の主信号と側方信号の一つのステレオ信号へのステレオ変換を行なう、
ことを特徴とする請求項１４に記載の方法。
【請求項２２】
（ａ）当該の手動で、或いは測定により検出又は決定される角度（φ）を求めるか、
（ａａ）任意に、或いはアルゴリズムにより決定される、主軸に対して左側の角度を規定する、ゼロの周囲の要素又はゼロと等しくない仮想的な開口角（α）を求め、その開口角が、前記の手動で、或いは測定により検出又は決定された角度（φ）が正である場合に、その手動で、或いは測定により検出又は決定された角度（φ）が主軸に対して左側の角度を規定する仮想的な開口角（α）以下であるとの条件を満たすものであるか、
（ｂｂ）任意に、或いはアルゴリズムにより決定される、主軸に対して右側の角度を規定する、ゼロの周囲の要素又はゼロと等しくない仮想的な開口角（β）を求め、その開口角が、前記の手動で、或いは測定により検出又は決定された角度（φ）が負である場合に、その手動で、或いは測定により検出又は決定された角度（φ）の絶対値が主軸に対して右側の角度を規定する仮想的な開口角（β）以下であるとの条件を満たすものであるか、
（ｃｃ）手動で、或いは測定により検出又は決定される、ステレオ音響化するモノラル信号の指向特性を求め、併せて、
（ｂ）前記の手動で、或いは測定により検出又は決定される角度（φ）、前記の仮想的な開口角（α）又はステレオ音響化するモノラル信号の指向特性に依存する増幅率（ＰＭ’’）を計算し、１／ＰＭ’’がゼロ又はゼロの周囲の要素ではなく、
（ｃ）前記の手動で、或いは測定により検出又は決定される角度（φ）、前記の仮想的な開口角（α又はβ）又はステレオ音響化するモノラル信号の指向特性に依存する増幅率（Ｐα’）を計算し、併せて、
（ｄ）前記の手動で、或いは測定により検出又は決定される角度（φ）、前記の仮想的な開口角（α）又はステレオ音響化するモノラル信号の指向特性、並びに当該の時間パラメータ（ｓ）に依存する遅延時間（Ｌ’α）を計算するか、
（ｅ）前記の手動で、或いは測定により検出又は決定される角度（φ）、前記の仮想的な開口角（β）又はステレオ音響化するモノラル信号の指向特性、並びに当該の時間パラメータ（ｓ）に依存する遅延時間（Ｌ’β）を計算し、併せて、
（ｆ）ステレオ音響化するモノラル信号を増幅率（ＰＭ’’）だけ増幅し、並びに
（ｇ）ステレオ音響化するモノラル信号を遅延時間（Ｌ’α）だけ遅らせた後、増幅率（Ｐα’）だけ増幅させるか、それに代わって、ステレオ音響化するモノラル信号を増幅率（Ｐα’）だけ増幅させた後、遅延時間（Ｌ’α）だけ遅らせるか、それに代わって、前記の二つの遅延時間が等しい場合（Ｌ’α＝Ｌ’β）に、ステレオ音響化するモノラル信号を遅延時間（Ｌ’β）だけ遅らせた後、増幅率（Ｐα’）だけ増幅させるか、それに代わって、前記の二つの遅延時間が等しい場合（Ｌ’α＝Ｌ’β）に、ステレオ音響化するモノラル信号を増幅率（Ｐα’）だけ増幅させた後、遅延時間（Ｌ’β）だけ遅らせて、
（ｈ）ステレオ音響化するモノラル信号を遅延時間（Ｌ’β）だけ遅らせるか、それに代わって、前記の二つの遅延時間が等しい場合（Ｌ’α＝Ｌ’β）に、ステレオ音響化するモノラル信号を遅延時間（Ｌ’α）だけ遅らせて、
（ｉ）前記の（ｇ）と（ｈ）で与えられた信号を加算して、側方信号を取得するか、或いは前記の二つの遅延時間が等しい場合（Ｌ’α＝Ｌ’β）に、
（ｊ）ステレオ音響化するモノラル信号を遅延時間（Ｌ’α＝Ｌ’β）だけ遅らせた後、増幅率（Ｐα’）だけ増幅させて、側方信号を取得するか、それに代わって、
（ｋ）ステレオ音響化するモノラル信号を増幅率（Ｐα’）だけ増幅させた後、遅延時間（Ｌ’α＝Ｌ’β）だけ遅らせて、側方信号を取得し、併せて、
（ｊ）前記の主信号と側方信号の一つのステレオ信号へのステレオ変換を行なうか、それに代わって、それぞれ所定の増幅率で増幅された入力信号（Ｍ，Ｓ）を加算又は減算するための加算器又は減算器を備えた改修されたステレオ変換器による前記の主信号と側方信号の一つのステレオ信号へのステレオ変換を行なう、
ことを特徴とする請求項１４に記載の方法。
【請求項２３】
（ａ）当該の手動で、或いは測定により検出又は決定される角度（φ）を一定の値と仮定するか、
（ａａ）任意に、或いはアルゴリズムにより決定される、主軸に対して左側の角度を規定する、ゼロの周囲の要素又はゼロと等しくない仮想的な開口角（α）を一定の値と仮定し、その開口角が、前記の手動で、或いは測定により検出又は決定された角度（φ）が正である場合に、その手動で、或いは測定により検出又は決定された角度（φ）が主軸に対して左側の角度を規定する仮想的な開口角（α）以下であるとの条件を満たすものであるか、
（ｂｂ）任意に、或いはアルゴリズムにより決定される、主軸に対して右側の角度を規定する、ゼロの周囲の要素又はゼロと等しくない仮想的な開口角（β）を一定の値と仮定し、その開口角が、前記の手動で、或いは測定により検出又は決定された角度（φ）が負である場合に、その手動で、或いは測定により検出又は決定された角度（φ）の絶対値が主軸に対して右側の角度を規定する仮想的な開口角（β）以下であるとの条件を満たすものであり、
（ｃｃ）手動で、或いは測定により検出又は決定される、ステレオ音響化するモノラル信号の指向特性を任意に設定し、併せて、
（ｂ）前記の一定の値から計算した一定の遅延時間（Ｌα’又はＬβ’）又は前記の一定の値から計算した増幅率（Ｐα，Ｐβ；Ｐα’，Ｐβ’；ＰＭ’，ＰＭ’’）を請求項１から９までのいずれか一つに記載の装置で使用する、
ことを特徴とする請求項１４に記載の方法。
【請求項２４】
当該の時間パラメータ（ｓ＞１）に定数（√５−１）／２を乗算することによって、遅延時間（Ｌα’＝Ｌβ’）を計算するか、或いは当該の時間パラメータ（ｓ）に関する予め設定された値を前記の定数と乗算して遅延時間（Ｌα’＝Ｌβ’）として使用し、
増幅率（ＰＭ’＝ＰＭ’’）が定数４／５と等しいものとして、
ステレオ音響化するモノラル信号を増幅率４／５だけ増幅して、主信号を取得し、
ステレオ音響化するモノラル信号を遅延時間（Ｌα’＝Ｌβ’）だけ遅らせて、側方信号を取得し、
前記の主信号と側方信号の一つのステレオ信号へのステレオ変換を行なうか、それに代わって、それぞれ所定の増幅率で増幅された入力信号（Ｍ，Ｓ）を加算又は減算するための加算器又は減算器を備えた改修されたステレオ変換器による前記の主信号と側方信号の一つのステレオ信号へのステレオ変換を行なう、
ことを特徴とする請求項１４に記載の方法。
【請求項２５】
当該の時間パラメータ（ｓ＞１）に定数（√５−１）／２を乗算することによって、遅延時間（Ｌα’＝Ｌβ’）を計算するか、或いは当該の時間パラメータ（ｓ）に関する予め設定された値を前記の定数と乗算して遅延時間（Ｌα’＝Ｌβ’）として使用し、
増幅率（ＰＭ’＝ＰＭ’’）が定数５／４と等しいものとして、
ステレオ音響化するモノラル信号を主信号として直接使用し、
ステレオ音響化するモノラル信号を遅延時間（Ｌα’＝Ｌβ’）だけ遅らせた後、増幅率５／２だけ増幅して、側方信号を取得するか、それに代わって、ステレオ音響化するモノラル信号を増幅率５／２だけ増幅した後、遅延時間（Ｌα’＝Ｌβ’）だけ遅らせて、側方信号を取得するか、それに代わって、ステレオ音響化する主信号を増幅率Ｐだけ増幅した後、遅延時間（Ｌα’＝Ｌβ’）だけ遅らせ、次に、増幅率Ｑで増幅して、側方信号を取得し、ここで、増幅率ＰとＱに関して、関係式Ｐ＊Ｑ＝５／２が成り立ち、
前記の主信号と側方信号の一つのステレオ信号へのステレオ変換を行なうか、それに代わって、それぞれ所定の増幅率で増幅された入力信号（Ｍ，Ｓ）を加算又は減算するための加算器又は減算器を備えた改修されたステレオ変換器による前記の主信号と側方信号の一つのステレオ信号へのステレオ変換を行なう、
ことを特徴とする請求項１４に記載の方法。
【請求項２６】
当該のステレオ変換を行なう前の側方信号に対して、更に、減衰率（λ＝ρ）による減衰又は増幅率（λ’）による増幅を行なうことを特徴とする請求項１４に記載の方法。
【請求項２７】
当該のステレオ変換を行なう前の主信号に対して、更に、減衰率の逆数（１／λ）又は増幅率（１／τ）による増幅を行ない、ここで、１≧τ＋λ’≧０かつλ＝τ＋λ’であることを特徴とする請求項１４に記載の方法。
【請求項２８】
疑似ステレオ変換用のステレオ変換器と、その後に接続された二つのパノラマ電位差計とを通過させ、各パノラマ電位差計が二つの母線信号を生成するか、
疑似ステレオ変換用のステレオ変換器と、そのステレオ変換器の前に接続された、そのステレオ変換器の一つの入力信号を増幅するための増幅器とを通過させるか、
疑似ステレオ変換用のステレオ変換器と、そのステレオ変換器の前に接続された、そのステレオ変換器の各入力信号を増幅するための各増幅器とを通過させるか、或いは
それぞれ所定の増幅率で増幅された入力信号（Ｍ，Ｓ）を加算又は減算するための加算器又は減算器を備えた改修されたステレオ変換器を通過させて、当該の母線信号と同じ信号を生成する、
ことを特徴とする請求項１４に記載の方法。
【請求項２９】
ステレオ音響化する信号の指向特性を規定するパラメータ（ｆ又はｎ）、当該の主軸と音源により規定される手動で、或いは測定により検出する角度（φ）、仮想的な左開口角（α）、仮想的な右開口角（β）、減衰率（λ）、減衰率（ρ）、増幅率（１／λ、１／τ、λ’又はρ＊）、相関度（ｒ）、許容値範囲を定義するパラメータ（ａ）、絶対値を決定又は最大化するための限界値（Ｒ＊）、偏差（Δ）、マッピング方向を決定するパラメータ（ｚ）、マッピング幅を選定するための限界値（Ｓ＊）、マッピング幅に関して関数値を最適化するための偏差（ε）又は限界値（Ｕ＊）、与えられたステレオ信号を生成するための偏差（κ）、或いは当該の時間パラメータ（ｓ）の自動的又は反復的な最適化が一つ以上の重み関数に基づき行なわれることを特徴とする請求項１４に記載の方法。
【請求項３０】
ステレオ音響化する信号の指向特性を規定するパラメータ（ｆ又はｎ）、当該の主軸と音源により規定される手動で、或いは測定により検出する角度（φ）、仮想的な左開口角（α）、仮想的な右開口角（β）、減衰率（λ）、減衰率（ρ）、増幅率（１／λ、１／τ、λ’又はρ＊）、相関度（ｒ）、許容値範囲を定義するパラメータ（ａ）、絶対値を決定又は最大化するための限界値（Ｒ＊）、偏差（Δ）、マッピング方向を決定するパラメータ（ｚ）、マッピング幅を選定するための限界値（Ｓ＊）、マッピング幅に関して関数値を最適化するための偏差（ε）又は限界値（Ｕ＊）、与えられたステレオ信号を生成するための偏差（κ）、或いは当該の時間パラメータ（ｓ）の自動的又は反復的な最適化が、与えられたステレオ又は疑似ステレオ信号の残響又はユーザにより定義された残響に関する特性に基づき行なわれることを特徴とする請求項１４に記載の方法。
【請求項３１】
ステレオ音響化する信号の指向特性を規定するパラメータ（ｆ又はｎ）、当該の主軸と音源により規定される手動で、或いは測定により検出する角度（φ）、仮想的な左開口角（α）、仮想的な右開口角（β）、減衰率（λ）、減衰率（ρ）、増幅率（１／λ、１／τ、λ’又はρ＊）、相関度（ｒ）、許容値範囲を定義するパラメータ（ａ）、絶対値を決定又は最大化するための限界値（Ｒ＊）、偏差（Δ）、マッピング方向を決定するパラメータ（ｚ）、マッピング幅を選定するための限界値（Ｓ＊）、マッピング幅に関して関数値を最適化するための偏差（ε）又は限界値（Ｕ＊）、与えられたステレオ信号を生成するための偏差（κ）、或いは当該の時間パラメータ（ｓ）の最適化が、与えられたステレオ又は疑似ステレオ信号の第一の主反射に基づき行なわれることを特徴とする請求項１４に記載の方法。
【請求項３２】
ステレオ音響化する信号の指向特性を規定するパラメータ（ｆ又はｎ）、当該の主軸と音源により規定される手動で、或いは測定により検出する角度（φ）、仮想的な左開口角（α）、仮想的な右開口角（β）、減衰率（λ）、減衰率（ρ）、増幅率（１／λ、１／τ、λ’又はρ＊）、相関度（ｒ）、許容値範囲を定義するパラメータ（ａ）、絶対値を決定又は最大化するための限界値（Ｒ＊）、偏差（Δ）、マッピング方向を決定するパラメータ（ｚ）、マッピング幅を選定するための限界値（Ｓ＊）、マッピング幅に関して関数値を最適化するための偏差（ε）又は限界値（Ｕ＊）、与えられたステレオ信号を生成するための偏差（κ）、或いは当該の時間パラメータ（ｓ）の最適化が、目標とする残響又は目標とする第一の主反射の特性に関して設定できるか、或いはユーザにより調整できることを特徴とする請求項１４に記載の方法。
【請求項３３】
ステレオ音響化する信号の指向特性を規定するパラメータ（ｆ又はｎ）、当該の主軸と音源により規定される手動で、或いは測定により検出する角度（φ）、仮想的な左開口角（α）、仮想的な右開口角（β）、減衰率（λ）、減衰率（ρ）、増幅率（１／λ、１／τ、λ’又はρ＊）、相関度（ｒ）、許容値範囲を定義するパラメータ（ａ）、絶対値を決定又は最大化するための限界値（Ｒ＊）、偏差（Δ）、マッピング方向を決定するパラメータ（ｚ）、マッピング幅を選定するための限界値（Ｓ＊）、マッピング幅に関して関数値を最適化するための偏差（ε）又は限界値（Ｕ＊）、与えられたステレオ信号を生成するための偏差（κ）、或いは当該の時間パラメータ（ｓ）の最適化が、遅延時間（ｔ＊）だけ遅らせたステレオ又は疑似ステレオ信号の第一の主反射を生成する特別な伝達関数を含む演算子（Ｕ）又は（Ｕ＊）に基づき行なわれることを特徴とする請求項１４に記載の方法。
【請求項３４】
ステレオ音響化する信号の指向特性を規定するパラメータ（ｆ又はｎ）、当該の主軸と音源により規定される手動で、或いは測定により検出する角度（φ）、仮想的な左開口角（α）、仮想的な右開口角（β）、減衰率（λ）、減衰率（ρ）、増幅率（１／λ、１／τ、λ’又はρ＊）、相関度（ｒ）、許容値範囲を定義するパラメータ（ａ）、絶対値を決定又は最大化するための限界値（Ｒ＊）、偏差（Δ）、マッピング方向を決定するパラメータ（ｚ）、マッピング幅を選定するための限界値（Ｓ＊）、マッピング幅に関して関数値を最適化するための偏差（ε）又は限界値（Ｕ＊）、与えられたステレオ信号を生成するための偏差（κ）、或いは当該の時間パラメータ（ｓ）の最適化が、遅延させた、或いは遅延させないステレオ又は疑似ステレオ信号から残響を生成する特別な伝達関数を含む一つ以上の演算子に基づき行なわれることを特徴とする請求項１４に記載の方法。
【請求項３５】
ステレオ音響化する信号の指向特性を規定するパラメータ（ｆ又はｎ）、当該の主軸と音源により規定される手動で、或いは測定により検出する角度（φ）、仮想的な左開口角（α）、仮想的な右開口角（β）、減衰率（λ）、減衰率（ρ）、増幅率（１／λ、１／τ、λ’又はρ＊）、相関度（ｒ）、許容値範囲を定義するパラメータ（ａ）、絶対値を決定又は最大化するための限界値（Ｒ＊）、偏差（Δ）、マッピング方向を決定するパラメータ（ｚ）、マッピング幅を選定するための限界値（Ｓ＊）、マッピング幅に関して関数値を最適化するための偏差（ε）又は限界値（Ｕ＊）、与えられたステレオ信号を生成するための偏差（κ）、或いは当該の時間パラメータ（ｓ）の最適化が、所謂インバースプロブレムを技術的に変換した形態に基づき行なわれることを特徴とする請求項１４に記載の方法。
【請求項３６】
ステレオ音響化する信号の指向特性を規定するパラメータ（ｆ又はｎ）、当該の主軸と音源により規定される手動で、或いは測定により検出する角度（φ）、仮想的な左開口角（α）、仮想的な右開口角（β）、減衰率（λ）、減衰率（ρ）、増幅率（１／λ、１／τ、λ’又はρ＊）、相関度（ｒ）、許容値範囲を定義するパラメータ（ａ）、絶対値を決定又は最大化するための限界値（Ｒ＊）、偏差（Δ）、マッピング方向を決定するパラメータ（ｚ）、マッピング幅を選定するための限界値（Ｓ＊）、マッピング幅に関して関数値を最適化するための偏差（ε）又は限界値（Ｕ＊）、与えられたステレオ信号を生成するための偏差（κ）、或いは当該の時間パラメータ（ｓ）の最適化が、辞書又は演算子の辞書に基づき行なわれることを特徴とする請求項１４に記載の方法。
【請求項３７】
ステレオ音響化する信号の指向特性を規定するパラメータ（ｆ又はｎ）、当該の主軸と音源により規定される手動で、或いは測定により検出する角度（φ）、仮想的な左開口角（α）、仮想的な右開口角（β）、減衰率（λ）、減衰率（ρ）、増幅率（１／λ、１／τ、λ’又はρ＊）、相関度（ｒ）、許容値範囲を定義するパラメータ（ａ）、絶対値を決定又は最大化するための限界値（Ｒ＊）、偏差（Δ）、マッピング方向を決定するパラメータ（ｚ）、マッピング幅を選定するための限界値（Ｓ＊）、マッピング幅に関して関数値を最適化するための偏差（ε）又は限界値（Ｕ＊）、与えられたステレオ信号を生成するための偏差（κ）、或いは当該の時間パラメータ（ｓ）の最適化が、与えられたステレオ又は疑似ステレオ信号の正弦モデル、それ以外のローカリゼーションモデル、或いはそれ以外の特性との比較に基づき行なわれることを特徴とする請求項１４に記載の方法。
【請求項３８】
圧縮手法又はデータ削減手法を更に使用することを特徴とする請求項１４に記載の方法。
【請求項３９】
少なくとも一つの一次、二次又はｎ次のオールパスフィルタを使用することを特徴とする請求項１４に記載の方法。
【請求項４０】
少なくとも一つの移相器を使用することを特徴とする請求項１４に記載の方法。
【請求項４１】
一つのモノラル信号（Ｍ）から第一の疑似ステレオ信号（Ｌ，Ｒ）を取得し、
与えられた左信号（Ｌ）から第二の疑似ステレオ信号（ＬＳ，Ｃ１）を取得し、
与えられた右信号（Ｒ）から第三の疑似ステレオ信号（Ｃ２，ＲＳ）を取得し、
任意選択により、前記の取得した信号（Ｃ１とＣ２）を順番に調整する、
ことを特徴とする請求項１４に記載の方法。
【請求項４２】
一つのモノラル信号（Ｍ）を信号（Ｃ）として直接使用し、
前記のモノラル信号（Ｍ）から第一の疑似ステレオ信号（Ｌ，Ｒ）を取得し、
前記のモノラル信号（Ｍ）から第二の疑似ステレオ信号（ＬＳ，ＲＳ）を取得する、
ことを特徴とする請求項１４に記載の方法。
【請求項４３】
ステレオ信号の左チャネル（Ｌ＝Ｍ１）から第一の疑似ステレオ信号（ＬＳ，Ｃ１）を取得し、
ステレオ信号の右チャネル（Ｒ＝Ｍ２）から第二の疑似ステレオ信号（Ｃ２，ＲＳ）を取得し、
任意選択により、前記の取得した信号（Ｃ１とＣ２）を順番に調整する、
ことを特徴とする請求項１４に記載の方法。
【請求項４４】
ｎ個（ｎ≧２）のスピーカを備えた再生システム用の信号を生成することを特徴とする請求項１４に記載の方法。
【請求項４５】
場合によっては、反比例する減衰率（λ又はρ）又は増幅率（１／λ、１／τ又はλ’）を考慮して、遅延時間（Ｌα，Ｌβ；ＬＡ，ＬＢ；Ｌα’，Ｌβ’；ＬＡ’，ＬＢ’）又は増幅率（Ｐα，Ｐβ；Ｐα’，Ｐβ’；ＰＭ，ＰＭ’，ＰＭ’’；ＰＡ，ＰＢ）をそれぞれ計算する代わりに、ステレオ音響化する入力信号の遅延又は増幅に関する相応の値を有する辞書を使用することを特徴とする請求項１４に記載の方法。
【請求項４６】
当該の辞書が、間隔［０，π／２］において、仮想的な開口角（α又はβ）又は手動で、或いは測定により検出する角度（φ）をπ／３６ずつ変化させた値に基づき生成されることを特徴とする請求項１４に記載の方法。
【国際調査報告】
2013539643.tif 000090
2013539643.tif 000091
2013539643.tif 000092
2013539643.tif 000093
2013539643.tif 000094
2013539643.tif 000095